(57)【要約】【課題】  現像ローラの駆動、停止の制御の高精度化、および画質の向上【解決手段】現像ローラへの駆動切替を行うためカップリング解除部材をカートリッジ内に設ける。【選択図】  図１
2020112834.tif 000002
【特許請求の範囲】
【請求項１】
電子写真画像形成装置本体に着脱可能なカートリッジにおいて、
（ｉ）感光体に形成された潜像を現像するべく回転可能な現像ローラと、
（ｉｉ）前記装置本体によって生じた回転力を受け得る第一駆動伝達部材と、
（ｉｉｉ）前記第一駆動伝達部材とカップリング可能に構成され、前記第一駆動伝達部材が受けた前記回転力を前記現像ローラへ伝達可能な第二駆動伝達部材と、
（ｉｖ）（ｉｖ−ｉ）前記装置本体によって生じた力を受け得る力受け部と、（ｉｖ−ｉｉ）前記カップリングを解除するために前記第一駆動伝達部材および前記第二駆動伝達部材の一方を他方から離すべく、前記力受け部が受けた前記力によって前記第一駆動伝達部材および前記第二駆動伝達部材の少なくとも一方を付勢可能な付勢部と、を有するカップリング解除部材と、
を有するカートリッジ。
【請求項２】
前記カップリング解除部材は、前記現像ローラの回転軸線と実質的に平行に移動可能に構成されていることを特徴とする請求項１に記載のカートリッジ。
【請求項３】
前記カップリング解除部材を前記現像ローラの回転軸線と実質的に平行に移動させるべく、前記カップリング解除部材の被ガイド部をガイドするガイド部を有することを特徴とする請求項２に記載のカートリッジ。
【請求項４】
前記ガイド部および前記被ガイド部は共に、前記現像ローラの回転軸線と実質的に平行に形成されていることを特徴とする請求項３に記載のカートリッジ。
【請求項５】
更に、カートリッジ枠体を有し、
前記カートリッジ枠体が前記ガイド部を有していることを特徴とする請求項３又は４に記載のカートリッジ。
【請求項６】
前記カップリング解除部材が前記現像ローラの回転軸線と実質的に平行に移動することにより、前記カップリング解除部材の前記付勢部によって、前記第一駆動伝達部材および前記第二駆動伝達部材の少なくとも一方が前記現像ローラの回転軸線と実質的に平行に移動するように構成されていることを特徴とする請求項２乃至５のいずれか１項に記載のカートリッジ。
【請求項７】
前記現像ローラの軸線と平行な方向において、前記カップリング解除部材の少なくとも一部は、前記第一駆動伝達部材と前記第二駆動伝達部材の間に設けられていることを特徴とする請求項１乃至６のいずれか１項に記載のカートリッジ。
【請求項８】
前記第一駆動伝達部材と前記第二駆動伝達部材とがカップリングしている状態において、前記現像ローラの軸線と平行な仮想線に前記カップリング解除部材と前記第一駆動伝達部材とを投影させたときに、前記カップリング解除部材の少なくとも一部の領域と前記第一駆動伝達部材の少なくとも一部の領域とが互いに重なるように構成されていることを特徴とする請求項１乃至７のいずれか１項に記載のカートリッジ。
【請求項９】
前記第一駆動伝達部材と前記第二駆動伝達部材とがカップリングしている状態において、前記仮想線に前記カップリング解除部材と前記第一駆動伝達部材とを投影させたときに、前記カップリング解除部材の領域は前記第一駆動伝達部材の領域内に位置することを特徴とする請求項８に記載のカートリッジ。
【請求項１０】
前記第一駆動伝達部材と前記第二駆動伝達部材とがカップリングしている状態において、前記現像ローラの軸線と平行な仮想線に前記カップリング解除部材と前記第二駆動伝達部材とを投影させたときに、前記カップリング解除部材の少なくとも一部の領域と前記第二駆動伝達部材の少なくとも一部の領域とが互いに重なるように構成されていることを特徴とする請求項１乃至９のいずれか１項に記載のカートリッジ。
【請求項１１】
前記第一駆動伝達部材と前記第二駆動伝達部材のカップリングが解除された状態において、前記現像ローラの軸線と平行な仮想線に前記第一駆動伝達部材と前記第二駆動伝達部材とを投影させたときに、前記第一駆動伝達部材の一部の領域と前記第二駆動伝達部材の少なくとも一部の領域とが互いに重なるように構成されていることを特徴とする請求項１乃至１０のいずれか１項に記載のカートリッジ。
【請求項１２】
前記第一駆動伝達部材と前記第二駆動伝達部材とのカップリングが解除された状態において、前記仮想線に前記第一駆動伝達部材と前記第二駆動伝達部材とを投影させたときに、前記第二駆動伝達部材の領域は前記第一駆動伝達部材の領域内に位置することを特徴とする請求項１１に記載のカートリッジ。
【請求項１３】
前記第二駆動伝達部材と前記第一駆動伝達部材とは、前記カップリングが解除された状態において、互いに同軸となるように直接係合していることを特徴とする請求項１乃至１２のいずれか１項に記載のカートリッジ。
【請求項１４】
前記第一駆動伝達部材は、その回転軸線方向の一端側と他端側でそれぞれ回転可能に支持される一端側被支持部と他端側被支持部とをそれぞれ有することを特徴とする請求項１乃至１３のいずれか１項に記載のカートリッジ。
【請求項１５】
前記第一駆動伝達部材の前記一端側被支持部と前記他端側被支持部との間に設けられた第一係合部が、前記第二駆動伝達部材の第二係合部と係合していることを特徴とする請求項１４に記載のカートリッジ。
【請求項１６】
更に、カートリッジ枠体を有し、
前記カートリッジ枠体は、前記第一駆動伝達部材の前記一端側被支持部を回転可能に支持するための一端側支持部を有することを特徴とする請求項１４または１５に記載のカートリッジ。
【請求項１７】
前記第一駆動伝達部材は、その回転軸線に沿った軸部を有しており、
前記第二駆動伝達部材は、その回転軸線に沿った穴部を有しており、
前記軸部が前記穴部を貫通することにより、前記第一駆動伝達部材と前記第二駆動伝達部材とが直接係合していることを特徴とする請求項１３に記載のカートリッジ。
【請求項１８】
前記第一駆動伝達部材は、その回転軸線方向の一端に前記装置本体からの回転力を受ける回転力受け部を有し、その回転軸線方向の他端に前記軸部を備えていることを特徴とする請求項１７に記載のカートリッジ。
【請求項１９】
前記第一駆動伝達部材は、前記現像ローラの回転軸線と平行な方向において前記回転力受け部と前記軸部との間に、前記第二駆動伝達部材とカップリングするためのカップリング部を有することを特徴とする請求項１８に記載のカートリッジ。
【請求項２０】
前記第一駆動伝達部材の回転半径方向において、前記カップリング部は、前記軸部よりも前記第一駆動伝達部材の回転軸線から遠くに配置されていることを特徴とする請求項１９に記載のカートリッジ。
【請求項２１】
前記第一駆動伝達部材は、その回転軸線方向の一端側と他端側においてそれぞれ回転可能に支持される一端側被支持部と他端側被支持部とをそれぞれ有することを特徴とする請求項１９又は２０に記載のカートリッジ。
【請求項２２】
前記他端側被支持部は、前記軸部の自由端に設けられ、
前記一端側被支持部は、前記回転力受け部と前記カップリング部の間に設けられていることを特徴とする請求項２１に記載のカートリッジ。
【請求項２３】
前記第一駆動伝達部材の回転半径方向において、前記一端側被支持部は、前記カップリング部よりも前記第一駆動伝達部材の回転軸線から遠くに設けられていることを特徴とする請求項２２に記載のカートリッジ。
【請求項２４】
前記第一駆動伝達部材の回転半径方向において、前記一端側被支持部は、前記回転力受け部よりも前記第一駆動伝達部材の回転軸線から遠くに設けられていることを特徴とする請求項２２または２３に記載のカートリッジ。
【請求項２５】
前記カップリング解除部材の前記付勢部は、前記第二駆動伝達部材を前記第一駆動伝達部材から離すべく前記第二駆動伝達部材を付勢可能に構成されていることを特徴とする請求項１乃至２４のいずれか１項に記載のカートリッジ。
【請求項２６】
更に、前記第二駆動伝達部材から受けた前記回転力を前記現像ローラへ伝達するための第三駆動伝達部材を有することを特徴とする請求項２５に記載のカートリッジ。
【請求項２７】
前記第二駆動伝達部材が前記第一駆動伝達部材から離れ得るように、前記第三駆動伝達部材が前記第二駆動伝達部材を移動可能に支持していることを特徴とする請求項２６に記載のカートリッジ。
【請求項２８】
前記第三駆動伝達部材は、実質的に円筒形状であり、
前記第二駆動伝達部材は、前記第三駆動伝達部材の内側で、その回転軸線に沿って往復可能に構成されていることを特徴とする請求項２７に記載のカートリッジ。
【請求項２９】
前記第三駆動伝達部材は、その回転軸線と平行な軸部を有しており、
前記第二駆動伝達部材は、穴部を有しており、
前記穴部が前記軸部に係合した状態で、前記第二駆動伝達部材が前記軸部に沿って往復可能に構成されていることを特徴とする請求項２８に記載のカートリッジ。
【請求項３０】
前記第三駆動伝達部材は、前記穴部と前記軸部の係合を通じて、前記第二駆動伝達部材から前記回転力を受けることを特徴とする請求項２９に記載のカートリッジ。
【請求項３１】
前記軸部は、前記第三駆動伝達部材の回転軸線の周りに複数設けられており、
前記穴部も、前記第二駆動伝達部材の回転軸線の周りに複数設けられており、それぞれが互いに係合した状態で、前記第二駆動伝達部材が前記軸部に沿って往復可能に構成されていることを特徴とする請求項２９または３０に記載のカートリッジ。
【請求項３２】
更に、前記第二駆動伝達部材と前記第三駆動伝達部材との間に配置された弾性部材を有することを特徴とする請求項２７に記載のカートリッジ。
【請求項３３】
更に、前記第三駆動伝達部材の内側に弾性部材を有し、
前記第二駆動伝達部材が、前記弾性部材の弾性力に抗して前記第三駆動伝達部材の内側へ移動することにより、前記第一駆動伝達部材とのカップリングが解除されるよう構成されたことを特徴とする請求項２８乃至３１のいずれか１項に記載のカートリッジ。
【請求項３４】
前記第三駆動伝達部材は、その外周に前記現像ローラへ前記回転力を伝達するためのギア部を有することを特徴とする請求項２６乃至３３のいずれか１項に記載のカートリッジ。
【請求項３５】
前記第一駆動伝達部材は、その回転軸線方向の一端側と他端側においてそれぞれ回転可能に支持される一端側被支持部と他端側被支持部とをそれぞれ有することを特徴とする請求項２６乃至３３のいずれか１項に記載のカートリッジ。
【請求項３６】
前記第一駆動伝達部材の前記一端側被支持部と前記他端側被支持部との間に設けられた係合部が、前記第二駆動伝達部材の係合部と係合していることを特徴とする請求項３５に記載のカートリッジ。
【請求項３７】
カートリッジ枠体を有し、
前記カートリッジ枠体は、前記第一駆動伝達部材の前記一端側被支持部を回転可能に支持するための一端側支持部を有することを特徴とする請求項３６に記載のカートリッジ。
【請求項３８】
前記第三駆動伝達部材が、前記第一駆動伝達部材の前記他端側被支持部を回転可能に支持するための他端側支持部を有することを特徴とする請求項３７に記載のカートリッジ。
【請求項３９】
前記現像ローラを回転可能に支持する現像枠体と、
前記現像枠体に対し回動可能な回動部材と、
を有しており、
前記回動部材は、その回動によって前記力受け部に前記力を付勢する他の付勢部を有することを特徴とする請求項１乃至３８のいずれか１項に記載のカートリッジ。
【請求項４０】
前記力受け部および前記他の付勢部が共に、前記現像ローラの回転軸線に対して傾斜していることを特徴とする請求項３９に記載のカートリッジ。
【請求項４１】
前記カートリッジが前記装置本体に装着され且つ前記カップリングが解除されている状態においても、前記力受け部と前記他の付勢部とが互いに傾斜している部分で接触するよう構成されたことを特徴とする請求項４０に記載のカートリッジ。
【請求項４２】
前記回動部材の少なくとも一部が、前記第一駆動伝達部材と前記第二駆動伝達部材との間に設けられたことを特徴とする請求項３９乃至４１のいずれか１項に記載のカートリッジ。
【請求項４３】
前記回動部材は、実質的なリング形状のリング部を有することを特徴とする請求項４２に記載のカートリッジ。
【請求項４４】
前記回動部材は、前記リング部から突出した突出部を有することを特徴とする請求項４３に記載のカートリッジ。
【請求項４５】
前記感光体と、前記感光体を支持する感光体枠体と、を有し、
前記現像枠体は、前記感光体に対し前記現像ローラを接離可能なように前記感光体枠体に対し移動可能に結合されていることを特徴とする請求項４４に記載のカートリッジ。
【請求項４６】
前記現像枠体が前記感光体枠体に対して移動するのに連動して、前記回動部材の前記突出部が前記感光体枠体から力を受けることにより、前記回動部材が回動するよう構成されていることを特徴とする請求項４５に記載のカートリッジ。
【請求項４７】
前記現像ローラの軸線に沿って見たときに、前記回動部材の前記突出部は、前記現像枠体から前記感光体枠体に向かって突出していることを特徴とする請求項４６に記載のカートリッジ。
【請求項４８】
前記カートリッジが前記装置本体に装着された状態において、前記回動部材は、前記装置本体に固定された部分から前記突出部が力を受けるように構成されたことを特徴とする請求項４４乃至４７のいずれか１項に記載のカートリッジ。
【請求項４９】
前記感光体と、前記感光体を回転可能に支持する感光体枠体と、を有することを特徴とする請求項３９乃至４４のいずれか１項に記載のカートリッジ。
【請求項５０】
前記カートリッジが前記装置本体に装着された状態において、前記感光体枠体は前記装置本体に固定され、前記現像枠体が前記感光体枠体に対して移動可能に構成されていることを特徴とする請求項４９に記載のカートリッジ。
【請求項５１】
前記現像枠体が前記感光体枠体に対して移動することにより、前記現像ローラが前記感光体に対して接離可能に構成されたことを特徴とする請求項５０に記載のカートリッジ。
【請求項５２】
前記現像枠体は、前記現像ローラを前記感光体から離間させるための離間力を前記装置本体から受ける離間力受け部を有することを特徴とする請求項５１に記載のカートリッジ。
【請求項５３】
前記現像ローラの回転軸線に沿って前記カートリッジを見たときに、前記離間力受け部は、前記現像ローラを基準として、前記第一駆動伝達部材とは逆側に突出していることを特徴とする請求項５２に記載のカートリッジ。
【請求項５４】
前記カップリング解除部材および前記回動部材は、前記現像枠体に設けられており、
前記離間力受け部が前記離間力を受けることにより、前記回動部材の前記突出部が前記感光体枠体から前記力を受け、前記回動部材が回動するように構成されたことを特徴とする請求項５３に記載のカートリッジ。
【請求項５５】
前記回動部材の回動軸線は、前記第一駆動伝達部材および前記第二駆動伝達部材の回転軸線と実質的に同一直線上にあることを特徴とする請求項３９乃至５４のいずれか１項に記載の
【請求項５６】
前記第一駆動伝達部材と前記第二駆動伝達部材のカップリング時に互いに引き込むように互いのカップリング部が形成されていることを特徴とする請求項１乃至５５のいずれか１項に記載のカートリッジ。
【請求項５７】
前記第一駆動伝達部材と前記第二駆動伝達部材のカップリング部は、互いに二個から九個までのいずれかの数の爪部を有することを特徴とする請求項１乃至５６のいずれか１項に記載のカートリッジ。
【請求項５８】
前記第一駆動伝達部材と前記第二駆動伝達部材のカップリング部は、互いに六個の爪部を有することを特徴とする請求項５７に記載のカートリッジ。
【請求項５９】
前記カップリング解除部材は、実質的にリング形状のリング部を有することを特徴とする請求項１乃至５８のいずれか１項に記載のカートリッジ。
【請求項６０】
前記リング部が、前記付勢部を有することを特徴とする請求項５９に記載のカートリッジ。
【請求項６１】
前記付勢部は、前記現像ローラの回転軸線に対し実質的に直交した面を有することを特徴とする請求項６０に記載のカートリッジ。
【請求項６２】
前記カップリング解除部材は、前記リング部から突出した突出部を有することを特徴とする請求項５９乃至６１のいずれか１項に記載のカートリッジ。
【請求項６３】
前記突出部は、前記リング部を含む仮想面と実質的に直交する方向に突出していることを特徴とする請求項６２に記載のカートリッジ。
【請求項６４】
前記突出部は、前記リング部の半径方向外側に突出していることを特徴とする請求項６２に記載のカートリッジ。
【請求項６５】
前記カップリング解除部材が前記現像ローラの回転軸線と実質的に平行に移動可能となるように、前記突出部の被ガイド部をガイドするためのガイド部を有することを特徴とする請求項６２または６３に記載のカートリッジ。
【請求項６６】
前記ガイド部および前記被ガイド部は共に、前記現像ローラの回転軸線と実質的に平行に形成されていることを特徴とする請求項６５に記載のカートリッジ。
【請求項６７】
更に、カートリッジ枠体を有し、
前記カートリッジ枠体が、前記ガイド部を有することを特徴とする請求項６６に記載のカートリッジ。
【請求項６８】
前記突出部が、前記力受け部を有することを特徴とする請求項６２乃至６７のいずれか１項に記載のカートリッジ。
【請求項６９】
前記力受け部は、前記現像ローラの回転軸線に対し傾斜していることを特徴とする請求項６８に記載のカートリッジ。
【請求項７０】
前記カップリング解除部材は、前記突出部を複数有することを特徴とする請求項６２乃至６９のいずれか１項に記載のカートリッジ。
【請求項７１】
複数の前記突出部は、互いに実質的に等間隔で配置されていることを特徴とする請求項７０に記載のカートリッジ。
【請求項７２】
前記カップリング解除部材は、前記突出部を３つ有していることを特徴とする請求項６２乃至６９のいずれか１項に記載のカートリッジ。
【請求項７３】
３つの前記突出部は、互いに実質的に等間隔で配置されていることを特徴とする請求項７２に記載のカートリッジ。
【請求項７４】
前記カップリング解除部材は、前記第一駆動伝達部材および前記第二駆動伝達部材の回動軸線と実質的に同軸上に設けられていることを特徴とする請求項１乃至７３のいずれか１項に記載のカートリッジ。
【請求項７５】
記録媒体に画像形成可能な電子写真画像形成装置において、
（ｉ）本体側駆動伝達部材と本体側付勢部材とを有する電子写真画像形成装置本体と、
（ｉｉ）前記装置本体に着脱可能なカートリッジであって、
（ｉｉ−ｉ）感光体に形成された潜像を現像するべく回転可能な現像ローラと、
（ｉｉ−ｉｉ）前記本体側駆動伝達部材によって生じた回転力を受け得る第一駆動伝達部材と、
（ｉｉ−ｉｉｉ）前記第一駆動伝達部材とカップリング可能に構成され、前記第一駆動伝達部材が受けた前記回転力を前記現像ローラへ伝達可能な第二駆動伝達部材と、
（ｉｉ−ｉｖ）（ｉｉ−ｉｖ−ｉ）前記本体側付勢部材によって生じた力を受け得る力受け部と、（ｉｉ−ｉｖ−ｉｉ）前記カップリングを解除するために前記第一駆動伝達部材および前記第二駆動伝達部材の一方を他方から離すべく前記力受け部が受けた前記力によって前記第一駆動伝達部材および前記第二駆動伝達部材の少なくとも一方を付勢可能な付勢部と、を有するカップリング解除部材と、
を有するカートリッジと、
を有する電子写真画像形成装置。
【請求項７６】
本体側駆動伝達部材と本体側付勢部材とを有する電子写真画像形成装置本体に着脱可能なプロセスカートリッジにおいて、
（ｉ）回転可能な感光体と、
（ｉｉ）前記感光体に形成された潜像を現像するべく回転可能であって、前記感光体に対し接離可能な現像ローラと、
（ｉｉｉ）前記現像ローラを前記感光体から離間させるべく、前記本体側付勢部材から付勢力から受ける付勢力受け部と、
（ｉｖ）前記本体側駆動伝達部材から回転力を受ける第一駆動伝達部材と、
（ｖ）前記第一駆動伝達部材とカップリング可能に構成され、前記第一駆動伝達部材が受けた前記回転力を前記現像ローラへ伝達可能な第二駆動伝達部材と、
（ｖｉ）前記カップリングを解除するために前記第一駆動伝達部材および前記第二駆動伝達部材の一方を他方から離すべく前記付勢力受け部が受けた前記付勢力によって前記第一駆動伝達部材および前記第二駆動伝達部材の少なくとも一方を付勢可能なカップリング解除部材と、
を有するプロセスカートリッジ。
【請求項７７】
前記カップリング解除部材は、前記現像ローラの回転軸線と実質的に平行に移動可能に構成されていることを特徴とする請求項７６に記載のプロセスカートリッジ。
【請求項７８】
前記カップリング解除部材を前記現像ローラの回転軸線と実質的に平行に移動させるべく、前記カップリング解除部材の被ガイド部をガイドするガイド部を有することを特徴とする請求項７７に記載のプロセスカートリッジ。
【請求項７９】
前記ガイド部および前記被ガイド部は共に、前記現像ローラの回転軸線と実質的に平行に形成されていることを特徴とする請求項７８に記載のプロセスカートリッジ。
【請求項８０】
更に、カートリッジ枠体を有し、
前記カートリッジ枠体が前記ガイド部を有していることを特徴とする請求項７８又は７９に記載のプロセスカートリッジ。
【請求項８１】
前記カップリング解除部材が前記現像ローラの回転軸線と実質的に平行に移動することにより、前記カップリング解除部材の付勢部が付勢することによって、前記第一駆動伝達部材および前記第二駆動伝達部材の少なくとも一方が前記現像ローラの回転軸線と実質的に平行に移動するように構成されていることを特徴とする請求項７７乃至８０のいずれか１項に記載のカートリッジ。
【請求項８２】
前記現像ローラの軸線と平行な方向において、前記カップリング解除部材の少なくとも一部は、前記第一駆動伝達部材と前記第二駆動伝達部材の間に設けられていることを特徴とする請求項７６乃至８１のいずれか１項に記載のカートリッジ。
【請求項８３】
前記第一駆動伝達部材と前記第二駆動伝達部材とがカップリングしている状態において、前記現像ローラの軸線と平行な仮想線に前記カップリング解除部材と前記第一駆動伝達部材とを投影させたときに、前記カップリング解除部材の少なくとも一部の領域と前記第一駆動伝達部材の少なくとも一部の領域とが互いに重なるように構成されていることを特徴とする請求項７６乃至８１のいずれか１項に記載のカートリッジ。
【請求項８４】
前記第一駆動伝達部材と前記第二駆動伝達部材とがカップリングしている状態において、前記仮想線に前記カップリング解除部材と前記第一駆動伝達部材とを投影させたときに、前記カップリング解除部材の領域は前記第一駆動伝達部材の領域内に位置することを特徴とする請求項８３に記載のカートリッジ。
【請求項８５】
前記第一駆動伝達部材と前記第二駆動伝達部材とがカップリングしている状態において、前記現像ローラの軸線と平行な仮想線に前記カップリング解除部材と前記第二駆動伝達部材とを投影させたときに、前記カップリング解除部材の少なくとも一部の領域と前記第二駆動伝達部材の少なくとも一部の領域とが互いに重なるように構成されていることを特徴とする請求項７６乃至８４のいずれか１項に記載のカートリッジ。
【請求項８６】
前記第一駆動伝達部材と前記第二駆動伝達部材のカップリングが解除された状態において、前記現像ローラの軸線と平行な仮想線に前記第一駆動伝達部材と前記第二駆動伝達部材とを投影させたときに、前記第一駆動伝達部材の一部の領域と前記第二駆動伝達部材の少なくとも一部の領域とが互いに重なるように構成されていることを特徴とする請求項７６乃至８５のいずれか１項に記載のカートリッジ。
【請求項８７】
前記第一駆動伝達部材と前記第二駆動伝達部材とのカップリングが解除された状態において、前記仮想線に前記第一駆動伝達部材と前記第二駆動伝達部材とを投影させたときに、前記第二駆動伝達部材の領域は前記第一駆動伝達部材の領域内に位置することを特徴とする請求項８６に記載のカートリッジ。
【請求項８８】
前記第二駆動伝達部材と前記第一駆動伝達部材とは、前記カップリングが解除された状態において、互いに同軸となるように直接係合していることを特徴とする請求項７６乃至８７に記載のカートリッジ。
【請求項８９】
前記第一駆動伝達部材は、その回転軸線方向の一端側と他端側でそれぞれ回転可能に支持される一端側被支持部と他端側被支持部とをそれぞれ有することを特徴とする請求項８８に記載のカートリッジ。
【請求項９０】
前記第一駆動伝達部材の前記一端側被支持部と前記他端側被支持部との間に設けられた第一係合部が、前記第二駆動伝達部材の第二係合部と係合していることを特徴とする請求項８９に記載のカートリッジ。
【請求項９１】
更に、カートリッジ枠体を有し、
前記カートリッジ枠体は、前記第一駆動伝達部材の前記一端側被支持部を回転可能に支持するための一端側支持部を有することを特徴とする請求項８９または９０に記載のカートリッジ。
【請求項９２】
前記第一駆動伝達部材は、その回転軸線に沿った軸部を有しており、
前記第二駆動伝達部材は、その回転軸線に沿った穴部を有しており、
前記軸部が前記穴部を貫通することにより、前記第一駆動伝達部材と前記第二駆動伝達部材とが直接係合していることを特徴とする請求項８９乃至９１のいずれか１項に記載のカートリッジ。
【請求項９３】
前記第一駆動伝達部材は、その回転軸線の一端に前記装置本体からの回転力を受ける回転力受け部を有し、その回転軸線の他端に前記軸部を備えていることを特徴とする請求項９２に記載のカートリッジ。
【請求項９４】
前記第一駆動伝達部材は、前記第一駆動伝達部材の回転軸線と平行な方向において前記回転力受け部と前記軸部との間に、前記第二駆動伝達部材とカップリングするためのカップリング部を有することを特徴とする請求項９３に記載のカートリッジ。
【請求項９５】
前記第一駆動伝達部材の回転半径方向において、前記カップリング部は、前記軸部よりも前記第一駆動伝達部材の回転軸線から遠くに配置されていることを特徴とする請求項９４に記載のカートリッジ。
【請求項９６】
前記第一駆動伝達部材は、その回転軸線方向の一端側と他端側においてそれぞれ回転可能に支持される一端側被支持部と他端側被支持部とをそれぞれ有することを特徴とする請求項９４又は９５に記載のカートリッジ。
【請求項９７】
前記他端側被支持部は、前記軸部の自由端に設けられ、
前記一端側被支持部は、前記回転力受け部と前記カップリング部の間に設けられていることを特徴とする請求項９６に記載のカートリッジ。
【請求項９８】
前記第一駆動伝達部材の回転半径方向において、前記一端側被支持部は、前記カップリング部よりも前記第一駆動伝達部材の回転軸線から遠くに設けられていることを特徴とする請求項９７に記載のカートリッジ。
【請求項９９】
前記第一駆動伝達部材の回転半径方向において、前記一端側被支持部は、前記回転力受け部よりも前記第一駆動伝達部材の回転軸線から遠くに設けられていることを特徴とする請求項９７または９８に記載のカートリッジ。
【請求項１００】
前記カップリング解除部材は、前記第二駆動伝達部材を前記第一駆動伝達部材から離すべく前記第二駆動伝達部材を付勢可能に構成されていることを特徴とする請求項７６乃至９９のいずれか１項に記載のカートリッジ。
【請求項１０１】
更に、前記第二駆動伝達部材から受けた前記回転力を前記現像ローラへ伝達するための第三駆動伝達部材を有することを特徴とする請求項１００に記載のカートリッジ。
【請求項１０２】
前記第二駆動伝達部材が前記第一駆動伝達部材から離れ得るように、前記第三駆動伝達部材が前記第二駆動伝達部材を移動可能に支持していることを特徴とする請求項１０１に記載のカートリッジ。
【請求項１０３】
前記第三駆動伝達部材は、実質的に円筒形状であり、
前記第二駆動伝達部材は、前記第三駆動伝達部材の内側で、その回転軸線に沿って往復可能に構成されていることを特徴とする請求項１０２に記載のカートリッジ。
【請求項１０４】
前記第三駆動伝達部材は、その回転軸線と平行な軸部を有しており、
前記第二駆動伝達部材は、穴部を有しており、
前記穴部が前記軸部に係合した状態で、前記第二駆動伝達部材が前記軸部に沿って往復可能に構成されていることを特徴とする請求項１０３に記載のカートリッジ。
【請求項１０５】
前記第三駆動伝達部材は、前記穴部と前記軸部の係合を通じて、前記第二駆動伝達部材から前記回転力を受けることを特徴とする請求項１０４に記載のカートリッジ。
【請求項１０６】
前記軸部は、前記第三駆動伝達部材の回転軸線の周りに複数設けられており、
前記穴部も、前記第二駆動伝達部材の回転軸線の周りに複数設けられており、それぞれが互いに係合した状態で、前記第二駆動伝達部材が前記軸部に沿って往復可能に構成されていることを特徴とする請求項１０４または１０５に記載のカートリッジ。
【請求項１０７】
更に、前記第二駆動伝達部材と前記第三駆動伝達部材との間に配置された弾性部材を有することを特徴とする請求項１０２に記載のカートリッジ。
【請求項１０８】
更に、前記第三駆動伝達部材の内側に弾性部材を有し、
前記第二駆動伝達部材が、前記弾性部材の弾性力に抗して前記第三駆動伝達部材の内側へ移動することにより、前記第一駆動伝達部材とのカップリングが解除されるよう構成されたことを特徴とする請求項１０３乃至１０６のいずれか１項に記載のカートリッジ。
【請求項１０９】
前記第三駆動伝達部材は、その外周に前記現像ローラへ前記回転力を伝達するためのギア部を有することを特徴とする請求項１０１乃至１０８のいずれか１項に記載のカートリッジ。
【請求項１１０】
前記第一駆動伝達部材は、その回転軸線方向の一端側と他端側においてそれぞれ回転可能に支持される一端側被支持部と他端側被支持部とをそれぞれ有することを特徴とする請求項１０１乃至１０８のいずれか１項に記載のカートリッジ。
【請求項１１１】
前記第一駆動伝達部材の前記一端側被支持部と前記他端側被支持部との間に設けられた係合部が、前記第二駆動伝達部材の係合部と係合していることを特徴とする請求項１１０に記載のカートリッジ。
【請求項１１２】
カートリッジ枠体を有し、
前記カートリッジ枠体は、前記第一駆動伝達部材の前記一端側被支持部を回転可能に支持するための一端側支持部を有することを特徴とする請求項１１１に記載のカートリッジ。
【請求項１１３】
前記第三駆動伝達部材が、前記第一駆動伝達部材の前記他端側被支持部を回転可能に支持するための他端側支持部を有することを特徴とする請求項１１２に記載のカートリッジ。
【請求項１１４】
前記現像ローラを回転可能に支持する現像枠体と、
前記現像枠体に対し回動可能な回動部材と、
を有しており、
前記回動部材は、その回動によって前記力受け部に前記力を付勢する他の付勢部を有することを特徴とする請求項７６乃至１１３のいずれか１項に記載のカートリッジ。
【請求項１１５】
前記力受け部および前記他の付勢部が共に、前記現像ローラの回転軸線に対して傾斜していることを特徴とする請求項１１４に記載のカートリッジ。
【請求項１１６】
前記カートリッジが前記装置本体に装着され且つ前記カップリングが解除されている状態においても、前記力受け部と前記他の付勢部とが接触するよう構成されたことを特徴とする請求項１１５に記載のカートリッジ。
【請求項１１７】
前記回動部材の少なくとも一部が、前記第一駆動伝達部材と前記第二駆動伝達部材との間に設けられたことを特徴とする請求項１１４乃至１１６のいずれか１項に記載のカートリッジ。
【請求項１１８】
前記回動部材は、実質的なリング形状であるリング部を有することを特徴とする請求項１１７に記載のカートリッジ。
【請求項１１９】
前記回動部材は、前記リング部から突出した突出部を有することを特徴とする請求項１１８に記載のカートリッジ。
【請求項１２０】
前記感光体を支持する感光体枠体を有し、
前記現像枠体は、前記感光体に対し前記現像ローラを接離可能なように前記感光体枠体に対し移動可能に結合されていることを特徴とする請求項１１９に記載のカートリッジ。
【請求項１２１】
前記現像枠体が前記感光体枠体に対して移動するのに連動して、前記回動部材の前記突出部が前記感光体枠体から力を受けることにより、前記回動部材は回動するよう構成されていることを特徴とする請求項１２０に記載のカートリッジ。
【請求項１２２】
前記現像ローラの軸線に沿って見たときに、前記回動部材の前記突出部は、前記現像枠体から前記感光体枠体に向かって突出していることを特徴とする請求項１２１に記載のカートリッジ。
【請求項１２３】
前記カートリッジが前記装置本体に装着された状態において、前記回動部材は、前記装置本体に固定された部分から前記突出部が力を受けるように構成されていることを特徴とする請求項１１９乃至１２２のいずれか１項に記載のカートリッジ。
【請求項１２４】
前記現像枠体は、前記離間力受け部を有することを特徴とする請求項１１４乃至１２３のいずれか１項に記載のカートリッジ。
【請求項１２５】
前記現像ローラの回転軸線に沿って前記カートリッジを見たときに、前記離間力受け部は、前記現像ローラを基準として、前記第一駆動伝達部材とは逆側に突出していることを特徴とする請求項１２４に記載のカートリッジ。
【請求項１２６】
前記カップリング解除部材および前記回動部材は、前記現像枠体に設けられており、
前記離間力受け部が前記離間力を受けることにより、前記回動部材の前記突出部が前記感光体枠体から前記力を受け、前記回動部材が回動するように構成されたことを特徴とする請求項１２４又は１２５に記載のカートリッジ。
【請求項１２７】
前記第一駆動伝達部材と前記第二駆動伝達部材のカップリング時に互いに引き込むように互いのカップリング部が形成されていることを特徴とする請求項７６乃至１２６のいずか１項に記載のカートリッジ。
【請求項１２８】
前記第一駆動伝達部材と前記第二駆動伝達部材のカップリング部は、互いに二個から九個までのいずれかの数の爪部を有することを特徴とする請求項７６乃至１２７のいずれか１項に記載のカートリッジ。
【請求項１２９】
前記第一駆動伝達部材と前記第二駆動伝達部材のカップリング部は、互いに六個の爪部を有することを特徴とする請求項１２８に記載のカートリッジ。
【請求項１３０】
前記カップリング解除部材は、実質的にリング形状のリング部を有することを特徴とする請求項７６乃至１２９のいずれか１項に記載のカートリッジ。
【請求項１３１】
前記リング部が、前記付勢部を有することを特徴とする請求項１３０に記載のカートリッジ。
【請求項１３２】
前記付勢部は、前記現像ローラの回転軸線に対し実質的に直交した面を有することを特徴とする請求項１３１に記載のカートリッジ。
【請求項１３３】
前記カップリング解除部材は、前記リング部から突出した突出部を有することを特徴とする請求項１３０乃至１３２のいずれか１項に記載のカートリッジ。
【請求項１３４】
前記突出部は、前記リング部を含む仮想面と実質的に直交する方向に突出していることを特徴とする請求項１３３に記載のカートリッジ。
【請求項１３５】
前記突出部は、前記リング部の半径方向外側に突出していることを特徴とする請求項１３３に記載のカートリッジ。
【請求項１３６】
前記カップリング解除部材が前記現像ローラの回転軸線と実質的に平行に移動可能となるように、前記突出部の被ガイド部をガイドするためのガイド部を有することを特徴とする請求項１３３または１３４に記載のカートリッジ。
【請求項１３７】
前記ガイド部および前記被ガイド部は共に、前記現像ローラの回転軸線と実質的に平行に形成されていることを特徴とする請求項１３６に記載のカートリッジ。
【請求項１３８】
更に、カートリッジ枠体を有し、
前記カートリッジ枠体が、前記ガイド部を有することを特徴とする請求項１３７に記載のカートリッジ。
【請求項１３９】
前記突出部が、前記力受け部を有することを特徴とする請求項１３３乃至１３８のいずれか１項に記載のカートリッジ。
【請求項１４０】
前記力受け部は、前記現像ローラの回転軸線に対し傾斜していることを特徴とする請求項１３９に記載のカートリッジ。
【請求項１４１】
前記カップリング解除部材は、前記突出部を複数有することを特徴とする請求項１３３乃至１４０のいずれか１項に記載のカートリッジ。
【請求項１４２】
複数の前記突出部は、互いに実質的に等間隔で配置されていることを特徴とする請求項１４１に記載のカートリッジ。
【請求項１４３】
前記カップリング解除部材は、前記突出部を３つ有していることを特徴とする請求項１３３乃至１４０のいずれか１項に記載のカートリッジ。
【請求項１４４】
３つの前記突出部は、互いに実質的に等間隔で配置されていることを特徴とする請求項１４３に記載のカートリッジ。
【請求項１４５】
記録媒体に画像形成可能な電子写真画像形成装置において、
（ｉ）離間力付勢部材と本体側駆動伝達部材とを有する電子写真画像形成装置本体と、
（ｉｉ）前記装置本体に着脱可能なプロセスカートリッジであって、
（ｉｉ−ｉ）回転可能な感光体と、
（ｉｉ−ｉｉ）前記感光体に形成された潜像を現像するべく回転可能であって、前記感光体に対し接離可能な現像ローラと、
（ｉｉ−ｉｉｉ）前記現像ローラを前記感光体から離間させるための離間力を前記離間力付勢部材から受ける離間力受け部と、
（ｉｉ−ｉｖ）前記本体側駆動伝達部材から回転力を受ける第一駆動伝達部材と、
（ｉｉ−ｖ）前記第一駆動伝達部材とカップリング可能に構成され、前記第一駆動伝達部材が受けた前記回転力を前記現像ローラへ伝達可能な第二駆動伝達部材と、
（ｉｉ−ｖｉ）前記離間力受け部が受けた前記離間力によって前記カップリングを解除するために、前記第一駆動伝達部材および前記第二駆動伝達部材の一方を他方から離すべく前記第一駆動伝達部材および前記第二駆動伝達部材の少なくとも一方を付勢可能なカップリング解除部材と、
を有するプロセスカートリッジと、
を有することを特徴とする電子写真画像形成装置。
【請求項１４６】
電子写真画像形成装置本体に着脱可能なプロセスカートリッジにおいて、
感光体と、
前記感光体を回転可能に支持する感光体枠体と、
前記感光体に形成された潜像を現像する現像ローラと、
前記現像ローラを回転可能に支持し、前記現像ローラを前記感光体に接触させる接触位置と前記現像ローラを前記感光体から離間させる離間位置との間を回動可能に、前記感光体枠体に結合された現像枠体と、
前記現像枠体の前記感光体枠体に対する回動軸線を中心として回転可能であって、前記装置本体から回転力を受け得る第一駆動伝達部材と、
前記回動軸線上を中心として回転可能であって、前記第一駆動伝達部材と連結可能で前記現像ローラへ前記回転力を伝達可能な第二駆動伝達部材と、
前記現像枠体の前記接触位置から前記離間位置への回動に伴い前記第一駆動伝達部材と前記第二駆動伝達部材との連結を解除させる解除機構と、
を有することを特徴とするプロセスカートリッジ。
【請求項１４７】
前記解除機構は、前記現像枠体の前記接触位置から前記離間位置への回動に伴い前記第二駆動伝達部材を前記回動軸線に沿って移動させることにより前記第一駆動伝達部材と前記第二駆動伝達部材との連結を解除させることを特徴とする請求項１４６に記載のプロセスカートリッジ。
【請求項１４８】
前記解除機構は、前記第二駆動伝達部材を前記回動軸線に沿って移動させるためのガイド部を有することを特徴とする請求項１４６または１４７に記載のプロセスカートリッジ。
【請求項１４９】
前記ガイド部は前記現像枠体に設けられていることを特徴とする請求項１４８に記載のプロセスカートリッジ。
【請求項１５０】
前記解除機構は、前記回動軸線と平行に移動可能なカップリング解除部材を有し、
前記カップリング解除部材は、前記現像枠体の前記接触位置から前記離間位置への回動に伴い、前記第一駆動伝達部材から離すべく前記第二駆動伝達部材を付勢することを特徴とする請求項１４６乃至１４９のいずれか１項に記載のプロセスカートリッジ。
【請求項１５１】
前記解除機構は、前記カップリング解除部材を前記回動軸線に沿って移動させるためのその他のガイド部を有することを特徴とする請求項１５０に記載のプロセスカートリッジ。
【請求項１５２】
前記その他のガイド部は前記現像枠体に設けられていることを特徴とする請求項１５１に記載のプロセスカートリッジ。
【請求項１５３】
前記その他のガイド部は前記感光体枠体に設けられていることを特徴とする請求項１５１に記載のプロセスカートリッジ。
【請求項１５４】
前記解除機構は付勢部材を有し、
前記付勢部材は、前記現像枠体の前記接触位置から前記離間位置への回動に伴い、前記カップリング解除部材を付勢することを特徴とする請求項１４６乃至１５３のいずれか１項に記載のプロセスカートリッジ。
【請求項１５５】
前記付勢部材は、前記現像枠体に移動可能に設けられ、
前記現像枠体の前記接触位置から前記離間位置への回動に伴い前記感光体枠体から力を受けることにより前記現像枠体に対し相対移動することを特徴とする請求項１５４に記載のプロセスカートリッジ。
【請求項１５６】
前記付勢部材は、前記現像枠体に対し前記回動軸線を中心として回動可能であることを特徴とする請求項１５５に記載のプロセスカートリッジ。
【請求項１５７】
前記付勢部材は、前記感光体枠体に設けられたことを特徴とする請求項１５４に記載のプロセスカートリッジ。
【請求項１５８】
前記付勢部材は、前記感光体枠体に固定されたことを特徴とする請求項１５７に記載のプロセスカートリッジ。
【請求項１５９】
記録媒体に画像を形成する電子写真画像形成装置であって、
（ｉ）回転力を伝達する本体側駆動伝達部材を有する電子写真画像形成装置本体と、
（ｉｉ）前記装置本体に着脱可能なプロセスカートリッジであって、
（ｉｉ−ｉ）感光体と、
（ｉｉ−ｉｉ）前記感光体を回転可能に支持する感光体枠体と、
（ｉｉ−ｉｉｉ）現像ローラと、
（ｉｉ−ｉｖ）前記現像ローラを回転可能に支持し、前記現像ローラを前記感光体ドラムに接触させる接触位置と前記現像ローラを前記感光体から離間させる離間位置との間を回動可能に、前記感光体枠体に結合された現像枠体と、
（ｉｉ−ｖ）前記現像枠体の前記感光体枠体に対する回動軸線を中心として回転可能であって、前記本体側駆動伝達部材から前記回転力を受け得る第一駆動伝達部材と、
（ｉｉ−ｖｉ）前記回動軸線を中心として回転可能であって、前記第一駆動伝達部材と連結可能で前記現像ローラへ前記回転力を伝達可能な第二駆動伝達部材と、
（ｉｉ−ｖｉｉ）前記現像枠体の前記接触位置から前記離間位置への回動に伴い前記第一駆動伝達部材と前記第二駆動伝達部材との連結を解除させる解除機構と、
を有するプロセスカートリッジと、
を有することを特徴とする電子写真画像形成装置。
【発明の詳細な説明】
【技術分野】
【０００１】
本発明は、電子写真画像形成装置（以下、画像形成装置と称す）、および、画像形成装置の装置本体に着脱可能なカートリッジに関するものである。
【０００２】
ここで、画像形成装置とは、電子写真画像形成プロセスを用いて記録媒体に画像を形成するものである。そして、画像形成装置の例としては、例えば電子写真複写機、電子写真プリンタ（例えば、レーザービームプリンタ、ＬＥＤプリンタ等）、ファクシミリ装置およびワードプロセッサ等が含まれる。
【０００３】
また、カートリッジとは、像担持体である電子写真感光体ドラム（以下、ドラムと称す）およびこのドラムに作用するプロセス手段（例えば、現像剤担持体（以下、現像ローラと称す））の少なくともひとつをカートリッジ化し、画像形成装置に対して着脱可能とするものである。カートリッジとしては、ドラムと現像ローラとを一体的にカートリッジ化したものや、ドラムと現像ローラとを別々にカートリッジ化したものがある。特に後者のドラムを有したものをドラムカートリッジ、現像ローラを有したものを現像カートリッジと称す。
【０００４】
また、画像形成装置本体とは、カートリッジを除いた画像形成装置の残りの部分である。
【背景技術】
【０００５】
従来、画像形成装置においては、ドラム及びドラムに作用するプロセス手段を一体的にカートリッジ化し、このカートリッジを画像形成装置の装置本体に着脱可能とするプロセスカートリッジ方式が採用されている。
【０００６】
このプロセスカートリッジ方式によれば、画像形成装置のメンテナンスをサービスマンによらず使用者自身で行うことができるので、格段に操作性を向上させることができた。
【０００７】
そのため、このプロセスカートリッジ方式は画像形成装置において広く用いられている。
【０００８】
ここで、画像形成時には現像ローラを駆動し、非画像形成時には現像ローラへの駆動を遮断する駆動切替を行うクラッチを設けたプロセスカートリッジ（例えば特許文献１）や画像形成装置（例えば、特許文献２）が提案されている。
【先行技術文献】
【特許文献】
【０００９】
【特許文献１】特開２００１−３３７５１１
【特許文献２】特開２００３−２０８０２４
【発明の概要】
【発明が解決しようとする課題】
【００１０】
特許文献１において、現像ローラ端部に駆動切替のためのバネクラッチが設けられている。
【００１１】
また、特許文献２において、現像ローラへの駆動切替を行うためのクラッチが画像形成装置に設けられている。
【００１２】
本発明の目的は、従来の現像ローラへの駆動切替を行うためのクラッチを改善したものである。
【課題を解決するための手段】
【００１３】
上記目的を達成するため本出願に係る第１の発明は、
電子写真画像形成装置本体に着脱可能なカートリッジにおいて、
（ｉ）感光体に形成された潜像を現像するべく回転可能な現像ローラと、
（ｉｉ）前記装置本体によって生じた回転力を受け得る第一駆動伝達部材と、
（ｉｉｉ）前記第一駆動伝達部材とカップリング可能に構成され、前記第一駆動伝達部材が受けた前記回転力を前記現像ローラへ伝達可能な第二駆動伝達部材と、
（ｉｖ）（ｉｖ−ｉ）前記装置本体によって生じた力を受け得る力受け部と、（ｉｖ−ｉｉ）前記カップリングを解除するために前記第一駆動伝達部材および前記第二駆動伝達部材の一方を他方から離すべく、前記力受け部が受けた前記力によって前記第一駆動伝達部材および前記第二駆動伝達部材の少なくとも一方を付勢可能な付勢部と、を有するカップリング解除部材と、
を有することを特徴とする。
【００１４】
上記目的を達成するため本出願に係る第２の発明は、
記録媒体に画像形成可能な電子写真画像形成装置において、
（ｉ）本体側駆動伝達部材と本体側付勢部材とを有する電子写真画像形成装置本体と、
（ｉｉ）前記装置本体に着脱可能なカートリッジであって、
（ｉｉ−ｉ）感光体に形成された潜像を現像するべく回転可能な現像ローラと、
（ｉｉ−ｉｉ）前記本体側駆動伝達部材によって生じた回転力を受け得る第一駆動伝達部材と、
（ｉｉ−ｉｉｉ）前記第一駆動伝達部材とカップリング可能に構成され、前記第一駆動伝達部材が受けた前記回転力を前記現像ローラへ伝達可能な第二駆動伝達部材と、
（ｉｉ−ｉｖ）（ｉｉ−ｉｖ−ｉ）前記本体側付勢部材によって生じた力を受け得る力受け部と、（ｉｉ−ｉｖ−ｉｉ）前記カップリングを解除するために前記第一駆動伝達部材および前記第二駆動伝達部材の一方を他方から離すべく前記力受け部が受けた前記力によって前記第一駆動伝達部材および前記第二駆動伝達部材の少なくとも一方を付勢可能な付勢部と、を有するカップリング解除部材と、
を有するカートリッジと、
を有することを特徴とする。
【００１５】
上記目的を達成するため本出願に係る第３の発明は、
本体側駆動伝達部材と本体側付勢部材とを有する電子写真画像形成装置本体に着脱可能なプロセスカートリッジにおいて、
（ｉ）回転可能な感光体と、
（ｉｉ）前記感光体に形成された潜像を現像するべく回転可能であって、前記感光体に対し接離可能な現像ローラと、
（ｉｉｉ）前記現像ローラを前記感光体から離間させるべく、前記本体側付勢部材から付勢力から受ける付勢力受け部と、
（ｉｖ）前記本体側駆動伝達部材から回転力を受ける第一駆動伝達部材と、
（ｖ）前記第一駆動伝達部材とカップリング可能に構成され、前記第一駆動伝達部材が受けた前記回転力を前記現像ローラへ伝達可能な第二駆動伝達部材と、
（ｖｉ）前記カップリングを解除するために前記第一駆動伝達部材および前記第二駆動伝達部材の一方を他方から離すべく前記付勢力受け部が受けた前記付勢力によって前記第一駆動伝達部材および前記第二駆動伝達部材の少なくとも一方を付勢可能なカップリング解除部材と、
を有することを特徴とする。
【００１６】
上記目的を達成するため本出願に係る第４の発明は、
記録媒体に画像形成可能な電子写真画像形成装置において、
（ｉ）離間力付勢部材と本体側駆動伝達部材とを有する電子写真画像形成装置本体と、
（ｉｉ）前記装置本体に着脱可能なプロセスカートリッジであって、
（ｉｉ−ｉ）回転可能な感光体と、
（ｉｉ−ｉｉ）前記感光体に形成された潜像を現像するべく回転可能であって、前記感光体に対し接離可能な現像ローラと、
（ｉｉ−ｉｉｉ）前記現像ローラを前記感光体から離間させるための離間力を前記離間力付勢部材から受ける離間力受け部と、
（ｉｉ−ｉｖ）前記本体側駆動伝達部材から回転力を受ける第一駆動伝達部材と、
（ｉｉ−ｖ）前記第一駆動伝達部材とカップリング可能に構成され、前記第一駆動伝達部材が受けた前記回転力を前記現像ローラへ伝達可能な第二駆動伝達部材と、
（ｉｉ−ｖｉ）前記離間力受け部が受けた前記離間力によって前記カップリングを解除するために、前記第一駆動伝達部材および前記第二駆動伝達部材の一方を他方から離すべく前記第一駆動伝達部材および前記第二駆動伝達部材の少なくとも一方を付勢可能なカップリング解除部材と、
を有するプロセスカートリッジと、
を有することを特徴とする。
【００１７】
上記目的を達成するため本出願に係る第５の発明は、
電子写真画像形成装置本体に着脱可能なプロセスカートリッジにおいて、
感光体と、
前記感光体を回転可能に支持する感光体枠体と、
前記感光体に形成された潜像を現像する現像ローラと、
前記現像ローラを回転可能に支持し、前記現像ローラを前記感光体に接触させる接触位置と前記現像ローラを前記感光体から離間させる離間位置との間を回動可能に、前記感光体枠体に結合された現像枠体と、
前記現像枠体の前記感光体枠体に対する回動軸線上において回転可能であって、前記装置本体から回転力を受け得る第一駆動伝達部材と、
前記回動軸線上において回転可能であって、前記第一駆動伝達部材と連結可能で前記現像ローラへ前記回転力を伝達可能な第二駆動伝達部材と、
前記現像枠体の前記接触位置から前記離間位置への回動に伴い前記第一駆動伝達部材と前記第二駆動伝達部材との連結を解除させる解除機構と、
を有することを特徴とする。
【００１８】
上記目的を達成するため本出願に係る第６の発明は、
記録媒体に画像を形成する電子写真画像形成装置であって、
（ｉｉ）回転力を伝達する本体側駆動伝達部材を有する電子写真画像形成装置本体と、
（ｉｉ）  前記装置本体に着脱可能なプロセスカートリッジであって、
（ｉｉ−ｉ）感光体と、
（ｉｉ−ｉｉ）前記感光体を回転可能に支持する感光体枠体と、
（ｉｉ−ｉｉｉ）現像ローラと、
（ｉｉ−ｉｖ）前記現像ローラを回転可能に支持し、前記現像ローラを前記感光体ドラムに接触させる接触位置と前記現像ローラを前記感光体から離間させる離間位置との間を回動可能に、前記感光体枠体に結合された現像枠体と、
（ｉｉ−ｖ）前記現像枠体の前記感光体枠体に対する回動軸線上において回転可能であって、前記本体側駆動伝達部材から前記回転力を受け得る第一駆動伝達部材と、
（ｉｉ−ｖｉ）前記回動軸線上において回転可能であって、前記第一駆動伝達部材と連結可能で前記現像ローラへ前記回転力を伝達可能な第二駆動伝達部材と、
（ｉｉ−ｖｉｉ）前記現像枠体の前記接触位置から前記離間位置への回動に伴い前記第一駆動伝達部材と前記第二駆動伝達部材との連結を解除させる解除機構と、
を有するプロセスカートリッジと、
を有することを特徴とする。
【発明の効果】
【００１９】
本発明によれば、現像ローラへの駆動切替をカートリッジ内で行うことができる。
【図面の簡単な説明】
【００２０】
【図１】本発明の第１の実施例に係る、プロセスカートリッジの斜視図
【図２】本発明の第１の実施例に係る、画像形成装置の断面図
【図３】本発明の第１の実施例に係る、画像形成装置の斜視図
【図４】本発明の第１の実施例に係る、プロセスカートリッジの断面図
【図５】本発明の第１の実施例に係る、プロセスカートリッジの斜視図
【図６】本発明の第１の実施例に係る、プロセスカートリッジの斜視図
【図７】本発明の第１の実施例に係る、プロセスカートリッジの側面図
【図８】本発明の第１の実施例に係る、プロセスカートリッジの斜視図
【図９】本発明の第１の実施例に係る、プロセスカートリッジの斜視図
【図１０】本発明の第１の実施例に係る、駆動連結部の斜視図
【図１１】本発明の第１の実施例に係る、爪が９個の場合の駆動連結部の斜視図
【図１２】本発明の第１の実施例に係る、駆動連結部の変形例の斜視図
【図１３】本発明の第１の実施例に係る、駆動連結部の位置決め構成の変形例の断面図
【図１４】本発明の第１の実施例に係る、駆動連結部の断面図
【図１５】本発明の第１の実施例に係る、解除部材および周辺部品の斜視図
【図１６】本発明の第１の実施例に係る、解除部材および周辺部品の斜視図
【図１７】本発明の第１の実施例に係る、解除カムが３個の場合の斜視図
【図１８】本発明の第１の実施例に係る、駆動連結部の模式図および斜視図
【図１９】本発明の第１の実施例に係る、駆動連結部の模式図および斜視図
【図２０】本発明の第１の実施例に係る、駆動連結部の模式図および斜視図
【図２１】本発明の第１の実施例に係る、解除カム、駆動側カートリッジカバー部材、および、現像カバー部材のガイドの位置関係の模式図
【図２２】本発明の第１の実施例に係る、駆動連結部の変形例を駆動側から見た斜視図
【図２３】本発明の第１の実施例に係る、駆動連結部の変形例を非駆動側から見た斜視図
【図２４】本発明の第１の実施例に係る、解除カムと駆動側カートリッジカバー部材の斜視図
【図２５】本発明の第１の実施例に係る、解除カムと軸受部材の斜視図
【図２６】本発明の第１の実施例に係る、駆動連結部の変形例の斜視図
【図２７】画像形成装置のギア配列の一例のブロック図
【図２８】本発明の第２の実施例に係る、駆動連結部を駆動側から見た分解斜視図
【図２９】本発明の第２の実施例に係る、駆動連結部を非駆動側から見た分解斜視図
【図３０】本発明の第２の実施例に係る、プロセスカートリッジの分解斜視図
【図３１】本発明の第２の実施例に係る、プロセスカートリッジの分解斜視図
【図３２】本発明の第２の実施例に係る、駆動連結部の斜視図
【図３３】本発明の第２の実施例に係る、駆動連結部の断面図
【図３４】本発明の第２の実施例に係る、解除部材および周辺部品の斜視図
【図３５】本発明の第２の実施例に係る、解除部材および周辺部品の斜視図
【図３６】本発明の第２の実施例に係る、駆動連結部の模式図および斜視図
【図３７】本発明の第２の実施例に係る、駆動連結部の模式図および斜視図
【図３８】本発明の第２の実施例に係る、駆動連結部の模式図および斜視図
【図３９】本発明の第３の実施例に係る、駆動連結部を非駆動側から見た分解斜視図
【図４０】本発明の第３の実施例に係る、駆動連結部を駆動側から見た分解斜視図
【図４１】本発明の第３の実施例に係る、画像形成装置の斜視図
【図４２】本発明の第３の実施例に係る、駆動連結部の斜視図
【図４３】本発明の第４の実施例に係る、駆動連結部を駆動側から見た分解斜視図
【図４４】本発明の第４の実施例に係る、プロセスカートリッジの分解斜視図
【図４５】本発明の第４の実施例に係る、プロセスカートリッジの分解斜視図
【図４６】本発明の第４の実施例に係る、駆動連結部を非駆動側から見た分解斜視図
【図４７】本発明の第４の実施例に係る、駆動連結部を駆動側から見た分解斜視図
【図４８】本発明の第４の実施例に係る、プロセスカートリッジの断面図
【図４９】本発明の第４の実施例に係る、第一、第二カップリング部材の斜視図
【図５０】本発明の第４の実施例に係る、第一、第二カップリング部材および周辺部品の断面図
【図５１】本発明の第４の実施例に係る、解除部材および周辺部品の斜視図
【図５２】本発明の第４の実施例に係る、駆動連結部の断面図
【図５３】本発明の第４の実施例に係る、駆動連結部の斜視図
【図５４】本発明の第４の実施例に係る、駆動連結部の模式図および斜視図
【図５５】本発明の第４の実施例に係る、駆動連結部の模式図および斜視図
【図５６】本発明の第４の実施例に係る、駆動連結部の模式図および斜視図
【図５７】本発明の第５の実施例に係る、駆動連結部を駆動側から見た分解斜視図
【図５８】本発明の第５の実施例に係る、駆動連結部を被駆動側から見た分解斜視図
【図５９】本発明の第５の実施例に係る、第二カップリング部材および周辺部品の斜視図
【図６０】本発明の第５の実施例に係る、第一、第二カップリング部材の斜視図
【図６１】本発明の第５の実施例に係る、駆動連結部の断面図
【図６２】本発明の第５の実施例に係る、駆動連結部の模式図および斜視図
【図６３】本発明の第５の実施例に係る、駆動連結部の模式図および斜視図
【図６４】本発明の第５の実施例に係る、駆動連結部の模式図および斜視図
【図６５】本発明の第５の実施例に係る、駆動連結部の断面図
【図６６】本発明の第６の実施例に係る、駆動連結部を駆動側から見た分解斜視図
【図６７】本発明の第６の実施例に係る、駆動連結部を非駆動側から見た分解斜視図
【図６８】本発明の第６の実施例に係る、解除部材および周辺部品の斜視図
【図６９】本発明の第６の実施例に係る、駆動連結部の斜視図
【図７０】本発明の第６の実施例に係る、解除カムと現像カバー部材の斜視図
【図７１】本発明の第６の実施例に係る、プロセスカートリッジの分解斜視図
【図７２】本発明の第６の実施例に係る、駆動連結部の断面図
【図７３】本発明の第６の実施例に係る、駆動連結部の模式図および斜視図
【図７４】本発明の第６の実施例に係る、駆動連結部の模式図および斜視図
【図７５】本発明の第６の実施例に係る、駆動連結部の模式図および斜視図
【図７６】本発明の第６の実施例に係る、現像カートリッジの斜視図
【図７７】本発明の第６の実施例に係る、現像カートリッジの駆動連結部の分解斜視図
【図７８】本発明の第７の実施例に係る、駆動連結部を駆動側から見た分解斜視図
【図７９】本発明の第７の実施例に係る、駆動連結部を非駆動側から見た分解斜視図
【図８０】本発明の第７の実施例に係る、プロセスカートリッジの分解斜視図
【図８１】本発明の第７の実施例に係る、プロセスカートリッジの分解斜視図
【図８２】本発明の第７の実施例に係る、解除部材および周辺部品の斜視図
【図８３】本発明の第７の実施例に係る、駆動連結部の斜視図
【図８４】本発明の第７の実施例に係る、駆動連結部の断面図
【図８５】本発明の第７の実施例に係る、駆動連結部の模式図および斜視図
【図８６】本発明の第７の実施例に係る、駆動連結部の模式図および斜視図
【図８７】本発明の第７の実施例に係る、駆動連結部の模式図および斜視図
【図８８】本発明の第８の実施例に係る、プロセスカートリッジの駆動連結部を駆動側から見た分解斜視図
【図８９】本発明の第８の実施例に係る、プロセスカートリッジの駆動連結部を非駆動側から見た分解斜視図
【図９０】本発明の第８の実施例に係る、プロセスカートリッジの分解斜視図
【図９１】本発明の第８の実施例に係る、プロセスカートリッジの分解斜視図
【図９２】本発明の第８の実施例に係る、第一、第二カップリング部材の斜視図
【図９３】本発明の第８の実施例に係る、駆動連結部の断面図
【図９４】本発明の第８の実施例に係る、解除部材および周辺部品の斜視図
【図９５】本発明の第８の実施例に係る、駆動連結部の斜視図
【図９６】本発明の第８の実施例に係る、プロセスカートリッジの分解斜視図
【図９７】本発明の第８の実施例に係る、駆動連結部の模式図および斜視図
【図９８】本発明の第８の実施例に係る、駆動連結部の模式図および斜視図
【図９９】本発明の第８の実施例に係る、駆動連結部の模式図および斜視図
【図１００】本発明の第８の実施例に係る、解除カム、解除レバー、下流側駆動伝達部材、上流側駆動伝達部材の軸線方向の位置関係を示した模式図
【図１０１】本発明の第８の実施例に係る、解除カム、解除レバー、現像カバー部材の分解図
【図１０２】本発明の第９の実施例に係る、駆動連結部の断面図
【発明を実施するための形態】
【００２１】
〔実施例１〕
［電子写真画像形成装置の一般的な説明］
以下、本発明の第１の実施例について図を用いて説明する。
【００２２】
なお、以下の実施形態では画像形成装置として、４個のプロセスカートリッジが着脱可能なフルカラー画像形成装置を例示している。
【００２３】
なお、画像形成装置に装着するプロセスカートリッジの個数はこれに限定されるものではない。必要に応じて適宜設定されるものである。
【００２４】
例えば、モノクロの画像を形成する画像形成装置の場合には、前記画像形成装置に装着されるプロセスカートリッジの個数は１個である。また、以下説明する実施形態では、画像形成装置の一例としてプリンタを例示している。
【００２５】
［画像形成装置の概略構成］
図２は本実施例の画像形成装置の断面概略図である。また、図３（ａ）は本実施例の画像形成装置の斜視図である。また、図４は本実施例のプロセスカートリッジＰの断面図である。また、図５は本実施例のプロセスカートリッジＰを駆動側からみた斜視図であり、図６は本実施例のプロセスカートリッジＰを非駆動側からみた斜視図である。
【００２６】
図２に示すように、この画像形成装置１は、電子写真画像形成プロセスを用いた４色フルカラーレーザプリンタであり、記録媒体Ｓにカラー画像形成を行う。画像形成装置１はプロセスカートリッジ方式であり、プロセスカートリッジを電子写真画像形成装置本体２に取り外し可能に装着して、記録媒体Ｓにカラー画像を形成するものである。
【００２７】
ここで、画像形成装置１に関して、前ドア３を設けた側を正面（前面）、正面と反対側の面を背面（後面）とする。また、画像形成装置１を正面から見て右側を駆動側、左側を非駆動側と称す。図２は画像形成装置１を非駆動側から見た断面図であり、紙面手前が画像形成装置１の非駆動側、紙面右側が画像形成装置１の正面、紙面奥側が画像形成装置１の駆動側となる。
【００２８】
画像形成装置本体２には第１のプロセスカートリッジＰＹ（イエロー）、第２のプロセスカートリッジＰＭ（マゼンタ）、第３のプロセスカートリッジＰＣ（シアン）、第４のプロセスカートリッジＰＫ（ブラック）の４つのプロセスカートリッジＰ（ＰＹ・ＰＭ・ＰＣ・ＰＫ）が水平方向に配置されている。
【００２９】
第１〜第４の各プロセスカートリッジＰ（ＰＹ・ＰＭ・ＰＣ・ＰＫ）は、それぞれ同様の電子写真画像形成プロセス機構を有しており、現像剤の色が各々異なる。第１〜第４のプロセスカートリッジＰ（ＰＹ・ＰＭ・ＰＣ・ＰＫ）には画像形成装置本体２の駆動出力部から回転駆動力が伝達される。詳細は後述する。
【００３０】
また、第１〜第４の各プロセスカートリッジＰ（ＰＹ・ＰＭ・ＰＣ・ＰＫ）には画像形成装置本体２からバイアス電圧（帯電バイアス、現像バイアス等）が供給される（不図示）。
【００３１】
図４に示すように、本実施例の第１〜第４の各プロセスカートリッジＰ（ＰＹ・ＰＭ・ＰＣ・ＰＫ）は、感光体ドラム４と、このドラム４に作用するプロセス手段としての帯電手段及びクリーニング手段を備えた感光体ドラムユニット８を有する。
【００３２】
また、第１〜第４の各プロセスカートリッジＰ（ＰＹ・ＰＭ・ＰＣ・ＰＫ）は、ドラム４上の静電潜像を現像する現像手段を備えた現像ユニット９を有する。
【００３３】
第１のプロセスカートリッジＰＹは、現像枠体２９内にイエロー（Ｙ）の現像剤を収容しており、ドラム４の表面にイエロー色の現像剤像を形成する。
【００３４】
第２のプロセスカートリッジＰＭは、現像枠体２９内にマゼンタ（Ｍ）の現像剤を収容してあり、ドラム４の表面にマゼンタ色の現像剤像を形成する。
【００３５】
第３のプロセスカートリッジＰＣは、現像枠体２９内にシアン（Ｃ）の現像剤を収容してあり、ドラム４の表面にシアン色の現像剤像を形成する。
【００３６】
第４のプロセスカートリッジＰＫは、現像枠体２９内にブラック（Ｋ）の現像剤を収容しており、ドラム４の表面にブラック色の現像剤像を形成する。
【００３７】
第１〜第４のプロセスカートリッジＰ（ＰＹ・ＰＭ・ＰＣ・ＰＫ）の上方には、露光手段としてのレーザスキャナユニットＬＢが設けられている。このレーザスキャナユニットＬＢは、画像情報に対応してレーザ光Ｚを出力する。そして、レーザ光Ｚは、カートリッジＰの露光窓部１０を通過してドラム４の表面を走査露光する。
【００３８】
第１〜第４のカートリッジＰ（ＰＹ・ＰＭ・ＰＣ・ＰＫ）の下方には、転写部材としての中間転写ベルトユニット１１を設けている。この中間転写ベルトユニット１１は、駆動ローラ１３・テンションローラ１４、１５を有し、可撓性を有する転写ベルト１２を掛け渡している。
【００３９】
第１〜第４の各カートリッジＰ（ＰＹ・ＰＭ・ＰＣ・ＰＫ）のドラム４は、その下面が転写ベルト１２の上面に接している。その接触部が一次転写部である。転写ベルト１２の内側には、ドラム４に対向させて１次転写ローラ１６を設けている。
【００４０】
また、２次転写ローラ１７が、テンションローラ１４と対向する位置に、転写ベルト１２を介して配置されている。転写ベルト１２と２次転写ローラ１７の接触部が２次転写部である。
【００４１】
中間転写ベルトユニット１１の下方には、給送ユニット１８を設けている。この給送ユニット１８は、記録媒体Ｓを積載して収容した給紙トレイ１９、給紙ローラ２０を有する。
【００４２】
図２における装置本体２内の左上方には、定着ユニット２１と、排出ユニット２２を設けている。装置本体２の上面は排出トレイ２３としている。
【００４３】
現像剤像を転写された記録媒体Ｓは、定着ユニット２１に設けられた定着手段により定着された後に、排出トレイ２３へ排出される。
【００４４】
カートリッジＰは、引き出し可能なカートリッジトレイ６０を介して、装置本体２に対して着脱可能な構成となっている。図３（ａ）は、装置本体２からカートリッジトレイ６０、および、カートリッジＰを引き出した状態を示している。
【００４５】
［画像形成動作］
フルカラー画像を形成するための動作は次のとおりである。
【００４６】
第１〜第４の各カートリッジＰ（ＰＹ・ＰＭ・ＰＣ・ＰＫ）のドラム４が所定の速度で回転駆動される（図４矢印Ｄ方向、図２において反時計回り）。
【００４７】
転写ベルト１２もドラムの回転に順方向（図２矢印Ｃ方向）にドラム４の速度に対応した速度で回転駆動される。
【００４８】
レーザスキャナユニットＬＢも駆動される。スキャナユニットＬＢの駆動に同期して、帯電ローラ５によってドラム４の表面が所定の極性・電位に一様に帯電される。レーザスキャナユニットＬＢは各ドラム４の表面を各色の画像信号に応じてレーザ光Ｚで走査露光する。
【００４９】
これにより、各ドラム４の表面に対応色の画像信号に応じた静電潜像が形成される。この静電潜像は、所定の速度で回転駆動（図４矢印Ｅ方向、図２において時計回り）される現像ローラ６により現像される。
【００５０】
このような電子写真画像形成プロセスにより、第１のカートリッジＰＹのドラム４にはフルカラー画像のイエロー成分に対応するイエロー色の現像剤像が形成される。そして、その現像剤像が転写ベルト１２上に一次転写される。
【００５１】
同様に第２のカートリッジＰＭのドラム４にはフルカラー画像のマゼンタ成分に対応するマゼンタ色現像剤像が形成される。そして、その現像剤像が、転写ベルト１２上にすでに転写されているイエロー色の現像剤像に重畳されて一次転写される。
【００５２】
同様に第３のカートリッジＰＣのドラム４にはフルカラー画像のシアン成分に対応するシアン色現像剤像が形成される。そして、その現像剤像が、転写ベルト１２上にすでに転写されているイエロー色、マゼンタ色の現像剤像に重畳されて一次転写される。
【００５３】
同様に第４のカートリッジＰＫのドラム４にはフルカラー画像のブラック成分に対応するブラック色現像剤像が形成される。そして、その現像剤像が、転写ベルト１２上にすでに転写されているイエロー色、マゼンタ色、シアン色の現像剤像に重畳されて１次転写される。
【００５４】
このようにして、転写ベルト１２上にイエロー色、マゼンタ色、シアン色、ブラック色の４色フルカラーの未定着現像剤像が形成される。
【００５５】
一方、所定の制御タイミングで記録媒体Ｓが１枚ずつ分離されて給送される。その記録媒体Ｓは、所定の制御タイミングで２次転写ローラ１７と転写ベルト１２との接触部である２次転写部に導入される。
【００５６】
これにより、記録媒体Ｓが前記２次転写部へ搬送されていく過程で、転写ベルト１２上の４色重畳の現像剤像が記録媒体Ｓの面に順次に一括転写される。
【００５７】
［プロセスカートリッジの全体構成］
本実施例において、第１から第４のカートリッジＰ（ＰＹ・ＰＭ・ＰＣ・ＰＫ）は、同様の電子写真画像形成プロセス機構を有し、収容されている現像剤の色や現像剤の充填量が各々異なるものである。
【００５８】
カートリッジＰは、感光体としてのドラム４と、ドラム４に作用するプロセス手段を備えている。ここで、プロセス手段はドラム４を帯電させる帯電手段としての帯電ローラ５、ドラム４に形成された潜像を現像する現像手段としての現像ローラ６、ドラム４の表面に残留する残留現像剤を除去するためのクリーニング手段としてのクリーニングブレード７等がある。そして、カートリッジＰは、ドラムユニット８と現像ユニット９とに分かれている。
【００５９】
［ドラムユニットの構成］
図４、図５、図６に示すように、ドラムユニット８は、感光体としてのドラム４、帯電ローラ５、クリーニングブレード７、感光体枠体としてのクリーニング容器２６、廃現像剤収納部２７、カートリッジカバー部材（図５、図６における駆動側カートリッジカバー部材２４と非駆動側カートリッジカバー部材２５）で構成される。尚、広義の感光体枠体には、狭義の感光体枠体であるクリーニング容器２６の他、廃現像剤収納部２７、駆動側カートリッジカバー部材２４、非駆動側カートリッジカバー部材２５も含まれる（以下の実施例においても同様である）。なお、カートリッジＰが装置本体２に装着された際には、感光体枠体は装置本体２に固定される。
【００６０】
ドラム４は、カートリッジＰの長手両端に設けられたカートリッジカバー部材２４、２５により回転自在に支持されている。ここで、ドラム４の軸線方向を長手方向と定義する。
【００６１】
カートリッジカバー部材２４、２５は、クリーニング容器２６の長手方向の両端側で、クリーニング容器２６に固定されている。
【００６２】
また、図５に示すように、ドラム４の長手方向の一端側には、ドラム４に駆動力を伝達するためのカップリング部材４ａが設けられている。図３（ｂ）は、装置本体２の斜視図であり、カートリッジトレイ６０、および、カートリッジＰを不図示としている。カートリッジＰ（ＰＹ・ＰＭ・ＰＣ・ＰＫ）のそれぞれのカップリング部材４ａは、図３（ｂ）に示す装置本体２の本体側駆動伝達部材としてのドラム駆動出力部材６１（６１Ｙ・６１Ｍ・６１Ｃ・６１Ｋ）と係合し、装置本体の駆動モータ（不図示）の駆動力がドラム４に伝達される。
【００６３】
帯電ローラ５は、ドラム４に対し接触して従動回転できるように、クリーニング容器２６に支持されている。
【００６４】
また、クリーニングブレード７は、ドラム４の周表面に所定の圧力で接触するように、クリーニング容器２６に支持されている。
【００６５】
クリーニング手段７によりドラム４の周面から除去された転写残現像剤は、クリーニング容器２６内の廃現像剤収納部２７に収納される。
【００６６】
また、駆動側カートリッジカバー部材２４、非駆動側カートリッジカバー部材２５には、現像ユニット９を回動可能に支持するための支持部２４ａ、２５ａが設けられている（図６参照）。
【００６７】
［現像ユニットの構成］
現像ユニット９は、図１、図８に示すように、現像ローラ６、現像ブレード３１、現像枠体２９、軸受部材４５、現像カバー部材３２などで構成されている。ここで、広義の現像枠体には、現像枠体２９の他、軸受部材４５および現像カバー部材３２等が含まれる（以下の実施例においても同様である）。なお、カートリッジＰが装置本体２に装着された際には、現像枠体２９は装置本体２に対し移動可能である。
【００６８】
また、広義のカートリッジ枠体には、前述した広義の感光体枠体および広義の現像枠体が含まれる（以下の実施例に関しても同様である）。
【００６９】
現像枠体２９は、現像ローラ６に供給する現像剤を収納する現像剤収納部４９、及び、現像ローラ６周面の現像剤の層厚を規制する現像ブレード３１を有する。
【００７０】
また、図１に示すように、軸受部材４５は、現像枠体２９の長手方向一端側に固定されている。この軸受部材４５は、現像ローラ６を回転可能に支持している。現像ローラ６は、その長手端部に現像ローラギア６９を有する。軸受部材４５は、現像ローラギア６９へ駆動力を伝達するための現像アイドラギア３６も回転可能に支持している。詳細は後述する。
【００７１】
そして現像カバー部材３２が、カートリッジＰの長手方向において、軸受部材４５の外側に固定されている。この現像カバー部材３２は、現像ローラギア６９や現像アイドラギア３６などを覆うように構成されている。
【００７２】
［ドラムユニットと現像ユニットの組立］
図５、図６に、現像ユニット９とドラムユニット８とを組み付ける様子を示す。カートリッジＰの長手一端側では、駆動側カートリッジカバー部材２４の支持部２４ａに現像カバー部材３２の円筒部３２ｂの外径部３２ａを回動可能に嵌合させる。また、カートリッジＰの長手他端側では、非駆動側カートリッジカバー部材２５の支持穴部２５ａに、現像枠体２９から突出して設けられた突出部２９ｂを回動可能に嵌合させる。これにより、現像ユニット９は、ドラムユニット８に対して回動可能に支持される。ここで、現像ユニット９のドラムユニットに対する回動中心（回動軸線）を、回動中心（回動軸線）Ｘと称す。この回動中心Ｘは、支持穴部２４ａの中心と支持穴部２５ａの中心とを結んだ軸線である。
【００７３】
［現像ローラとドラムの接触］
図４、図５、図６に示すように、現像ユニット９は、付勢部材としての弾性部材である加圧バネ９５により付勢され、回動中心Ｘを中心にして、現像ローラ６がドラム４に接触するように構成されている。即ち、加圧バネ９５の付勢力によって、現像ユニット９は図４中の矢印Ｇ方向に押圧され、回動中心Ｘを中心に、矢印Ｈ方向のモーメントが作用する構成となっている。
【００７４】
これにより、現像ローラ６がドラム４に対し所定圧で接触できる。また、このときのドラムユニット８に対する現像ユニット９の位置を接触位置とする。また、加圧バネ９５の付勢力に抗して、現像ユニット９を矢印Ｇ方向と逆方向に移動させると、現像ローラ６がドラム４から離間できる。即ち、現像ローラ６はドラム４に対し接離可能に構成されている。
【００７５】
［現像ローラとドラムの離間］
図７はカートリッジＰを駆動側から見た側面図である。この図においては、説明のために、一部の部品を不図示としている。カートリッジＰが装置本体２に装着されているときは、ドラムユニット８は装置本体２に位置決めされている。
【００７６】
本実施例では、力受け部４５ａが軸受部材４５に設けられている。尚、力受け部４５ａは、軸受部材４５に限らず、カートリッジＰのいずれかの箇所（例えば、現像枠体等）に設けられていれば良い。付勢力受け部としての力受け部４５ａは、装置本体２に設けられた本体側付勢部材（離間力付勢部材）としての本体離間部材８０と係合可能な構成となっている。
【００７７】
この本体側付勢部材（離間力付勢部材）としての本体離間部材８０は、不図示のモータからの駆動力を受け、レール８１に沿って矢印Ｆ１、Ｆ２方向に移動可能な構成となっている。
【００７８】
図７（ａ）は、ドラム４と現像ローラ６とが互いに接触した状態を示している。このとき、力受け部４５ａと本体離間部材８０とは隙間ｄを有して離間している。
【００７９】
図７（ｂ）は、図７（ａ）の状態を基準として、本体離間部材８０が矢印Ｆ１方向へ距離δ１だけ移動した状態を示している。このとき、力受け部４５ａは本体離間部材８０と係合している。前述の通り、現像ユニット９はドラムユニット８に対して回動可能な構成となっており、図７（ｂ）においては、現像ユニット９は、回動中心Ｘを中心として矢印Ｋ方向に角度θ１だけ回動した状態となっている。このとき、ドラム４と現像ローラ６とは互いに距離ε１だけ離間した状態となっている。
【００８０】
図７（ｃ）は、図７（ａ）の状態を基準として、本体離間部材８０が矢印Ｆ１方向にδ２（＞δ１）だけ移動した状態を示している。現像ユニット９は、回動中心Ｘを中心として、矢印Ｋ方向に角度θ２だけ回動した状態となっている。このとき、ドラム４と現像ローラ６とは互いに距離ε２だけ離間した状態となっている。
【００８１】
尚、本実施例（以下の実施例においても同様である）において、力受け部４５ａとドラム４の回転中心との距離は１３ｍｍ〜３３ｍｍの範囲にある。
【００８２】
また、本実施例（以下の実施例においても同様である）において、力受け部４５ａと回動中心Ｘとの距離は、２７ｍｍ〜３２ｍｍの範囲にある。
【００８３】
［駆動連結部の構成］
図１、図８、図９を用いて駆動連結部の構成について説明する。ここで、駆動連結部とは、装置本体２のドラム駆動出力部材６１から駆動を入力され、現像ローラ６へ駆動を伝達、および、遮断する機構である。
【００８４】
まず、概略について説明する。
【００８５】
図９は、プロセスカートリッジＰを駆動側から見た斜視図であり、駆動側カートリッジカバー部材２４、および、現像カバー部材３２を取り外した状態を示している。駆動側カートリッジカバー部材２４には開口２４ｄが設けられている。そして、開口２４ｄからは、感光体ドラム４の端部に設けられたカップリング部材４ａが露出する構成となっている。前述の通り、カップリング部材４ａは、図３（ｂ）に示す装置本体２のドラム駆動出力部材６１（６１Ｙ・６１Ｍ・６１Ｃ・６１Ｋ）と係合し、装置本体の駆動モータ（不図示）の駆動力を受ける構成となっている。
【００８６】
また、感光体としてのドラム４の端部には、カップリング４ａと一体にドラムギア４ｂが設けられている。また、ドラムユニット８の端部には、第一駆動伝達部材としての上流側駆動伝達部材３７、第二駆動伝達部材としての下流側駆動伝達部材３８が回転可能に設けられている。上流側駆動伝達部材３７のギア部３７ｇはドラムギア４ｂと噛み合っている。また、詳細は後述するが、上流側駆動伝達部材３７と下流側駆動伝達部材３８は互いの爪部で係合したときに、上流側駆動伝達部材３７から下流側駆動伝達部材３８へ駆動を伝達することができる構成になっている。さらに、第二駆動伝達部材としての下流側駆動伝達部材３８のギア部３８ｇは、第三駆動伝達部材としての現像アイドラギア３６のギア部３６ｇと係合している。また、現像アイドラギア３６のギア部は現像ローラギア６９とも係合している。これにより、下流側駆動伝達部材３８に伝達された駆動は、現像アイドラギア３６、現像ローラギア６９を介して、現像ローラ６へ伝達される構成となっている。
【００８７】
図１０を用いて、上流側駆動伝達部材３７と下流側駆動伝達部材３８の構成を説明する。上流側駆動伝達部材３７は係合部（カップリング部）としての爪部３７ａを有し、下流側駆動伝達部材３８は係合部（カップリング部）としての爪部３８ａを有する。爪部３７ａと爪部３８ａは互いに係合可能に構成されている。すなわち、上流側駆動伝達部材３７は、下流側駆動伝達部材３８と連結可能に構成されている。本実施例においては、爪部３７ａと爪部３８ａはそれぞれ６個の爪を有する。なお、本実施例においては、爪部３７ａ、および、爪部３８ａはそれぞれ６個の場合を示しているが、数はこの限りではない。例えば、図１１には、上流側駆動伝達部材１０３７の爪部１０３７ａ、および、爪部１０３８ａの数がそれぞれ９個の場合を示している。爪の数が多い程、１つの爪に作用する負荷は小さくなり、爪の変形や摩耗を低減することができる。一方で、カップリングの外径を一定とした場合、爪の数を多くすると、爪の形状が小さくなる場合があり、爪の剛性が低下する等の懸念がある。爪の数は、１つの爪に作用する負荷や必要な剛性を鑑みて適宜決定することが望ましい。
【００８８】
また、図１０に示すように、下流側駆動伝達部材３８の中央には穴部３８ｍが設けられている。この穴部３８ｍは、上流側駆動伝達部材３７の小径の円筒部３７ｍと係合する。言い換えると、円筒部３７ｍは穴部３８ｍを貫通している。これによって、上流側駆動伝達部材３７は、下流側駆動伝達部材３８に対して回転可能かつそれぞれの軸線に沿ってスライド可能に支持されている。
【００８９】
図１３には、上流側駆動伝達部材３７と下流側駆動伝達部材３８との位置決め構成がそれぞれ異なるものを示している。図１３（ａ）は、図１０で示したような下流側駆動伝達部材３８の穴部３８ｍと上流側駆動伝達部材３７の小径の円筒部３７ｍとが直接係合することで両者の位置決めを行っている構成である。一方、図１３（ｃ）は、別部材であるシャフト４４を介して、上流側駆動伝達部材１２３７と下流側駆動伝達部材１２３８が位置決めされる構成である。具体的には、上流側駆動伝達部材１２３７の穴部１２３８ｍとシャフト４４の外周部４４ｄ、および、上流側駆動伝達部材１０３７の穴部１０３７ｓとシャフト４４の外周部４４ｄがそれぞれ回転可能かつそれぞれの軸線に沿ってスライド可能に支持されている。これにより、上流側駆動伝達部材１０３７に対する下流側駆動伝達部材１０３８の位置決めが行われている。図１３（ｃ）に示す構成の場合、図１３（ａ）に示す構成と比較して、上流側駆動伝達部材１０３７と下流側駆動伝達部材１０３８とを位置決めするための部品点数が多い。
【００９０】
図１３（ｂ）は、図１３（ａ）に示す上流側駆動伝達部材３７と下流側駆動伝達部材３８とが駆動解除状態から駆動伝達状態へ遷移できなかった状態を、説明するために示している。駆動伝達・解除動作については詳細は後述する。下流側駆動伝達部材３８の穴部３８ｍと上流側駆動伝達部材３７の小径の円筒部３７ｍとの間には嵌合ガタ（遊び）が生じる。図においては、説明のために嵌合ガタ（遊び）を意図的に大きく示している。上流側駆動伝達部材３７と下流側駆動伝達部材３８とが係合する際には、前述の嵌合ガタにより二部品が相対的に芯ズレした状態で係合できない場合がある（図１３（ｂ））。
【００９１】
同様に、図１３（ｄ）は、図１３（ｃ）に示す第一駆動伝達部材としての上流側駆動伝達部材１０３７と第二駆動伝達部材としての下流側駆動伝達部材１０３８とが駆動解除状態から駆動伝達状態へ遷移できなかった状態を、説明するために示している。部品点数、および、その寸法誤差の影響により、図に示すように、上流側駆動伝達部材１０３７と下流側駆動伝達部材１０３８とは相対的に芯ズレした状態となる。このときの相対的な芯ズレ量は図１３（ｂ）に示す構成よりも大きい。駆動解除状態から駆動伝達状態へ遷移する際に、上流側駆動伝達部材１０３７と下流側駆動伝達部材１０３８とが相対的に芯ズレした状態でそれぞれのカップリングの爪部１０３７ａと爪部１０３８ａとを係合させると、図１３（ｂ）、または、図１３（ｄ）に示したように、カップリングの爪部１０３７ａと爪部１０３８ａとがそれぞれの先端部のみが接触した状態となりやすい。回転精度の悪化を抑制するためには、上流側駆動伝達部材１０３７と下流側駆動伝達部材１０３８との芯ズレを極力抑制することが望ましい。すなわち、上流側駆動伝達部材３７と下流側駆動伝達部材３８とは互いに直接位置決めする構成（図１０、および、図１３（ａ）に示す構成）が望ましい。また、部品点数削減、および、組立工数削減等の効果もある。
【００９２】
図１４（ａ）は、上流側駆動伝達部材３７と下流側駆動伝達部材３８の結合状態（カップリング状態）を示した断面図を示している。下流側駆動伝達部材３８の内周面３８ｐはクリーニング容器２６の円筒部２６ａで回転可能かつそれぞれの軸線に沿ってスライド可能に支持されている。また、下流側駆動伝達部材３８とクリーニング容器２６との間には、下流側駆動伝達部材３８を矢印Ｍ方向に押圧するように、付勢部材としての弾性部材であるバネ３９が設けられている。
【００９３】
尚、図１４（ａ）の状態において、現像ローラ６の回転軸線と平行な仮想線に解除カム７２と上流側駆動伝達部材３７とを投影させた場合、解除カム７２の少なくとも一部の領域と上流側駆動伝達部材３７の少なくとも一部の領域とが互いに重なるように構成されている。より詳細に述べると、前述のように投影させた場合、解除カム７２の領域は上流側駆動伝達部材３７の領域内に位置する。このような構成によって、駆動解除機構の小型化が図られている。
【００９４】
また、図１４（ａ）の状態において、現像ローラ６の回転軸線と平行な仮想線に解除カム７２と下流側駆動伝達部材３８とを投影させた場合、解除カム７２の少なくとも一部の領域と下流側駆動伝達部材３８の少なくとも一部の領域とが互いに重なるように構成されている。
【００９５】
また、図１４（ｂ）に示すように、下流側駆動伝達部材３８は、バネ３９の押圧力に抗して矢印Ｎ方向へ移動可能な構成になっている。この状態では、前述の上流側駆動伝達部材３７と下流側駆動伝達部材３８とのカップリング状態（回転力伝達が可能な状態）は解除されている。なお、この状態でも、上流側駆動伝達部材３７と下流側駆動伝達部材３８とが同軸となるように（互いの回転軸線が一致するように）、円筒部３７ｍ  と穴部３８ｍとが直接係合している。
【００９６】
前述したように、下流側駆動伝達部材３８のギア部３８ｇは、第三駆動伝達部材としての現像アイドラギア３６のギア部３６ｇと噛み合っている。すなわち、下流側駆動伝達部材３８のギア部３８ｇは、現像アイドラギア３６のギア部３６ｇと噛み合いながら、矢印Ｍ、および、Ｎ方向に移動可能な構成となっている。下流側駆動伝達部材３８が矢印Ｍ、および、Ｎ方向に移動しやすくするために、下流側駆動伝達部材３８、および、それに噛み合う現像アイドラギア３６のギア部３６ｇはハスバギアよりも平歯ギアが望ましい。
【００９７】
尚、図１４（ｂ）の状態において、現像ローラ６の回転軸線と平行な仮想線に上流側駆動伝達部材３７と下流側駆動伝達部材３８とを投影させた場合、上流側駆動伝達部材３７の少なくとも一部の領域と下流側駆動伝達部材３８の少なくとも一部の領域とが互いに重なるように構成されている。より詳細に述べると、前述のように投影させた場合、下流側駆動伝達部材３８の領域は上流側駆動伝達部材３７の領域内に位置する。このような構成によって、駆動解除機構の小型化が図られている。
【００９８】
上流側駆動伝達部材３７、および、下流側駆動伝達部材３８の回転軸線を軸線Ｙとする。ここで、図１４（ａ）に示すように、爪部３７ａと爪部３８ａとが互いに接触する接触部３７ｎと接触部３８ｎは、軸線Ｙに対して角度γだけ傾斜して配置されている。
【００９９】
すなわち、下流側駆動伝達部材３８の接触部３８ｎは、軸線Ｙと平行方向において、上流側駆動伝達部材３７の少なくとも一部と重なっている。言い換えると、接触部３８ｎは下流側駆動伝達部材３８の一部をオーバーハングし、接触部３７ｎは上流側駆動伝達部材３７の一部をオーバーハングしている。更に言い換えると、接触部３８ｎは、下流側駆動伝達部材３８の回転軸線に対して直交する仮想面をオーバーハングし、接触部３７ｎは、上流側駆動伝達部材３７の回転軸線に対して直交する仮想面をオーバーハングしている。これにより、駆動伝達時には、爪部３８ａと爪部３７ａとが互いに軸線Ｙ方向に対して引き込み合う構成となっている。
【０１００】
駆動伝達時には、上流側駆動伝達部材３７から下流側駆動伝達部材３８へ駆動が伝達される構成となっている。上流側駆動伝達部材３７と下流側駆動伝達部材３８とには、前述の互いに引き込み合う引き込み力と、バネ３９の押圧力とが作用している。この合力によって、駆動伝達時に上流側駆動伝達部材３７と下流側駆動伝達部材３８とが結合している。ここで、接触部３７ｎと接触部３８ｎの軸線Ｙに対しての傾斜角度γは約１°から約３．５°が望ましい。駆動伝達・解除動作については詳細は後述するが、駆動連結・解除動作中に、接触部３７ｎと接触部３８ｎとが摺擦して摩耗することが考えられる。また、駆動伝達時に爪が変形することが考えられる。このように、接触部３７ｎと接触部３８ｎとが常に引き込み合う構成とすることで、仮に接触部３７ｎと接触部３８ｎの摩耗や変形が生じても、上流側駆動伝達部材３７と下流側駆動伝達部材３８とを確実に結合させ、その駆動伝達を安定的に行うことができる。接触部３７ｎと接触部３８ｎの摩耗や変形によって、上流側駆動伝達部材３７と下流側駆動伝達部材３８が互いに離反する場合には、前述のバネ３９の押圧力を上げることで、上流側駆動伝達部材３７と下流側駆動伝達部材３８とを結合することもできる。しかし、この場合、後述する駆動解除時に、バネ３９の押圧力に反して下流側駆動伝達部材３８を上流側駆動伝達部材３７から退避させる際に必要な力が大きくなってしまう。また、接触部３７ｎと接触部３８ｎの軸線Ｙに対しての傾斜角度を上げ過ぎると、駆動伝達時の引き込み力が大きくなり、安定した駆動伝達ができる一方で、駆動解除時に上流側駆動伝達部材３７と下流側駆動伝達部材３８とを引き離す力が大きくなってしまう。。
【０１０１】
なお、各爪の数は１個でも可であるが、その場合には、駆動伝達時に爪部に作用する力によって、下流側駆動伝達部材３８や上流側駆動伝達部材３７が軸線Ｙに対して軸倒れする恐れがある。この軸倒れの発生によって駆動伝達性能（回転変動や伝達効率）の悪化が懸念される。このような軸倒れを抑制するために、下流側駆動伝達部材３８や上流側駆動伝達部材３７を回動可能に支持している支持部を補強することが望ましいが、各爪の数が複数で、且つ、軸線Ｙを中心として円周方向に等間隔に配置することが更に望ましい。すなわち、各爪の数が複数で、且つ、軸線Ｙを中心として円周方向に等間隔に配置した場合、爪部に作用する力の合力は下流側駆動伝達部材３８や上流側駆動伝達部材３７を軸線Ｙを中心に回転させるモーメントとして作用する。そのため、下流側駆動伝達部材３８や上流側駆動伝達部材３７の軸線Ｙに対しての軸倒れを抑制することができる。一方、爪の数が多い程、１つの爪の形状が小さくなり、爪の剛性が低下して破損する恐れがある。従って、接触部３７ｎと接触部３８ｎとが常に引き込み合う構成とする場合は、本実施例においては、爪部３７ａ、および、爪部３８ａの数は実質的にはそれぞれ２個から９個までが望ましい。
【０１０２】
なお、上述の説明では、接触部３７ｎと接触部３８ｎとは常に引き込み合う構成の場合であったが、必ずしもこの限りではない。即ち、接触部３８ｎは、下流側駆動伝達部材３８の回転軸線に対して直交する仮想面をオーバーハングせず、また、接触部３７ｎは、上流側駆動伝達部材３７の回転軸線に対して直交する仮想面をオーバーハングしない構成でもよい。この場合は、上流側駆動伝達部材３７と下流側駆動伝達部材３８が互いに離反する構成となる。しかしながら、バネ３９の押圧力を適宜調整することで、上流側駆動伝達部材３７と下流側駆動伝達部材３８とを係合させることができる。しかしながら、安定した駆動伝達の観点からは、上述のように互いに引き込む構成の方がより好ましい。
【０１０３】
また、接触部３７ｎと接触部３８ｎの形状は爪形状に限らない。例えば、図１２に示すような上流側駆動伝達部材１１３７と下流側駆動伝達部材１１３８との係合において、接触部１１３７ｎを爪形状とし、接触部１１３８ｎをリブ形状とした構成でもよい。
【０１０４】
次に、駆動解除機構を説明する。図１および図８に示すように、現像アイドラギア３６と現像カバー部材３２との間には、解除機構の一部でありカップリング解除部材としての解除カム７２が設けられている。言い換えると、現像ローラ６の回転軸線と平行な方向において、解除カム７２の少なくとも一部は、現像アイドラギア３６と現像カバー部材３２との間に設けられている。
【０１０５】
図１５は解除カム７２と現像カバー部材３２との係合関係を示した斜視図である。
【０１０６】
解除カム７２は、実質的に楕円形状に構成され、外周面７２ｉを有する。そして、現像カバー部材３２は内周面３２ｉを有する。この内周面３２ｉは外周面７２ｉと係合するように構成されている。これによって、解除カム７２は現像カバー部材３２に対して摺動可能に支持されている。言い換えると、解除カム７２は、現像カバー部材３２に対して、現像ローラ６の回転軸線と実質的に平行に移動可能である。ここで、解除カム７２の外周面７２ｉ、現像カバー部材３２の内周面３２ｉ、および、現像カバー部材３２の外径部３２ａは同軸上に設けられている。即ち、これらの部材の回転軸線は、現像ユニット９のドラムユニット８に対する回動軸線Ｘと同一直線上に位置する。なお、前述の同一直線（同軸）とは、各部品の寸法公差の範囲を含むものであり、また、以降の実施例においても同様である。
【０１０７】
また、現像カバー部材３２は、（第二）ガイド部としてのガイド３２ｈを有し、解除カム７２は、（第二）被ガイド部としてのガイド溝７２ｈを有する。ここで、現像カバー部材３２のガイド３２ｈは、解除カム７２のガイド溝７２ｈと係合する。ここで、ガイド３２ｈとガイド溝７２ｈは、共に回転軸線Ｘと平行に形成されている。このガイド３２ｈとガイド溝７２ｈとが係合していることで、カップリング解除部材としての解除カム７２は現像カバー部材３２に対して、軸線方向（矢印Ｍ、および、Ｎ方向）にのみスライド移動可能な構成となっている。なお、ガイド３２ｈとガイド溝７２は共に、その両側が回転軸線Ｘと平行である必要はなく、互いに接触する片側だけが回転軸線Ｘと平行に形成されていれば良い。
【０１０８】
図１、図８に示すように、軸受部材４５は現像アイドラギア３６を回転可能に支持している。より詳細に述べると、軸受部材４５の第一軸受部４５ｐ（円筒外面）が、現像アイドラギア３６の被軸受部３６ｐ（円筒内面）を回転可能に支持している。
【０１０９】
更に、軸受部材４５は現像ローラ６を回転可能に支持している。より詳細に述べると、軸受部材４５の第二軸受部４５ｑ（円筒内面）が、現像ローラ６の軸部６ａを回転可能に支持している。
【０１１０】
現像カバー部材３２の長手方向外側には、駆動側カートリッジカバー部材２４が設けられている。図１６は、解除カム７２、現像カバー部材３２、および、駆動側カートリッジカバー部材２４の構成を示している。
【０１１１】
カップリング解除部材としての解除カム７２は、装置本体２（本体離間部材８０）が発生させた力を受ける力受け部としての当接部（斜面）７２ａを有する。また、駆動側カートリッジカバー部材２４は、作用部材としての当接部（斜面）２４ｂを有する。さらに、現像カバー部材３２は、開口３２ｊを有する。解除カム７２の当接部７２ａと駆動側カートリッジカバー部材２４の当接部２４ｂとは、現像カバー部材３２の開口３２ｊを通して互いに接触可能に構成されている。
【０１１２】
なお、上述の説明では、解除カム７２の当接部７２ａと駆動側カートリッジカバー部材２４の当接部２４ｂはそれぞれ２個の場合を示しているが、数はこの限りではない。例えば、図１７には、当接部の数がそれぞれ３個の場合を示している。
【０１１３】
当接部の数はそれぞれ１個でも可であるが、その場合には、駆動伝達・解除動作時（詳細は後述する）に当接部に作用する力によって、解除カム７２が軸線Ｘに対して軸倒れする恐れがある。軸倒れの発生によって駆動連結・解除動作のタイミングなどの駆動切替性能の悪化が懸念される。軸倒れを抑制するために、解除カム７２を摺動可能（現像ローラ６の軸線に沿ってスライド可能）に支持している支持部（現像カバー部材３２の内周面３２ｉ）を補強することが望ましい。これに対し、各当接部の数が複数で、且つ、軸線Ｘを中心として円周方向に実質的に等間隔に配置することが望ましい。この場合、当接部に作用する力の合力は解除カム７２を軸線Ｘを中心に回転させるモーメントとして作用する。そのため、解除カム７２の軸線Ｘに対しての軸倒れを抑制することができる。更に、当接部を３つ以上設けると、軸線Ｘに対して解除カム７２を支持する平面を規定することができ、解除カム７２の軸線Ｘに対しての軸倒れを更に抑制することができる。即ち、解除カム７２の姿勢を安定させることができる。
【０１１４】
また、図１、図８に示すように、上流側駆動伝達部材３７と下流側駆動伝達部材３８は、解除カム７２の開口７２ｆを介して係合している。図１４では、上流側駆動伝達部材３７、下流側駆動伝達部材３８、および、解除カム７２の配置を断面図で示している。解除カム７２の開口７２ｆを介して、上流側駆動伝達部材３７と下流側駆動伝達部材３８のそれぞれの爪部３７ａ、３８ａなどが配置されている。
【０１１５】
［駆動解除動作］
以下、現像ローラ６とドラム４とが互いに接触した状態から離間した状態へ変化するときの、駆動連結部の動作について説明する。
【０１１６】
［状態１］
図７（ａ）に示すように、本体離間部材８０と軸受部材４５の力受け部４５ａとは、隙間ｄを有して離間している。このとき、感光体としてのドラム４と現像ローラ６とは互いに接触した状態となっている。この状態を本体離間部材８０の状態１とする。このときの駆動連結部の構成を図１８（ａ）に模式的に示す。また、図１８（ｂ）には、駆動連結部の構成の斜視図を示す。なお、図１８は、説明のために、一部の部品を不図示としている。図１８（ｂ）において、駆動側カートリッジカバー部材２４は当接部２４ｂを含む一部のみを、また、現像カバー部材３２はガイド３２ｈを含む一部のみを表示している。解除カム７２の当接部７２ａと駆動側カートリッジカバー部材２４の当接部２４ｂとの間には隙間ｅがある。また、このとき、上流側駆動伝達部材３７の爪３７ａと下流側駆動伝達部材３８の爪３８ａは互いに係合量ｑを有して係合し、駆動伝達が可能な構成となっている。また、前述のように、下流側駆動伝達部材３８は、第三駆動伝達部材としての現像アイドラギア３６と係合している。そして、この現像アイドラギア３６は現像ローラギア６９と係合している。また、上流側駆動伝達部材３７はドラムギア４ｂと常時係合している。そのため、装置本体２からカップリング４ａに入力された駆動力は、上流側駆動伝達部材３７や下流側駆動伝達部材３８を介して現像ローラギア６９に伝達される。これにより、現像ローラ６が駆動される。各部品の上記状態を接触位置と称し、また、現像接触・駆動伝達状態と称す。
【０１１７】
［状態２］
上記現像接触・駆動伝達状態から、図７（ｂ）に示すように、本体離間部材８０が図中矢印Ｆ１方向へδ１だけ移動すると、前述したように、現像ユニット９が回動中心Ｘを中心として矢印Ｋ方向に角度θ１だけ回動する。その結果、現像ローラ６はドラム４から距離ε１だけ離間する。現像ユニット９内に組み込まれた解除カム７２や現像カバー部材３２は、現像ユニット９の回動と連動して角度θ１だけ矢印Ｋ方向に回動する。一方、カートリッジＰが装置本体２に装着されているときは、ドラムユニット８、および、駆動側カートリッジカバー部材２４、非駆動側カートリッジカバー部材２５は装置本体２に位置決め固定されている。すなわち、図１９（ａ）、図１９（ｂ）に示すように、駆動側カートリッジカバー部材２４の当接部２４ｂは移動しない。図においては、解除カム７２が現像ユニット９の回動に連動して図中矢印Ｋ方向に回転して、解除カム７２の当接部７２ａと駆動側カートリッジカバー部材２４の当接部２４ｂとが互いに接触し始めた状態となっている。このとき、上流側駆動伝達部材３７の爪３７ａと下流側駆動伝達部材３８の爪３８ａとは互いに係合した状態を保っている  （図１９（ａ））。そのため、装置本体２からカップリング４ａへ入力された駆動力は、上流側駆動伝達部材３７や下流側駆動伝達部材３８を介して現像ローラ６へ伝達されている。各部品の上記状態を現像離間・駆動伝達状態と称す。
【０１１８】
［状態３］
上記現像離間・駆動伝達状態から、図７（ｃ）に示すように、本体離間部材８０が図中矢印Ｆ１方向へδ２だけ移動したときの、駆動連結部の構成を図２０（ａ）、図２０（ｂ）に示す。現像ユニット９の角度θ２（＞θ１）の回動と連動して、解除カム７２や現像カバー部材３２が回動する。一方、駆動側カートリッジカバー部材２４は上述と同様に位置変化せず、解除カム７２が図中矢印Ｋ方向に回転移動する。このとき、解除カム７２の当接部７２ａは駆動側カートリッジカバー部材２４の当接部２４ｂから反力を受ける。また、前述のように、解除カム７２は、そのガイド溝７２ｈが現像カバー部材３２のガイド３２ｈと係合して軸線方向（矢印Ｍ、および、Ｎ方向）にのみ移動可能に規制されている（図１５参照）。そのため、結果として、解除カム７２は現像カバー部材に対して矢印Ｎ方向へ移動量ｐだけスライド移動する。また、解除カム７２の矢印Ｎ方向への移動と連動して、解除カム７２の付勢部としての押圧面７２ｃが下流側駆動伝達部材３８の被付勢部としての被押圧面３８ｃを押圧（付勢）する。これにより、下流側駆動伝達部材３８がバネ３９の押圧力に抗して矢印Ｎ方向へ移動量ｐだけスライド移動する（図２０、および、図１４（ｂ）参照）。
【０１１９】
このとき、上流側駆動伝達部材３７の爪３７ａと下流側駆動伝達部材３８の爪３８ａとの係合量ｑよりも移動量ｐが大きいため、爪３７ａおよび爪３８ａの係合が解除される。これによって、上流側駆動伝達部材３７は装置本体２から駆動力（回転力）が入力されているため回転し続ける一方で、下流側駆動伝達部材３８は停止する。結果として、現像ローラギア６９、現像ローラ６の回転が停止する。各部品の上記状態を離間位置と称し、また、現像離間・駆動遮断状態と称す。
【０１２０】
以上、現像ユニット９の矢印Ｋ方向への回動と連動して、現像ローラ６への駆動遮断の動作を説明した。上記構成を採用することにより、現像ローラ６はドラム４に対して、回転しながら離間できる。その結果、現像ローラ６とドラム４との離間距離に応じて現像ローラ６への駆動を遮断することができる。
【０１２１】
［駆動連結動作］
次に、現像ローラ６とドラム４とが互いに離間した状態から接触した状態へ変化するときの、駆動連結部の動作について説明する。この動作は、上述の現像接触状態から現像離間状態への動作の逆である。
【０１２２】
現像離間状態（図７（ｃ）に示すように、現像ユニット９が角度θ２だけ回動した状態）では、駆動連結部は図２０に示すように、上流側駆動伝達部材３７の爪３７ａと下流側駆動伝達部材３８の爪３８ａとの係合が解除された状態となっている。
【０１２３】
上記の状態から、徐々に現像ユニット９を図７に示す矢印Ｈ方向へ回動させ、現像ユニット９が角度θ１だけ回動した状態（図７（ｂ）、及び、図１９に示す状態）では、下流側駆動伝達部材３８がバネ３９の押圧力により矢印Ｍ方向へ移動することで、上流側駆動伝達部材３７の爪３７ａと下流側駆動伝達部材３８の爪３８ａとが互いに係合する。これにより、装置本体２からの駆動力が現像ローラ６に伝達され、現像ローラ６が回転駆動される。なお、このときは、現像ローラ６とドラム４とは互いに離間した状態を保っている。
【０１２４】
さらに上記の状態から、徐々に現像ユニット９を図７に示す矢印Ｈ方向へ回動させていくことで、現像ローラ６とドラム４とを接触させることができる。
【０１２５】
以上、現像ユニット９の矢印Ｈ方向への回動に連動した、現像ローラ６への駆動伝達の動作を説明した。上記構成により、現像ローラ６はドラム４に対して、回転しながら接触し、現像ローラ６とドラム４との離間距離に応じて現像ローラ６へ駆動を伝達することができる。
【０１２６】
以上、説明したように、本構成においては、現像ローラ６への駆動遮断と駆動伝達の切替を現像ユニット９が回動した角度で一義的に決定できる構成となっている。
【０１２７】
なお、上記の説明では、解除カム７２の当接部７２ａと駆動側カートリッジカバー部材２４の当接部２４ｂは互いに面対面で接触する構成としたが、必ずしもこの限りではない。例えば、面と稜線、面と点、稜線と稜線、稜線と点、とが接触する構成でもよい。
【０１２８】
ここで、図２１に、解除カム７２、駆動側カートリッジカバー部材２４、および、現像カバー部材３２のガイド３２ｈの位置関係を模式的に示す。図２１（ａ）は現像接触・駆動伝達状態、また、図２１（ｂ）は現像離間・駆動伝達状態、また、図２１（ｃ）は現像離間・駆動遮断状態のそれぞれの状態を示している。これらは、それぞれ図１８、図１９、図２０に示した状態と同じである。図２１（ｃ）において、解除カム７２と駆動側カートリッジカバー部材２４とは、それぞれ回動軸線Ｘに対して傾斜している当接部７２ａと当接部２４ｂとで当接している。ここで、現像離間・駆動遮断状態のとき、解除カム７２と駆動側カートリッジカバー部材２４は図２１（ｄ）に示す位置関係となってもよい。即ち、図２１（ｃ）で示すようにそれぞれ回動軸線Ｘに対して傾斜している当接部７２ａと当接部２４ｂとで当接した後、更に現像ユニット９を回動させる。これによって、解除カム７２と駆動側カートリッジカバー部材２４は、それぞれ回動軸線Ｘと垂直な平面部７２ｓと平面部２４ｓとで当接した状態となっている。
【０１２９】
ここで、図２１（ａ）に示すように、解除カム７２のガイド溝７２ｈと現像カバー部材３２のガイド３２ｈとの間に隙間ｆが有る場合、図２１（ａ）に示す現像接触・駆動伝達状態から図２１（ｄ）に示す現像離間・駆動遮断状態までの遷移はこれまでと同様である。一方、図２１（ｄ）に示す現像離間・駆動遮断状態から、図２１（ａ）に示す駆動連結状態までの遷移においては、先ず、解除カム７２のガイド溝７２ｈと現像カバー部材３２のガイド３２ｈとの間の隙間ｆがなくなる  （図２１（ｅ））。次に、当接部７２ａと当接部２４ｂとが当接する直前の状態まで遷移する（図２１（ｆ））。次に、当接部７２ａと当接部２４ｂとが当接した状態まで遷移する  （図２１（ｃ））。以降、現像ユニット９が現像離間状態から現像当接状態まで遷移する過程での解除カム７２、および、駆動側カートリッジカバー部材２４の相対位置関係は前述と同じである。
【０１３０】
図２１に示したような、解除カム７２のガイド溝７２ｈと現像カバー部材３２のガイド３２ｈとの間に隙間ｆが有る場合は、現像離間状態から現像当接状態に遷移する過程で、隙間ｆがなくなるまでは解除カム７２は矢印Ｍ方向に移動しない。解除カム７２が矢印Ｍ方向への移動することで、上流側駆動伝達部材３７と下流側駆動伝達部材３８の駆動連結が行われる。即ち、解除カム７２が矢印Ｍ方向へ移動するタイミングと駆動連結されるタイミングは同期している。即ち、駆動連結のタイミングは、解除カム７２のガイド溝７２ｈと現像カバー部材３２のガイド３２ｈとの間の隙間ｆで制御することができる。
【０１３１】
一方、現像ユニット９の現像離間状態を図２０、または、図２１（ｃ）に示すように構成する。即ち、解除カム７２と駆動側カートリッジカバー部材２４とが、それぞれ回動軸線Ｘに対して傾斜している当接部７２ａと当接部２４ｂとで当接した状態を現像離間・駆動遮断状態とする。その場合、解除カム７２が矢印Ｍ方向へ移動するタイミングは、解除カム７２のガイド溝７２ｈと現像カバー部材３２のガイド３２ｈとの間の隙間ｆに依存しない。即ち、駆動連結のタイミングをより高精度に制御することができる。また、解除カム７２の矢印Ｍ、Ｎ方向への移動量を低減でき、プロセスカートリッジの軸線方向のサイズを小さくすることができる。
【０１３２】
ここで、図２２から図２５には、上述の実施例の別形態を示す。上述の実施例においては、駆動切替の際に、第二駆動伝達部材としての下流側駆動伝達部材１３３８が軸線方向の矢印Ｍ、Ｎ方向へ移動する構成であった。以下、図２２から図２５には、駆動切替の際に第一駆動伝達部材としての上流側駆動伝達部材１３３７が軸線方向の矢印Ｍ、Ｎ方向へ移動する構成を示す。図２２、および、図２３は、プロセスカートリッジを駆動側から見た斜視図、および、非駆動側から見た斜視図である。上流側駆動伝達部材１３３７と駆動側カートリッジカバー部材１３２４との間には、上流側駆動伝達部材１３３７を矢印Ｎ方向に押圧するように、バネ１３３９が設けられている。
【０１３３】
図２４は、カップリング解除部材としての解除カム１３７２と、駆動側カートリッジカバー部材１３２４との係合関係を示した斜視図である。駆動側カートリッジカバー部材１３２４は、第二ガイド部としてのガイド１３２４ｋを有し、解除カム１３７２は、第二被ガイド部としての被ガイド１３７２ｋを有する。駆動側カートリッジカバー部材１３２４のガイド１３２４ｋは、解除カム１３７２の被ガイド１３７２ｋと係合する構成となっている。これにより、解除カム１３７２は駆動側カートリッジカバー部材１３２４に対して、軸線方向（矢印Ｍ、および、Ｎ方向）にのみスライド移動可能な構成となっている。
【０１３４】
図２５には、解除カム１３７２、軸受部材１３４５の構成を示している。解除カム１３７２は、力受け部としのて当接部（斜面）１３７２ａを有する。また、軸受部材１３４５は、作用部材としての当接部（斜面）１３４５ｂを有する。解除カム１３７２の当接部１３７２ａと軸受部材１３４５の当接部１３４５ｂとは互いに接触可能に構成されている。
【０１３５】
また、図２２、図２３に示すように、上流側駆動伝達部材１３３７と下流側駆動伝達部材１３３８は、解除カム１３７２の開口１３７２ｆを介して係合している。
【０１３６】
現像ローラ６とドラム４とが互いに接触した状態から離間した状態へ変化するときの、駆動連結部の動作について説明する。詳細については前述の通りであり、解除カム１３７２は軸線方向（矢印Ｍ、および、Ｎ方向）にのみスライド移動可能な構成である。そして、解除カム１３７２の当接部１３７２ａと軸受部材１３４５の当接部１３４５ｂとが接触することで、解除カム１３７２は矢印Ｍ方向へ移動する。解除カム１３７２の矢印Ｍ方向への移動と連動して、解除カム１３７２の付勢部としての押圧面１３７２ｃが、上流側駆動伝達部材１３３７の被付勢部としての被押圧面１３３７ｃを押圧（付勢）する（図２２、図２３参照）。これにより、上流側駆動伝達部材１３３７がバネ１３３９の押圧力に抗して矢印Ｍ方向へ移動する。これにより、上流側駆動伝達部材１３３７と下流側駆動伝達部材１３３８との係合が解除される。
【０１３７】
一方、現像ローラ６とドラム４とが互いに離間した状態から当接した状態へ変化する動作は上述の動作の逆である。以上、図２２から図２５に示す実施形態のように、駆動切替の際に上流側駆動伝達部材１３３７が軸線方向の矢印Ｍ、Ｎ方向へ移動する構成も実施可能である。
【０１３８】
なお、駆動切替の際には、上流側駆動伝達部材３７および下流側駆動伝達部材３８のどちらが軸線方向に移動する構成でも良い。また、上流側駆動伝達部材３７と下流側駆動伝達部材３８の両方が軸線方向に沿って離れる構成でも良い。少なくとも上流側駆動伝達部材３７と下流側駆動伝達部材３８との軸線方向の相対位置が変化することで駆動切替を行う構成となっている。
【０１３９】
なお、上述の構成においては、下流側駆動伝達部材３８の中央の穴部３８ｍと上流側駆動伝達部材３７の小径の円筒部３７ｍとが係合する構成となっているが、下流側駆動伝達部材３８と上流側駆動伝達部材３７の係合はこの限りではない。例えば、図２６に示すように、第二駆動伝達部材としての下流側駆動伝達部材１４３８の中央に小径の円筒部１４３８ｔを設け、第一駆動伝達部材としての上流側駆動伝達部材１４３７の中央に穴部１４３７ｔを設け、円筒部１４３８ｔと穴部１４３７ｔとを係合させる構成でもよい。
【０１４０】
なお、上記の説明では、解除カムの当接部７２ａと駆動側カートリッジカバー部材２４の当接部２４ｂは互いに面対面で接触する構成としたが、必ずしもこの限りではない。例えば、面と稜線、面と点、稜線と稜線、稜線と点、とが接触する構成でもよい。
【０１４１】
［従来例との差異］
ここで、従来構成との違いを以下に説明する。
【０１４２】
特許文献１においては、現像ローラ端部に、画像形成装置本体から駆動を受けるカップリング、および、駆動切替を行うバネクラッチが設けられている。また、プロセスカートリッジ内に現像ユニットの回動と連動するリンクが設けられている。現像ユニットが回動して現像ローラがドラムと離間すると、上記リンクが現像ローラ端部に設けられたバネクラッチに作用して、現像ローラへの駆動が遮断される構成となっている。
【０１４３】
このバネクラッチ自身には、ばらつきが存在する。即ち、バネクラッチを作動させてから実際に駆動伝達が解除させるまでにタイムラグが生じ易い構成になっている。更には、リンク機構の寸法ばらつき、現像ユニットが回動した角度のばらつきにより、リンク機構がバネクラッチに作用するタイミングのばらつきが生じることになる。また、このバネクラッチに作用するリンク機構は、現像ユニット、および、ドラムユニットの回動中心ではない部分に設けられている。
【０１４４】
これに対し、本実施例では、現像ローラへの駆動伝達を切替える構成（解除カム７２の当接部７２ａ、これに作用する駆動側カートリッジカバー部材２４の作用部としての当接部２４ｂ、解除カム７２の当接部（斜面）７２ａ、および、駆動側カートリッジカバー部材２４の当接部（斜面）２４ｂ）を採用することにより、現像ローラの回転時間の制御ばらつきを少なくすることができる。
【０１４５】
更に、これらのクラッチの構成が、現像ユニットがドラムユニットに対して回動可能に支持されている回動中心と同一直線上に配置している。ここで、回動中心は、ドラムユニットと現像ユニットとの相対位置誤差が最も少ない。そのため、回動中心に現像ローラへの駆動伝達を切替えるクラッチを配置することで、現像ユニットが回動した角度に対するクラッチの切替タイミングを最も精度良く制御することができる。結果として、現像ローラの回転時間を高精度に制御することができ、現像ローラや現像剤の劣化を抑制することができる。
【０１４６】
また、従来の画像形成装置、および、プロセスカートリッジでは、現像ローラへの駆動切替を行うクラッチを画像形成装置に設けている場合もある。
【０１４７】
例えば、フルカラー画像形成装置においてモノクロ印刷を行う場合には、ブラック色以外の現像剤を収容した現像装置への駆動をクラッチを用いて遮断している。また、モノクロ画像形成装置においても、ドラム上の静電潜像を現像装置によって現像しているときは現像装置へ駆動を伝達し、一方、現像していないときは現像装置への駆動を遮断するようにクラッチを動作させることもできる。非画像形成時に現像装置への駆動を遮断して現像ローラの回転時間を抑制することで、現像ローラや現像剤の劣化を抑制することができる。
【０１４８】
これら画像形成装置に現像ローラへの駆動切替を行うクラッチを設ける場合と比較して、クラッチをプロセスカートリッジに設けることで、クラッチの小型化を行うことができる。画像形成装置に設けられたモータ（駆動源）からの駆動をプロセスカートリッジに伝達する際の、画像形成装置のギア配列の一例を図２７にブロック図として示す。モータ８３からプロセスカートリッジＰ（ＰＫ）へ駆動を伝達する際には、アイドラギア８４（Ｋ）、クラッチ８５（Ｋ）、アイドラギア８６（Ｋ）を介して行われる。また、モータ８３からプロセスカートリッジＰ（ＰＹ、ＰＭ、ＰＣ）へ駆動を伝達する際には、アイドラギア８４（ＹＭＣ）、クラッチ８５（ＹＭＣ）、アイドラギア８６（ＹＭＣ）を介して行われる。モータ８３の駆動はアイドラギア８４（Ｋ）とアイドラギア８４（ＹＭＣ）とに分岐され、また、クラッチ８５（ＹＭＣ）からの駆動はアイドラギア８６（Ｙ）、アイドラギア８６（Ｍ）、および、アイドラギア８６（Ｃ）に分岐される構成となっている。
【０１４９】
例えば、フルカラー画像形成装置でモノクロ印刷を行う場合には、ブラック色以外の現像剤を収容した現像装置への駆動をクラッチ８５（ＹＭＣ）を用いて遮断することになる。フルカラー印刷を行う場合には、クラッチ８５（ＹＭＣ）を介して、モータ８３の駆動を各プロセスカートリッジＰに伝達することになる。このとき、前述のクラッチ８５（ＹＭＣ）には、各プロセスカートリッジＰを駆動するための負荷が集中する。特にクラッチ８５（Ｋ）にかかる負荷の３倍の負荷がクラッチ８５（ＹＭＣ）に集中する。また、各カラー現像装置の負荷変動も同様に１つのクラッチ８５（ＹＭＣ）に作用することになる。集中負荷、および、負荷変動が発生しても、現像ローラの回転精度を悪化させずに駆動を伝達するために、クラッチの剛性を高める必要がある。したがって、クラッチが大型化したり、焼結金属などの高剛性材質を用いる場合もある。これらに対して、各プロセスカートリッジにクラッチを設けた場合、各クラッチに作用する負荷や負荷変動は各現像装置の負荷や負荷変動のみとなる。したがって、前例と比較して剛性を高める必要がなく、また、各クラッチをより小型化することができる。
【０１５０】
更に、図２７に示す、ブラック色のプロセスカートリッジＰ（ＰＫ）へ駆動伝達するギア配列においても、駆動切替を行うクラッチ８５（Ｋ）にかかる負荷を極力低減することが望ましい。プロセスカートリッジＰを駆動伝達するためのギア配列において、ギアによる駆動伝達効率を考慮して、被駆動体であるプロセスカートリッジＰに近いほど各ギア軸に作用する負荷は低い。そのため、画像形成装置本体に駆動切替を行うクラッチを配置するよりも、カートリッジ内にクラッチを配置することで、クラッチを小型化することができる。また、実施例２以降に示すように、現像ローラギアと噛み合うギアの内周部にクラッチを配置したり、現像枠体２９の長手端部にクラッチを配置する等により、プロセスカートリッジの長手方向の大きさを抑制したまま、プロセスカートリッジにクラッチを配置することができる。
【０１５１】
〔実施例２〕
次に、この発明の第２の実施形態によるカートリッジについて説明する。なお、第１の実施形態と同様の構成については、その説明を省略する。
【０１５２】
［現像ユニットの構成］
現像ユニット９は、図２８、図２９に示すように、現像ローラ６、現像ブレード３１、現像枠体２９、軸受部材４５、現像カバー部材３２などで構成されている。
【０１５３】
また、図２８に示すように、軸受部材４５は、現像枠体２９の長手方向一端側に固定されている。軸受部材４５は、第二駆動伝達部材としての下流側駆動伝達部材７１も回転可能に支持している。この下流側駆動伝達部材７１は、第三駆動伝達部材としての現像ローラギア６９へ駆動力を伝達する。詳細は後述する。
【０１５４】
［駆動連結部の構成］
図２８、図２９、図３０、図３１を用いて駆動連結部の構成について説明する。
【０１５５】
まず、概略について説明する。
【０１５６】
図３０は、プロセスカートリッジＰを駆動側から見た斜視図であり、図３１はプロセスカートリッジＰを非駆動側から見た斜視図である。図３１に示すように、駆動側カートリッジカバー部材２２４には、円筒形上のボス２２４ｈ１、２２４ｈ２、２２４ｈ３、２２４ｈ４が設けられている。それぞれのボス２２４ｈ１、２２４ｈ２、２２４ｈ３、および、２２４ｈ４は、第１アイドラギア５１、第２アイドラギア５２、第３アイドラギア５３、および、第一駆動伝達部材としての上流側駆動伝達部材３７を回転可能に摺動可能（回転可能）に支持している。第１アイドラギア５１は、感光体ドラム４の端部のドラムギア４ｂと噛み合う構成となっている。また、第１アイドラギア５１と第２アイドラギア５２、第２アイドラギア５２と第３アイドラギア５３、および、第３アイドラギア５３と上流側駆動伝達部材３７はそれぞれギア歯面にて噛み合う構成となっている。
【０１５７】
図２８に示すように、軸受部材４５と、駆動側カートリッジカバー部材２２４と、の間には、軸受部材４５から駆動側カートリッジカバー部材２２４に向かって、付勢部材としての弾性部材であるバネ７０、第二駆動伝達部材としての下流側駆動伝達部材７１、解除機構の一部でありカップリング解除部材としての解除カム２７２、現像カバー部材３２が設けられている。以下、順次、詳細を説明する。
【０１５８】
上流側駆動伝達部材３７の爪部３７ａと下流側駆動伝達部材７１の爪部７１ａは、現像カバー部材３２の開口３２ｄを通して、互いに係合することができる。また、爪部で係合したときに、上流側駆動伝達部材３７から下流側駆動伝達部材７１へ駆動を伝達することができる構成になっている。
【０１５９】
ここで、図３２を用いて、上流側駆動伝達部材３７と下流側駆動伝達部材７１の構成を説明する。上流側駆動伝達部材３７は係合部（カップリング部）としての爪部３７ａを有し、下流側駆動伝達部材７１は係合部（カップリング部）としての爪部７１ａを有する。爪部３７ａと爪部７１ａは互いに係合可能に構成されている。すなわち、上流側駆動伝達部材３７は、下流側駆動伝達部材７１と連結可能に構成されている。また、下流側駆動伝達部材７１の中央には穴部７１ｍが設けられている。この穴部７１ｍは、上流側駆動伝達部材３７の小径の円筒部３７ｍと係合する。これによって、上流側駆動伝達部材３７は、下流側駆動伝達部材７１に対して摺動可能（回転可能かつそれぞれの軸線に沿ってスライド可能）に支持されている。
【０１６０】
また、図２８に示すように、下流側駆動伝達部材７１のギア部７１ｇは、現像ローラギア６９とも係合している。これにより、下流側駆動伝達部材７１に伝達された駆動は、現像ローラギア６９を介して、現像ローラ６へ伝達される構成となっている。また、軸受部材４５と下流側駆動伝達部材７１との間には、付勢部材としての弾性部材であるバネ７０が設けられている。バネ７０は、下流側駆動伝達部材７１を矢印Ｍ方向に押圧している。
【０１６１】
図３３（ａ）は、上流側駆動伝達部材３７、および、下流側駆動伝達部材７１の結合状態を示した断面図を示している。軸受部材４５の第一ガイド部としての第一軸受部４５ｐ（円筒外面）が、下流側駆動伝達部材７１の第一被ガイド部としての被軸受部７１ｐ（円筒内面）を回転可能に支持している。被軸受部７１ｐ（円筒内面）が第一軸受部４５ｐ（円筒外面）と係合した状態で、下流側駆動伝達部材７１は回動軸線（回動中心）Ｘに沿って移動可能である。言い換えると、軸受部材４５は、その回動軸線上に沿って、下流側駆動伝達部材７１をスライド移動可能に保持する。更に言い換えると、下流側駆動伝達部材７１は、軸受部材４５に対し、矢印ＭまたはＮ方向にスライド移動可能（往復可能）である。図３３（ａ）は、各部品の断面図を示したものであり、図３３（ｂ）は、図３３（ａ）の状態を基準として、軸受部材４５に対して、下流側駆動伝達部材７１が矢印Ｎ方向へ移動した状態を示している。下流側駆動伝達部材７１は、現像ローラギア６９とかみ合いながら、矢印Ｍ、および、Ｎ方向に移動可能な構成となっている。下流側駆動伝達部材７１が矢印Ｍ、および、Ｎ方向に移動しやすくするために、下流側駆動伝達部材７１のギア部７１ｇはハスバギアよりも平歯ギアが望ましい。
【０１６２】
次に、本実施例の駆動解除機構を説明する。図２８、および、図２９に示すように、下流側駆動伝達部材７１と現像カバー部材３２との間には、解除機構の一部であり解除部材としての解除カム２７２が設けられている。図３４は解除カム２７２と現像カバー部材３２との係合関係を示した斜視図である。
【０１６３】
解除カム２７２は、実質的なリング形状であるリング部２７２ｊと、突出部としての外周面２７２ｉとを有する。この外周面２７２ｉは、リング部２７２ｊからリング部２７２ｊを含む仮想面に対し直交方向に突出している（回転軸線Ｘと平行に突出している）。現像カバー部材３２は内周面３２ｉを有する。この内周面３２ｉは外周面２７２ｉと係合するように構成されている。これによって、解除カム２７２は現像カバー部材３２に対して摺動可能（現像ローラ６の軸線に沿ってスライド可能）に支持されている。ここで、解除カム２７２の外周面２７２ｉ、現像カバー部材３２の内周面３２ｉ、および、現像カバー部材３２の外径部３２ａは同軸上に設けられている。即ち、これらの部材の回転軸線は、現像ユニット９のドラムユニット８に対する回動軸線Ｘと同一直線上に位置する。
【０１６４】
また、本実施例においては、上流側駆動伝達部材３７および下流側駆動伝達部材７１の回転軸線も共に、現像ユニット９のドラムユニット８に対する回動軸線Ｘと同一直線上に位置している。
【０１６５】
また、現像カバー部材３２は、第二ガイド部としてのガイド３２ｈを有し、解除カム２７２は、第二被ガイド部としてのガイド溝２７２ｈを有する。ここで、ガイド３２ｈとガイド溝２７２ｈはともに回動軸線Ｘに対し平行に形成されている。そして、現像カバー部材３２のガイド３２ｈは、解除カム２７２のガイド溝２７２ｈと係合する。このガイド３２ｈとガイド溝２７２ｈとが係合していることで、解除カム２７２は現像カバー部材３２に対して、軸線方向（矢印Ｍ、および、Ｎ方向）にのみスライド移動可能な構成となっている。
【０１６６】
現像カバー部材３２の長手方向外側には、駆動側カートリッジカバー部材２２４が設けられている。図３５には、解除カム２７２、現像カバー部材３２、および、駆動側カートリッジカバー部材２２４の構成を示している。
【０１６７】
カップリング解除部材としての解除カム２７２は、力受け部としての当接部（斜面）２７２ａを有する。また、駆動側カートリッジカバー部材２２４は、作用部材としての当接部（斜面）２２４ｂを有する。さらに、現像カバー部材３２は、開口３２ｊを有する。解除カム２７２の当接部２７２ａと駆動側カートリッジカバー部材２２４の当接部２２４ｂとは、現像カバー部材３２の開口３２ｊを通して互いに接触可能に構成されている。
【０１６８】
［駆動解除動作］
以下、現像ローラ６とドラム４とが互いに接触した状態から離間した状態へ変化するときの、駆動連結部の動作について説明する。
【０１６９】
［状態１］
図７（ａ）に示すように、本体離間部材８０と軸受部材４５の力受け部４５ａとは、隙間ｄを有して離間している。このとき、ドラム４と現像ローラ６とは互いに接触した状態となっている。この状態を本体離間部材８０の状態１とする。なお、図７に示すように、現像ローラの軸線に沿ってカートリッジＰを見たときに、力受け部（離間力受け部）４５ａは、現像ローラ６を基準として、回転軸線Ｘとは実質的に反対側に突出している。このときの駆動連結部の構成を図３６（ａ）に模式的に示す。また、図３６（ｂ）には、駆動連結部の構成の斜視図を示す。なお、図３６は、説明のために、一部の部品を不図示としている。また、図３６（ａ）においては、上流側駆動伝達部材３７と下流側駆動伝達部材７１の対、および、解除カム２７２と駆動側カートリッジカバー部材２２４の対とを、それぞれ別々に示している。図３６（ｂ）において、駆動側カートリッジカバー部材２２４は当接部２２４ｂを含む一部のみを、また、現像カバー部材３２はガイド３２ｈを含む一部のみを表示している。解除カム２７２の当接部２７２ａと駆動側カートリッジカバー部材２２４の作用部としての当接部２２４ｂとの間には隙間ｅがある。また、このとき、上流側駆動伝達部材３７の爪３７ａと下流側駆動伝達部材７１の爪７１ａは互いに係合量ｑを有して係合し、駆動伝達が可能な構成となっている。また、前述のように、下流側駆動伝達部材７１は現像ローラギア６９と係合している  （図２８参照）。そのため、装置本体２から感光体ドラム４の端部に設けられたカップリング部材４ａに入力された駆動力は、第１アイドラギア５１、第２アイドラギア５２、第３アイドラギア５３、および、上流側駆動伝達部材３７、下流側駆動伝達部材７１を介して現像ローラギア６９に伝達される。これにより、現像ローラ６が駆動される。各部品の上記状態を接触位置と称し、また、現像接触・駆動伝達状態と称す。
【０１７０】
［状態２］
上記現像接触・駆動伝達状態から、図７（ｂ）に示すように、本体離間部材８０が図中矢印Ｆ１方向へδ１だけ移動すると、前述したように、現像ユニット９が回動中心Ｘを中心として矢印Ｋ方向に角度θ１だけ回動する。その結果、現像ローラ６はドラム４から距離ε１だけ離間する。現像ユニット９内に組み込まれた解除カム２７２や現像カバー部材３２は、現像ユニット９の回動と連動して角度θ１だけ矢印Ｋ方向に回動する。一方、カートリッジＰが装置本体２に装着されているときは、ドラムユニット８、および、駆動側カートリッジカバー部材２２４、非駆動側カートリッジカバー部材２５は装置本体２に位置決め固定されている。すなわち、図３７（ａ）、図３７（ｂ）に示すように、駆動側カートリッジカバー部材２２４の当接部２２４ｂは移動しない。図においては、解除カム２７２が現像ユニット９の回動に連動して図中矢印Ｋ方向に回転移動して、解除カム２７２の当接部２７２ａと駆動側カートリッジカバー部材２２４の当接部２２４ｂとが互いに接触し始めた状態となっている。このとき、上流側駆動伝達部材３７の爪３７ａと下流側駆動伝達部材７１の爪７１ａとは互いに係合した状態を保っている（図３７（ａ））。そのため、装置本体２から入力された駆動力は、上流側駆動伝達部材３７、下流側駆動伝達部材７１、および、現像ローラギア６９を介して現像ローラ６へ伝達されている。各部品の上記状態を現像離間・駆動伝達状態と称す。
【０１７１】
［状態３］
上記現像離間・駆動伝達状態から、図７（ｃ）に示すように、本体離間部材８０が図中矢印Ｆ１方向へδ２だけ移動したときの、駆動連結部の構成を図３８（ａ）、図３８（ｂ）に示す。現像ユニット９の角度θ２（＞θ１）の回動と連動して、解除カム２７２や現像カバー部材３２が回動する。一方、駆動側カートリッジカバー部材２２４は上述と同様に位置変化せず、解除カム２７２が図中矢印Ｋ方向に回転移動する。このとき、解除カム２７２の当接部２７２ａは駆動側カートリッジカバー部材２２４の当接部２２４ｂから反力を受ける。また、前述のように、解除カム２７２は、そのガイド溝２７２ｈが現像カバー部材３２のガイド３２ｈと係合して軸線方向（矢印Ｍ、および、Ｎ方向）にのみ移動可能に規制されている  （図３４参照）。そのため、結果として、解除カム２７２は矢印Ｎ方向へ移動量ｐだけスライド移動する。また、解除カム２７２の矢印Ｎ方向への移動と連動して、解除カム２７２の付勢部としての押圧面２７２ｃが、下流側駆動伝達部材７１の被付勢部としての被押圧面７１ｃを押圧（付勢）する。これにより、下流側駆動伝達部材７１がバネ７０の押圧力に抗して矢印Ｎ方向へ移動量ｐだけスライド移動する（図３８、および、図３３（ｂ）参照）。
【０１７２】
このとき、上流側駆動伝達部材３７の爪３７ａと下流側駆動伝達部材７１の爪７１ａとの係合量ｑよりも移動量ｐが大きいため、爪３７ａおよび爪７１ａの係合が解除される。これに伴い、上流側駆動伝達部材３７は装置本体２から駆動力が入力されているため回転し続け、一方で、下流側駆動伝達部材７１は停止する。結果として、現像ローラギア６９、現像ローラ６の回転が停止する。各部品の上記状態を離間位置と称し、また、現像離間・駆動遮断状態と称す。
【０１７３】
以上、現像ユニット９の矢印Ｋ方向への回動と連動して、現像ローラ６への駆動遮断の動作を説明した。上記構成を採用することにより、現像ローラ６はドラム４に対して、回転しながら離間でき、現像ローラ６とドラム４との離間距離に応じて現像ローラ６への駆動を遮断することができる。
【０１７４】
［駆動連結動作］
次に、現像ローラ６とドラム４とが互いに離間した状態から接触した状態へ変化するときの、駆動連結部の動作について説明する。この動作は、上述の現像接触状態から現像離間状態への動作の逆である。
【０１７５】
現像離間状態（図７（ｃ）に示すように、現像ユニット９が角度θ２だけ回動した状態）では、駆動連結部は図３８に示すように、上流側駆動伝達部材３７の爪３７ａと下流側駆動伝達部材７１の爪７１ａとの係合が解除された状態となっている。
【０１７６】
上記の状態から、徐々に現像ユニット９を図７に示す矢印Ｈ方向へ回動させ、現像ユニット９が角度θ１だけ回動した状態（図７（ｂ）、及び、図３７に示す状態）では、下流側駆動伝達部材７１がバネ７０の押圧力により矢印Ｍ方向へ移動することで、上流側駆動伝達部材３７の爪３７ａと下流側駆動伝達部材７１の爪７１ａとが互いに係合する。これにより、装置本体２からの駆動力が現像ローラ６に伝達され、現像ローラ６が回転駆動される。なお、このときは、現像ローラ６とドラム４とは互いに離間した状態を保っている。
【０１７７】
さらに上記の状態から、徐々に現像ユニット９を図７に示す矢印Ｈ方向へ回動させていくことで、現像ローラ６とドラム４とを接触させることができる。
【０１７８】
以上、現像ユニット９の矢印Ｈ方向への回動に連動した、現像ローラ６への駆動伝達の動作を説明した。上記構成により、現像ローラ６はドラム４に対して、回転しながら接触し、現像ローラ６とドラム４との離間距離に応じて現像ローラ６へ駆動を伝達することができる。
【０１７９】
本実施例の場合においても、現像ローラへの駆動伝達を切替えるクラッチ（解除カム２７２の当接部２７２ａ、および、これに作用する駆動側カートリッジカバー部材２２４の作用部としての当接部２２４ｂ）を、現像ローラを有する現像ユニットが、ドラムユニットに対して回動可能に支持されている回動中心と同一直線上に配置している。回動中心は、ドラムユニットと現像ユニットとの相対位置誤差が最も少ない。そのため、回動中心に現像ローラへの駆動伝達を切替えるクラッチを配置することで、現像ユニットが回動した角度に対するクラッチの切替タイミングを最も精度良く制御することができる。結果として、現像ローラの回転時間を高精度に制御することができ、現像ローラや現像剤の劣化を抑制することができる。
【０１８０】
〔実施例３〕
次に、この発明の第３の実施形態によるカートリッジについて説明する。なお、第１、および、第２の実施形態と同様の構成については、その説明を省略する。
【０１８１】
図３９、および、図４０は本第３の実施形態のカートリッジを示す斜視図である。また、図４１には、本実施形態のカートリッジを使用する画像形成装置１を示している。感光体ドラム４の端部に設けられたカップリング部材４ａは、図４１に示す装置本体２のドラム駆動出力部材６１（６１Ｙ・６１Ｍ・６１Ｃ・６１Ｋ）と係合し、装置本体の駆動モータ（不図示）の駆動力を受ける構成となっている。また、現像ユニット９の駆動側端部に設けられたオルダムカップリング上流部材４１は、図４１に示す装置本体２の本体側駆動伝達部材としての現像駆動出力部材６２（６２Ｙ・６２Ｍ・６２Ｃ・６２Ｋ）と係合し、装置本体２に設けられた駆動モータ（不図示）からの駆動力が伝達される構成となっている。
【０１８２】
［駆動連結部の構成］
図３９、図４０を用いて駆動連結部の構成について説明する。
【０１８３】
まず、概略について説明する。
【０１８４】
駆動側カートリッジカバー部材３２４には開口３２４ｄと開口３２４ｅが設けられている。そして、開口３２４ｄからは、感光体ドラム４の端部に設けられたカップリング部材４ａが露出し、開口３２４ｅからは、現像ユニット９の端部に設けられたオルダムカップリング上流部材４１が露出する構成となっている。前述の通り、カップリング部材４ａは、図４１（ｂ）に示す装置本体２のドラム駆動出力部材６１（６１Ｙ・６１Ｍ・６１Ｃ・６１Ｋ）と係合し、また、オルダムカップリング上流部材４１は現像駆動出力部材６２（６２Ｙ・６２Ｍ・６２Ｃ・６２Ｋ）と係合し、装置本体の駆動モータ（不図示）の駆動力を受ける構成となっている。
【０１８５】
軸受部材４５と、駆動側カートリッジカバー部材３２４と、の間には、軸受部材４５から駆動側カートリッジカバー部材３２４に向かって、付勢部材としての弾性部材であるバネ７０、第二駆動伝達部材としての下流側駆動伝達部材７１、解除機構の一部であり解除部材としての解除カム２７２、第一駆動伝達部材であってオルダムカップリング下流部材としての上流側駆動伝達部材７４、現像カバー部材３３２、オルダムカップリング中間体４２、および、オルダムカップリング上流部材４１が設けられている。上流側駆動伝達部材７４は、軸線方向の両端側でそれぞれ現像カバー部材３３２と下流側駆動伝達部材７１とで摺動可能に支持されている。より詳細に述べると、現像カバー部材３３２の軸受部３３２ｅが上流側駆動伝達部材７４の被軸受部７４ｒを摺動可能（回転可能）に支持し、また、下流側駆動伝達部材７１の中央部の穴部７１ｍが上流側駆動伝達部材７４の小径の円筒部７４ｍを摺動可能（回転可能かつそれぞれの軸線に沿ってスライド可能）に支持している。
【０１８６】
図４２には、上流側駆動伝達部材（第一駆動伝達部材）７４と、下流側駆動伝達部材（第二駆動伝達部材）７１の構成を示している。なお、図４２においては、上流側駆動伝達部材７４と下流側駆動伝達部材７１との間に配置されている解除カム２７２は不図示としている。
【０１８７】
下流側駆動伝達部材７１は係合部（カップリング部）としての爪部７１ａを有し、上流側駆動伝達部材７４は係合部（カップリング部）としての爪部７４ａを有する。爪部７１ａと爪部７４ａは互いに係合可能に構成されている。すなわち、下流側駆動伝達部材７１は、上流側駆動伝達部材７４と連結可能に構成されている。
【０１８８】
本実施例における下流側駆動伝達部材７１と上流側駆動伝達部材７４との係合関係は、例えば、実施例２における上流側駆動伝達部材３７と下流側駆動伝達部材７１の係合関係と同様である（図３２参照）。さらに、解除カム２７２と現像カバー部材３３２との係合関係（図３４参照）、および、解除カム２７２、現像カバー部材３３２、および、駆動側カートリッジカバー部材３２４の係合関係（図３５）も実施例２と同様であり、その説明を省略する。
【０１８９】
本実施例においては、少なくとも解除カム２７２が現像ユニット９のドラムユニット８に対する回動軸線Ｘと同一直線上に配置されている。一方、図３９、図４０においては、装置本体２の現像駆動出力部材６２（６２Ｙ・６２Ｍ・６２Ｃ・６２Ｋ）と係合して駆動力を受けるオルダムカップリング上流部材４１が、現像ユニット９のドラムユニット８に対する回動軸線Ｘとは異なる位置に配置されている。ここで、オルダムカップリング上流部材４１の回動軸線を回動軸線Ｚとする。
【０１９０】
現像ユニット９が現像接触状態と現像離間状態とに位置変化する際でも、装置本体２から入力される駆動力を下流側駆動伝達部材７１や上流側駆動伝達部材７４を介して現像ローラ６へ確実に伝達する必要がある。本実施例の場合、現像ユニット９のドラムユニット８に対する回動軸線Ｘとオルダム上流側駆動伝達部材４１の回動軸線Ｚとは同一直線上にない。そのため、現像ユニット９が現像接触状態と現像離間状態とに位置変化すると、オルダム上流側駆動伝達部材４１と第三駆動伝達部材としての現像ローラギア６９との相対位置が変化する。そこで、オルダム上流側駆動伝達部材４１と現像ローラギア６９との間に、相対位置ズレが生じても駆動伝達可能なユニバーサルジョイント（オルダムカップリング）が配置されている。具体的には、本実施例においては、オルダム上流側駆動伝達部材４１とオルダムカップリング中間体４２、および、上流側駆動伝達部材７４は３部品でオルダムカップリングを構成している。
【０１９１】
現像ユニット９が現像接触・駆動伝達状態と、現像離間・駆動遮断状態とに変化する際の駆動伝達、および、駆動遮断機構については、実施例２と同様である。即ち、現像ユニット９の回動軸線Ｘと同軸に配置された解除カム２７２が、現像ユニット９の当接・離間動作に応じて長手方向（矢印Ｍ、Ｎ方向）に移動する。これにより、下流側駆動伝達部材７１と上流側駆動伝達部材７４との駆動連結・解除を行うことができる。本実施例の場合、装置本体２から入力される現像駆動出力部材６２の回動軸線は現像ユニット９の回動軸線Ｘと異なる位置である。しかし、少なくとも駆動連結・解除を行う解除カム２７２の当接部２７２ａ、および、これに作用する駆動側カートリッジカバー部材３２４の作用部としての当接部３２４ｂが現像ユニット９の回動軸線Ｘと同軸に配置されている。そのため、駆動切替タイミングを精度良く制御することができる構成となっている。
【０１９２】
なお、本実施例、および、以降の実施例においては、各部品を一方向（図中矢印Ｍ方向）に順次組み込んでいくことができる構成となっている。
【０１９３】
〔実施例４〕
次に、この発明の第４の実施形態によるカートリッジについて説明する。なお、既出の実施形態と同様の構成については、その説明を省略する。
【０１９４】
［現像ユニットの構成］
図４３、図４に示すように、現像ユニット９は、現像ローラ６、現像ブレード３１、現像枠体２９、軸受部材４５、現像カバー部材４３２などで構成されている。
【０１９５】
現像枠体２９は、現像ローラ６に供給する現像剤を収納する現像剤収納部４９、及び、現像ローラ６周面の現像剤の層厚を規制する現像ブレード３１を有する。
【０１９６】
また、図４３に示すように、軸受部材４５は、現像枠体２９の長手方向一端側に固定されている。この軸受部材４５は、現像ローラ６を回転可能に支持している。現像ローラ６は、その長手端部に現像ローラギア６９を有する。軸受部材４５は、現像ローラギア６９へ駆動力を伝達するための下流側駆動伝達部材７１も回転可能に支持している。詳細は後述する。
【０１９７】
そして、現像カバー部材４３２が、カートリッジＰの長手方向において、軸受部材４５の外側に固定されている。この現像カバー部材４３２は、現像ローラギア６９や下流側駆動伝達部材（第二駆動伝達部材）７１、現像入力カップリングとしての上流側駆動伝達部材（第一駆動伝達部材）４７４を覆うように構成されている。さらに、図４３、図４４に示すように、現像カバー部材４３２には円筒部４３２ｂが設けられている。そして、円筒部４３２ｂの内側の開口４３２ｄからは、上流側駆動伝達部材４７４の回転力受け部としての駆動入力部４７４ｂが露出している。ここで、上流側駆動伝達部材４７４の軸線方向の一端に駆動入力部４７４ｂが設けられているのに対し、上流側駆動伝達部材４７４の軸線方向の他端に軸部４７４ｍが設けられている。また、上流側駆動伝達部材４７４の回転軸線Ｘと実質的に平行な方向において、カップリング部４７４ａは、駆動入力部４７４ｂと軸部４７４ｍとの間に設けられている（図４９参照）。また、上流側駆動伝達部材４７４の回転半径方向において、カップリング部４７４ａは、軸部４７４ｍよりも回転軸線Ｘから遠い位置に配置されている。
【０１９８】
前述した駆動入力部４７４ｂは、カートリッジＰ（ＰＹ・ＰＭ・ＰＣ・ＰＫ）が装置本体２に装着された際に、図３（ｂ）に示す現像駆動出力部材６２（６２Ｙ・６２Ｍ・６２Ｃ・６２Ｋ）と係合し、装置本体２に設けられた駆動モータ（不図示）からの駆動力が伝達される構成となっている。装置本体２から上流側駆動伝達部材４７４へ入力された駆動力は、下流側駆動伝達部材７１を介して、第三駆動伝達部材としての現像ローラギア６９、および、現像ローラ６へ伝達される構成となっている。即ち、装置本体２からの駆動力は、上流側駆動伝達部材４７４、下流側駆動伝達部材７１を介して、現像ローラへ伝達可能に構成されている。
【０１９９】
［ドラムユニットと現像ユニットの組立］
図４４、図４５に、現像ユニット９とドラムユニット８とを分解した状態を示す。ここで、カートリッジＰの長手一端側では、駆動側カートリッジカバー部材４２４の支持部４２４ａに現像カバー部材４３２の円筒部４３２ｂの外径部４３２ａを回動可能に嵌合させている。また、カートリッジＰの長手他端側では非駆動側カートリッジカバー部材２５の支持穴部２５ａに、現像枠体２９から突出して設けられた突出部２９ｂを回動可能に嵌合させている。これにより、現像ユニット９は、ドラムユニット８に対して回動可能に支持される。ここで、現像ユニット９のドラムユニットに対する回動中心（回動軸線）を、回動中心（回動軸線）Ｘと称す。この回動中心Ｘは、支持穴部４２４ａの中心と支持穴部２５ａの中心とを結んだ軸線である。
【０２００】
［現像ローラとドラムの接触］
図４、図４４、図４５に示すように、現像ユニット９は、付勢部材としての弾性部材である加圧バネ９５により付勢され、回動中心Ｘを中心にして、現像ローラ６がドラム４に接触するように構成されている。即ち、加圧バネ９５の付勢力によって、現像ユニット９は図４中の矢印Ｇ方向に押圧され、回動中心Ｘを中心に、矢印Ｈ方向のモーメントが作用する構成となっている。
【０２０１】
また、図４３において、上流側駆動伝達部材４７４は、図３（ｂ）に示す装置本体２に設けられた本体カップリングである現像駆動出力部材６２から矢印Ｊ方向の回転駆動を受ける。次いで、上流側駆動伝達部材４７４に入力された駆動力を受けて、下流側駆動伝達部材７１が矢印Ｊ方向に回転する。これにより、下流側駆動伝達部材７１と係合している現像ローラギア６９が矢印Ｅ方向に回転する。これにより現像ローラ６が矢印Ｅ方向に回転する。現像ローラ６を回転させるために必要な駆動力が上流側駆動伝達部材４７４に入力されることで、現像ユニット９には矢印Ｈ方向の回転モーメントが生じる。
【０２０２】
上述の加圧バネ９５の押圧力と、装置本体２からの回転駆動力により、現像ユニット９は回動中心Ｘを中心にして、矢印Ｈ方向にモーメントを受ける。これにより、現像ローラ６がドラム４に対し所定圧で接触できる。また、このときのドラムユニット８に対する現像ユニット９の位置を接触位置とする。なお、本実施例においては、ドラム４に対して現像ローラ６を押圧するために、加圧バネ９５による押圧力、および、装置本体２からの回転駆動力の２つの力を用いた構成とした。しかしながら、必ずしもその限りではなく、上記何れか一方の力だけでドラム４に対して現像ローラ６を押圧する構成でもよい。
【０２０３】
［現像ローラとドラムの離間］
図７はカートリッジＰを駆動側から見た側面図である。この図においては、説明のために、一部の部品を不図示としている。カートリッジＰが装置本体２に装着されているときは、ドラムユニット８は装置本体２に位置決め固定されている。
【０２０４】
力受け部４５ａが軸受部材４５に設けられている。力受け部４５ａは、装置本体２に設けられた本体離間部材８０と係合可能な構成となっている。
【０２０５】
この本体離間部材８０は、不図示のモータからの駆動力を受け、レール８１に沿って矢印Ｆ１、Ｆ２方向に移動可能な構成となっている。
【０２０６】
図７（ａ）は、ドラム４と現像ローラ６とが互いに接触した状態を示している。このとき、力受け部４５ａと本体離間部材８０とは隙間ｄを有して離間している。
【０２０７】
図７（ｂ）は、図７（ａ）の状態を基準として、本体離間部材８０が矢印Ｆ１方向へ距離δ１だけ移動した状態を示している。このとき、力受け部４５ａは本体離間部材８０と係合している。前述の通り、現像ユニット９はドラムユニット８に対して回動可能な構成となっており、図７（ｂ）においては、現像ユニット９は、回動中心Ｘを中心として矢印Ｋ方向に角度θ１だけ回動した状態となっている。このとき、ドラム４と現像ローラ６とは互いに距離ε１だけ離間した状態となっている。
【０２０８】
図７（ｃ）は、図７（ａ）の状態を基準として、本体離間部材８０が矢印Ｆ１方向にδ２（＞δ１）だけ移動した状態を示している。現像ユニット９は、回動中心Ｘを中心として、矢印Ｋ方向に角度θ２だけ回動した状態となっている。このとき、ドラム４と現像ローラ６とは互いに距離ε２だけ離間した状態となっている。
【０２０９】
［駆動連結部の構成］
図４３、図４６を用いて駆動連結部の構成について説明する。ここで、駆動連結部とは、装置本体２の現像駆動出力部材６２から駆動を入力され、現像ローラ６へ駆動を伝達、および、遮断する機構である。
【０２１０】
まず、概略について説明する。
【０２１１】
軸受部材４５と、駆動側カートリッジカバー部材４２４と、の間には、軸受部材４５から駆動側カートリッジカバー部材４２４に向かって、付勢部材としての弾性部であるバネ７０、第二カップリング部材としての下流側駆動伝達部材７１、解除機構の一部であり解除部材としての解除カム２７２、第一カップリング部材としての上流側駆動伝達部材４７４、現像カバー部材４３２が設けられている。これらの部材は、上流側駆動伝達部材４７４と同軸上に設けられている。即ち、これらの部材の回転軸線は、上流側駆動伝達部材４７４の回転軸線と、同一直線上に位置する。なお、前述の同一直線（同軸）とは、各部品の寸法公差の範囲内において同一であり、また、以降の実施例においても同様である。本実施の形態においては、駆動連結部とは、バネ７０、下流側駆動伝達部材７１、解除カム２７２、上流側駆動伝達部材４７４、現像カバー部材４３２、駆動側カートリッジカバー部材４２４で構成されている。以下、順次、詳細を説明する。
【０２１２】
軸受部材４５が、下流側駆動伝達部材７１を回転可能に支持している。より詳細に述べると、軸受部材４５の第一軸受部４５ｐ（円筒外面）が、下流側駆動伝達部材７１の被軸受部７１ｐ（円筒内面）を回転可能に支持している（図４３、図４７参照）。
更に、軸受部材４５は現像ローラ６を回転可能に支持している。より詳細に述べると、軸受部材４５の第二軸受部４５ｑ（円筒内面）が、現像ローラ６の軸部６ａを回転可能に支持している。
【０２１３】
そして、現像ローラ６の軸部６ａに、現像ローラギア６９が嵌合されている。下流側駆動伝達部材７１の外周面７１ｇは、現像ローラギア６９と噛み合うギア部となっている。これによって、下流側駆動伝達部材７１から現像ローラギア６９を介して現像ローラ６に回転力が伝達されるように構成されている。
【０２１４】
図４７は、軸受部材４５、バネ７０、および、下流側駆動伝達部材７１、および、現像ローラギア６９の部品構成を示している。図４８は、各部品の断面図を示している。
軸受部材４５の第一ガイド部としての第一軸受部４５ｐ（円筒外面）が、下流側駆動伝達部材７１の第一被ガイド部としての被軸受部７１ｐ（円筒内面）を回転可能に支持している（図４８参照）。被軸受部７１ｐ（円筒内面）が第一軸受部４５ｐ（円筒外面）と係合した状態で、下流側駆動伝達部材７１は回動軸線（回動中心）Ｘに沿って移動可能である。言い換えると、軸受部材４５は、その回動軸線Ｘ上に沿って、下流側駆動伝達部材７１をスライド移動可能に保持する。更に言い換えると、下流側駆動伝達部材７１は、軸受部材４５に対し、矢印ＭまたはＮ方向にスライド移動可能である。図４８（ａ）は、各部品の断面図を示したものであり、図４８（ｂ）は、図４８（ａ）の状態を基準として、軸受部材４５に対して、下流側駆動伝達部材７１が矢印Ｎ方向へ移動した状態を示している。下流側駆動伝達部材７１は、現像ローラギア６９とかみ合いながら、矢印Ｍ、および、Ｎ方向に移動可能な構成となっている。下流側駆動伝達部材７１が矢印Ｍ、および、Ｎ方向に移動しやすくするために、下流側駆動伝達部材７１のギア部７１ｇはハスバギアよりも平歯ギアが望ましい。
【０２１５】
また、軸受部材４５と下流側駆動伝達部材７１との間には、付勢部材としての弾性部材であるバネ７０が設けられている。このバネ７０は、下流側駆動伝達部材７１を矢印Ｍ方向に押圧している。
【０２１６】
図４９には、第一カップリング部材としての上流側駆動伝達部材４７４と、第二カップリング部材としての下流側駆動伝達部材７１の構成を示している。なお、図４９においては、上流側駆動伝達部材４７４と下流側駆動伝達部材７１との間に配置されている解除カム２７２は不図示としている。
【０２１７】
下流側駆動伝達部材７１は係合部としての爪部７１ａを有し、上流側駆動伝達部材４７４は係合部としての爪部４７４ａを有する。爪部７１ａと爪部４７４ａは互いに係合可能に構成されている。すなわち、下流側駆動伝達部材７１は、上流側駆動伝達部材４７４と連結可能に構成されている。本実施例においては、爪部７１ａと爪部４７４ａはそれぞれ６個の爪を有する。
【０２１８】
図５０は、下流側駆動伝達部材７１、および、上流側駆動伝達部材４７４を含む駆動連結部の断面図を示している。なお、図５０においては、上流側駆動伝達部材４７４と下流側駆動伝達部材７１との間に配置されている解除カム２７２は不図示としている。図に示すように、爪部７１ａと爪部４７４ａとが互いに接触する接触部７１ｎと接触部４７４ｎは、軸線Ｘに対して角度γだけ傾斜して配置されている。すなわち、下流側駆動伝達部材７１の接触部７１ｎは、回動中心Ｘと平行方向において、上流側駆動伝達部材４７４の少なくとも一部と重なっている。言い換えると、接触部７１ｎは下流側駆動伝達部材７１の一部に対してオーバーハングし、接触部４７４ｎは下流側駆動伝達部材４７４の一部にオーバーハングしている。更に言い換えると、接触部７１ｎは下流側駆動伝達部材７１の回転軸線と直交する仮想面をオーバーハングし、接触部４７４ｎは下流側駆動伝達部材４７４の回転軸線と直交する仮想面をオーバーハングしている。これにより、駆動伝達時には、爪部７１ａと爪部４７４ａとが互いに軸線Ｘ方向に対して引き込み合う構成となっている。
【０２１９】
駆動伝達時には、上流側駆動伝達部材４７４から下流側駆動伝達部材７１へ駆動が伝達される構成となっている。上流側駆動伝達部材４７４と下流側駆動伝達部材７１とには、前述の互いに引き込み合う引き込み力と、バネ７０の押圧力とが作用している。この合力によって、駆動伝達時に上流側駆動伝達部材４７４と下流側駆動伝達部材７１とが結合している。ここで、接触部７１ｎと接触部４７４ｎの軸線Ｘに対しての傾斜角度γは約１°から約３．５°が望ましい。駆動伝達・解除動作については詳細は後述するが、駆動連結・解除動作中に、接触部７１ｎと接触部４７４ｎとが摺擦して摩耗することが考えられる。また、駆動伝達時に爪が変形することが考えられる。接触部７１ｎと接触部４７４ｎの摩耗や変形が生じても、接触部７１ｎと接触部４７４ｎとが常に引き込み合う構成とすることで、上流側駆動伝達部材４７４と下流側駆動伝達部材７１とを確実に結合させ、駆動伝達を安定的に行うことができる。接触部７１ｎと接触部４７４ｎの摩耗や変形によって、上流側駆動伝達部材４７４と下流側駆動伝達部材７１が互いに離反する場合には、前述のバネ７０の押圧力を上げることで、上流側駆動伝達部材４７４と下流側駆動伝達部材７１とを結合することもできる。しかし、この場合、後述する駆動解除時に、バネ７０の押圧力に反して下流側駆動伝達部材７１を上流側駆動伝達部材４７４から退避させる際に必要な力が大きくなってしまう。また、接触部７１ｎと接触部４７４ｎの軸線Ｘに対しての傾斜角度を上げ過ぎると、駆動伝達時の引き込み力が大きくなり、安定した駆動伝達ができる一方で、駆動解除時に上流側駆動伝達部材４７４と下流側駆動伝達部材７１とを引き離す力が大きくなってしまう。
【０２２０】
また、上流側駆動伝達部材４７４には、装置本体２から図３（ｂ）に示す現像駆動出力部材６２と係合する駆動入力部４７４ｂが設けられている。この駆動入力部４７４ｂは、実質的な三角柱を微小に捩った形状である。
【０２２１】
また、図４９に示すように、下流側駆動伝達部材７１の中央には穴部７１ｍが設けられている。この穴部７１ｍは、上流側駆動伝達部材４７４の小径の円筒部４７４ｍと係合する。これによって、下流側駆動伝達部材７１は、上流側駆動伝達部材４７４に対して摺動可能（回転可能かつそれぞれの軸線に対してスライド可能）に支持されている。
【０２２２】
ここで、図４３、および、図４６に示すように、下流側駆動伝達部材７１と上流側駆動伝達部材４７４の間には、解除カム２７２が配置されている。
【０２２３】
図５１に、解除カム２７２と現像カバー部材４３２の関係を示す。なお、図５１においては、解除カム２７２と現像カバー部材４３２との間に配置されている上流側駆動伝達部材４７４は不図示としている。
【０２２４】
解除カム２７２は、実質的にリング形状に構成され、外周面２７２ｉを有し、現像カバー部材４３２は内周面４３２ｉを有する。この内周面４３２ｉは外周面２７２ｉと係合するように構成されている。これによって、解除カム２７２は現像カバー部材４３２に対して摺動可能（現像ローラ６の軸線に沿ってスライド可能）に支持されている。
【０２２５】
また、現像カバー部材４３２は、第二ガイド部としてのガイド４３２ｈを有し、解除カム２７２は、第二被ガイド部としてのガイド溝２７２ｈを有する。ガイド４３２ｈとガイド溝２７２ｈは共に軸線方向に対し平行に形成されている。ここで、現像カバー部材４３２のガイド４３２ｈは、解除カム２７２のガイド溝２７２ｈと係合する。このガイド４３２ｈとガイド溝２７２ｈとが係合していることで、解除カム２７２は現像カバー部材４３２に対して、軸線方向（矢印Ｍ、および、Ｎ方向）にのみスライド移動可能な構成となっている。
【０２２６】
図５２に駆動連結部の断面図を示す。
【０２２７】
前述のように、下流側駆動伝達部材７１の被軸受部７１ｐ（円筒内面）と軸受４５の第一軸受部４５ｐ（円筒外面）とが互いに係合している。また、下流側駆動伝達部材７１の円筒部７１ｑと現像カバー部材４３２の内径部４３２ｑとが互いに係合している。すなわち、下流側駆動伝達部材７１は、軸受部材４５と現像カバー部材４３２とによって、その両端を回転可能に支持されている。
【０２２８】
また、現像カバー部材４３２の一端側支持部としての穴部４３２ｐが、上流側駆動伝達部材４７４の一端側被支持部としての円筒部４７４ｐを回転可能に支持している（図５２参照）。また、軸受部材４５の他端側支持部としての穴部４５ｋが、上流側駆動伝達部材４７４の他端側被支持部としての小径の円筒部４７４ｋを回転可能に支持している。すなわち、上流側駆動伝達部材４７４は、軸受部材４５と現像カバー部材４３２とによって、その両端を回転可能に支持されている。そして、これらの両端の間において、上流側駆動伝達部材４７４の係合部としての小径の円筒部４７４ｍと、下流側駆動伝達部材７１の係合部としての穴部７１ｍとが係合している（図４９参照）。
【０２２９】
さらに、軸受部材４５の第一軸受部４５ｐ（円筒外面）、現像カバー部材４３２の内径部４３２ｑ、および、穴部４３２ｐは、現像ユニット９の回動中心Ｘと同一直線上に配置されている。すなわち、上流側駆動伝達部材４７４は、現像ユニット９の回動中心Ｘを中心に回転可能に支持されている。また、下流側駆動伝達部材７１も現像ユニット９の回動中心Ｘを中心に回転可能に支持されていることになる。これにより、現像ローラ６の離間動作に連動して、精度よく現像ローラへの駆動切り替えを達成できる。
【０２３０】
前述したように、下流側駆動伝達部材７１と上流側駆動伝達部材４７４との間には、解除カム２７２が設けられている。
【０２３１】
図４３、図４６に示すように、下流側駆動伝達部材７１の爪７１ａと上流側駆動伝達部材４７４の爪４７４ａは、解除カム２７２の穴２７２ｄを通して、互いに係合する構成となっている。言い換えると、下流側駆動伝達部材７１と上流側駆動伝達部材４７４の係合部は、回動中心Ｘと平行方向において、解除カム２７２の少なくとも一部と重なっている。
【０２３２】
図５２（ａ）に示す駆動連結部の断面図では、下流側駆動伝達部材７１の爪７１ａと上流側駆動伝達部材４７４の爪４７４ａとが互いに係合している状態を示している。また、図５２（ｂ）に示す駆動連結部の断面図では、下流側駆動伝達部材７１の爪７１ａと上流側駆動伝達部材４７４の爪４７４ａとが互いに離間している状態を示している。
【０２３３】
現像カバー部材４３２の長手方向外側には、駆動側カートリッジカバー部材４２４が設けられている。図５３には、下流側駆動伝達部材７１と解除カム２７２、現像カバー部材４３２、および、駆動側カートリッジカバー部材４２４の構成を示している。なお、図５３においては、解除カム２７２と現像カバー部材４３２との間に配置されている上流側駆動伝達部材４７４は不図示としている。
【０２３４】
解除カム２７２は、当接部（斜面）２７２ａを有し、また、駆動側カートリッジカバー部材４２４は、作用部材としての当接部（斜面）４２４ｂを有する。さらに、現像カバー部材４３２は、開口４３２ｊを有する。解除カム２７２の当接部２７２ａと駆動側カートリッジカバー部材４２４の当接部４２４ｂとは、現像カバー部材４３２の開口４３２ｊを通して互いに接触可能に構成されている。
【０２３５】
［駆動解除動作］
以下、現像ローラ６とドラム４とが互いに接触した状態から離間した状態へ変化するときの、駆動連結部の動作について説明する。
【０２３６】
［状態１］
図７（ａ）に示すように、本体離間部材８０と軸受部材４５の力受け部４５ａとは、隙間ｄを有して離間している。このとき、ドラム４と現像ローラ６とは互いに接触した状態となっている。この状態を本体離間部材８０の状態１とする。このときの駆動連結部の構成を図５４（ａ）に模式的に示す。なお、図７に示すように、現像ローラの軸線に沿ってカートリッジＰを見たときに、力受け部（離間力受け部）４５ａは、現像ローラ６を基準として、上流側駆動伝達部材４７４（回転軸線Ｘ）とは実質的に反対側に突出している。また、図５４（ｂ）には、駆動連結部の構成の斜視図を示す。なお、図５４は、説明のために、一部の部品を不図示としている。また、図５４（ａ）においては、上流側駆動伝達部材４７４と下流側駆動伝達部材７１の対、および、解除カム２７２と駆動側カートリッジカバー部材４２４の対とを、それぞれ別々に示している。図５４（ｂ）において、駆動側カートリッジカバー部材４２４は当接部４２４ｂを含む一部のみを、また、現像カバー部材４３２はガイド４３２ｈを含む一部のみを表示している。解除カム２７２の当接部２７２ａと駆動側カートリッジカバー部材４２４の当接部４２４ｂとの間には隙間ｅがある。また、このとき、上流側駆動伝達部材４７４の爪４７４ａと下流側駆動伝達部材７１の爪７１ａは互いに係合量ｑを有して係合し、駆動伝達が可能な構成となっている。また、前述のように、下流側駆動伝達部材７１は現像ローラギア６９と係合している（図４７参照）。そのため、装置本体２から上流側駆動伝達部材４７４に入力された駆動力は、下流側駆動伝達部材７１を介して現像ローラギア６９に伝達される。これにより、現像ローラ６が駆動される。各部品の上記状態を接触位置と称し、また、現像接触・駆動伝達状態と称す。
【０２３７】
［状態２］
上記現像接触・駆動伝達状態から、図７（ｂ）に示すように、本体離間部材８０が図中矢印Ｆ１方向へδ１だけ移動すると、前述したように、現像ユニット９が回動中心Ｘを中心として矢印Ｋ方向に角度θ１だけ回動する。その結果、現像ローラ６はドラム４から距離ε１だけ離間する。現像ユニット９内に組み込まれた解除カム２７２や現像カバー部材４３２は、現像ユニット９の回動と連動して角度θ１だけ矢印Ｋ方向に回動する。一方、カートリッジＰが装置本体２に装着されているときは、ドラムユニット８、および、駆動側カートリッジカバー部材４２４、非駆動側カートリッジカバー部材２５は装置本体２に位置決め固定されている。すなわち、図５５（ａ）、図５５（ｂ）に示すように、駆動側カートリッジカバー部材４２４の当接部４２４ｂは移動しない。図においては、解除カム２７２が現像ユニット９の回動に連動して図中矢印Ｋ方向に回転移動して、解除カム２７２の当接部２７２ａと駆動側カートリッジカバー部材４２４の当接部４２４ｂとが互いに接触し始めた状態となっている。このとき、上流側駆動伝達部材４７４の爪４７４ａと下流側駆動伝達部材７１の爪７１ａとは互いに係合した状態を保っている（図５５（ａ））。そのため、装置本体２から上流側駆動伝達部材４７４へ入力された駆動力は、下流側駆動伝達部材７１、および、現像ローラギア６９を介して現像ローラ６へ伝達されている。各部品の上記状態を現像離間・駆動伝達状態と称す。
【０２３８】
［状態３］
上記現像離間・駆動伝達状態から、図７（ｃ）に示すように、本体離間部材８０が図中矢印Ｆ１方向へδ２だけ移動したときの、駆動連結部の構成を図５６（ａ）、図５６（ｂ）に示す。現像ユニット９の角度θ２（＞θ１）の回動と連動して、解除カム２７２や現像カバー部材４３２が回動する。一方、駆動側カートリッジカバー部材４２４は上述と同様に位置変化せず、解除カム２７２が図中矢印Ｋ方向に回転移動する。このとき、解除カム２７２の当接部２７２ａは駆動側カートリッジカバー部材４２４の当接部４２４ｂから反力を受ける。また、前述のように、解除カム２７２は、そのガイド溝２７２ｈが現像カバー部材４３２のガイド４３２ｈと係合して軸線方向（矢印Ｍ、および、Ｎ方向）にのみ移動可能に規制されている  （図５１参照）。そのため、結果として、解除カム２７２は現像カバー部材に対して矢印Ｎ方向へ移動量ｐだけスライド移動する。また、解除カム２７２の矢印Ｎ方向への移動と連動して、解除カム２７２の押圧面２７２ｃが下流側駆動伝達部材７１の被押圧面７１ｃを押圧する。これにより、下流側駆動伝達部材７１がバネ７０の押圧力に抗して矢印Ｎ方向へ移動量ｐだけスライド移動する（図５６、および、図５２（ｂ）参照）。
【０２３９】
このとき、上流側駆動伝達部材４７４の爪４７４ａと下流側駆動伝達部材７１の爪７１ａとの係合量ｑよりも移動量ｐが大きいため、爪４７４ａおよび爪７１ａの係合が解除される。これに伴い、上流側駆動伝達部材４７４は装置本体２から駆動力が入力されているため回転し続け、一方で、下流側駆動伝達部材７１は停止する。結果として、現像ローラギア６９、現像ローラ６の回転が停止する。各部品の上記状態を離間位置と称し、また、現像離間・駆動遮断状態と称す。
【０２４０】
以上、現像ユニット９の矢印Ｋ方向への回動と連動して、現像ローラ６への駆動遮断の動作を説明した。上記構成を採用することにより、現像ローラ６はドラム４に対して、回転しながら離間できる。その結果、現像ローラ６とドラム４との離間距離に応じて現像ローラ６への駆動を遮断することができる。
【０２４１】
［駆動連結動作］
次に、現像ローラ６とドラム４とが互いに離間した状態から接触した状態へ変化するときの、駆動連結部の動作について説明する。この動作は、上述の現像接触状態から現像離間状態への動作の逆である。
【０２４２】
現像離間状態（図７（ｃ）に示すように、現像ユニット９が角度θ２だけ回動した状態）では、駆動連結部は図５６に示すように、上流側駆動伝達部材４７４の爪４７４ａと下流側駆動伝達部材７１の爪７１ａとの係合が解除された状態となっている。
【０２４３】
上記の状態から、徐々に現像ユニット９を図７に示す矢印Ｈ方向へ回動させ、現像ユニット９が角度θ１だけ回動した状態（図７（ｂ）、及び、図５５に示す状態）では、下流側駆動伝達部材７１がバネ７０の押圧力により矢印Ｍ方向へ移動することで、上流側駆動伝達部材４７４の爪４７４ａと下流側駆動伝達部材７１の爪７１ａとが互いに係合する。これにより、装置本体２からの駆動力が現像ローラ６に伝達され、現像ローラ６が回転駆動される。なお、このときは、現像ローラ６とドラム４とは互いに離間した状態を保っている。
【０２４４】
さらに上記の状態から、徐々に現像ユニット９を図７に示す矢印Ｈ方向へ回動させていくことで、現像ローラ６とドラム４とを接触させることができる。
【０２４５】
以上、現像ユニット９の矢印Ｈ方向への回動に連動した、現像ローラ６への駆動伝達の動作を説明した。上記構成により、現像ローラ６はドラム４に対して、回転しながら接触し、現像ローラ６とドラム４との離間距離に応じて現像ローラ６へ駆動を伝達することができる。
【０２４６】
以上、説明したように、本構成においては、現像ローラ６への駆動遮断と駆動伝達の切替を現像ユニット９が回動した角度で一義的に決定できる構成となっている。
【０２４７】
〔実施例５〕
次に、この発明の第５の実施形態によるカートリッジについて説明する。なお、既出の実施形態と同様の構成については、その説明を省略する。
【０２４８】
［現像ユニットの構成］
現像ユニット９は、図５７、図５８に示すように、現像ローラ６、現像ブレード３１、現像枠体２９、軸受部材４５、現像カバー部材４３２などで構成されている。
【０２４９】
また、図５７に示すように、軸受部材４５は、現像枠体２９の長手方向一端側に固定されている。この軸受部材４５は、現像ローラ６を回転可能に支持している。現像ローラ６は、その長手端部に現像ローラギア６９を有する。軸受部材４５は、現像ローラギア６９へ駆動力を伝達するための第三駆動伝達部材としてのアイドラギア６８も回転可能に支持している。このアイドラギア６８は実質的に円筒形状である。
【０２５０】
そして現像カバー部材４３２が、カートリッジＰの長手方向において、軸受部材４５の外側に固定されている。この現像カバー部材４３２は、現像ローラギア６９やアイドラギア６８、第一駆動伝達部材のとしての上流側駆動伝達部材４７４、第二駆動伝達部材としての下流側駆動伝達部材５７１を覆うように構成されている。さらに、現像カバー部材４３２には円筒部４３２ｂが設けられている。そして、円筒部４３２ｂの内側の開口４３２ｄからは、上流側駆動伝達部材４７４の駆動入力部４７４ｂが露出している。この駆動入力部４７４ｂは、カートリッジＰ（ＰＹ・ＰＭ・ＰＣ・ＰＫ）が装置本体２に装着された際に、図３（ｂ）に示す現像駆動出力部材６２（６２Ｙ・６２Ｍ・６２Ｃ・６２Ｋ）と係合し、装置本体２に設けられた駆動モータ（不図示）からの駆動力が伝達される構成となっている。即ち、上流側駆動伝達部材４７４は、現像入力カップリングとして機能する。装置本体２から上流側駆動伝達部材４７４へ入力された駆動力は、下流側駆動伝達部材５７１、第三駆動伝達部材としてのアイドラギア６８を介して、現像ローラギア６９、および、現像ローラ６へ伝達される構成となっている。駆動連結部の構成については追って詳述する。
【０２５１】
［駆動連結部の構成］
図５７、図５８を用いて駆動連結部の構成について説明する。
【０２５２】
まず、概略について説明する。
【０２５３】
軸受部材４５と駆動側カートリッジカバー部材４２４との間には、軸受部材４５から駆動側カートリッジカバー部材４２４に向かって、アイドラギア６８、付勢部材としての弾性部材であるバネ７０、第二カップリング部材としての下流側駆動伝達部材５７１、解除機構の一部であり解除部材としての解除カム２７２、第一カップリング部材としての上流側駆動伝達部材４７４、現像カバー部材４３２が設けられている。これらの部材は、上流側駆動伝達部材４７４と同一直線上に設けられている。本実施の形態においては、駆動連結部とは、アイドラギア６８、バネ７０、下流側駆動伝達部材５７１、解除カム２７２、上流側駆動伝達部材４７４、現像カバー部材４３２、駆動側カートリッジカバー部材４２４で構成されている。以下、順次、詳細を説明する。
【０２５４】
軸受部材４５が、回転力伝達部材としてのアイドラギア６８を回転可能に支持している。より詳細に述べると、軸受部材４５の第一軸受部４５ｐ（円筒外面）が、アイドラギア６８の被軸受部６８ｐ（円筒内面）を回転可能に支持している（図５７、図５８参照）。ここで、アイドラギア６８の外周部にギア部６８ｇが設けられている。
【０２５５】
更に、軸受部材４５は現像ローラ６を回転可能に支持している。より詳細に述べると、軸受部材４５の第二軸受部４５ｑ（円筒内面）が、現像ローラ６の軸部６ａを回転可能に支持している。
【０２５６】
そして、現像ローラ６の軸部６ａに、現像ローラギア６９が嵌合されている。これによって、アイドラギア６８から現像ローラギア６９を介して現像ローラ６に回転力が伝達されるように構成されている。
【０２５７】
図５９は、アイドラギア６８、バネ７０、および、下流側駆動伝達部材５７１の部品構成を示している。また、図５９（ｂ）は各部品が組みつけられた状態を示している。
アイドラギア６８は、実質的に円筒形状であり、その内側に第一ガイド部としてのガイド６８ａを有する。このガイド部６８ａは、回転軸線Ｘと実質的に平行に形成された軸部である。一方、下流側駆動伝達部材５７１は、第一被ガイド部としての穴部５７１ｂを有している。穴部５７１ｂがガイド６８ａと係合した状態で、下流側駆動伝達部材５７１が回動中心Ｘに沿って移動可能である。言い換えると、アイドラギア６８は、その内側で、その回転軸線  に沿って下流側駆動伝達部材５７１をスライド移動可能に保持する。更に言い換えると、下流側駆動伝達部材５７１は、アイドラギア６８に対し、矢印ＭまたはＮ方向にスライド移動可能である。
【０２５８】
ここで、ガイド部６８ａは穴部５７１ｂから現像ローラ６を回転させるための回転力を受ける。
【０２５９】
本実施例においては、ガイド６８ａは、回動中心Ｘを中心として９０度毎に４つ設けられ、回動中心Ｘに対し平行方向に沿った形状である。これに対応して、穴部５７１ｂも回動中心Ｘを中心として９０度毎に４つ設けられている。なお、ガイド６８ａ、および、穴部５７１ｂの数は必ずしも４つずつである必要はない。ガイド６８ａ、および、穴部５７１ｂは、各々複数で、且つ、軸線Ｘを中心として円周方向に等間隔に配置することが望ましい。この場合、ガイド６８ａ、または、穴部５７１ｂに作用する力の合力は下流側駆動伝達部材５７１やアイドラギア６８を軸線Ｘを中心に回転させるモーメントとして作用する。そのため、下流側駆動伝達部材５７１やアイドラギア６８の軸線Ｘに対しての軸倒れを抑制することができる
また、アイドラギア６８と下流側駆動伝達部材５７１との間には、付勢部材としての弾性部材であるバネ７０が設けられている。図５９（ｂ）に示した状態では、バネ７０は合いドラギア６８の内側に設けられており、下流側駆動伝達部材５７１を矢印Ｍ方向に押圧している。即ち、バネ７０の弾性力に抗して下流側駆動伝達部材５７１はアイドラギア６８の内側に移動可能に構成されている。そして、下流側駆動伝達部材５７１は、アイドラギア６８の内側に移動することにより、上流側駆動伝達部材４７４とのカップリングが解除されるように構成されている。
【０２６０】
図６０には、第一カップリング部材としての上流側駆動伝達部材４７４と、第二カップリング部材としての下流側駆動伝達部材５７１の構成を示している。なお、図６０においては、上流側駆動伝達部材４７４と下流側駆動伝達部材５７１との間に配置されている解除カム２７２は不図示としている。
【０２６１】
下流側駆動伝達部材５７１は係合部としての爪部５７１ａを有し、上流側駆動伝達部材４７４は係合部としての爪部４７４ａを有する。爪部５７１ａと爪部４７４ａは互いに係合可能に構成されている。本実施例においては、爪部５７１ａと爪部４７４ａはそれぞれ６個の爪を有する。
【０２６２】
また、上流側駆動伝達部材４７４には、装置本体２から図３（ｂ）に示す現像駆動出力部材６２と係合する駆動入力部４７４ｂが設けられている。この駆動入力部４７４ｂは、実質的な三角柱を微小に捩った形状である。
【０２６３】
また、下流側駆動伝達部材５７１の中央には係合部としての穴部５７１ｍが設けられている。この穴部５７１ｍは、上流側駆動伝達部材４７４の係合部としての小径の円筒部４７４ｍと係合する。これによって、下流側駆動伝達部材５７１は、上流側駆動伝達部材４７４に対して摺動可能（回転可能かつそれぞれの軸線に沿ってスライド可能）に支持されている。
【０２６４】
ここで、図５７および図５８に示すように、下流側駆動伝達部材５７１と上流側駆動伝達部材４７４の間には、解除カム２７２が配置されている。第一の実施形態と同様に、解除カム２７２は現像カバー部材４３２に対して、軸線方向（矢印Ｍ、および、Ｎ方向）にのみスライド移動可能な構成となっている（図５１参照）。
【０２６５】
図６１に駆動連結部の断面図を示す。
【０２６６】
前述のように、アイドラギア６８の円筒部６８ｐと軸受４５の第一軸受部４５ｐ（円筒外面）とが互いに係合している。また、アイドラギア６８の円筒部６８ｑと現像カバー部材４３２の内径部４３２ｑとが互いに係合している。すなわち、アイドラギア６８は、軸受部材４５と現像カバー部材４３２とによって、その両端を回転可能に支持されている。
【０２６７】
また、上流側駆動伝達部材４７４の円筒部４７４ｐと現像カバー部材４３２の穴部４３２ｐとが互いに係合することで、上流側駆動伝達部材４７４は現像カバー部材４３２に対して摺動可能（現像ローラの軸線に沿ってスライド可能）に支持されている。
【０２６８】
さらに、軸受部材４５の第一軸受部４５ｐ（円筒外面）、現像カバー部材４３２の内径部４３２ｑ、および、穴部４３２ｐは、現像ユニット９の回動中心Ｘと同一直線上に配置されている。すなわち、上流側駆動伝達部材４７４は、現像ユニット９の回動中心Ｘを中心に回転可能に支持されている。また、前述のように、上流側駆動伝達部材４７４の円筒部４７４ｍと下流側駆動伝達部材５７１の穴部５７１ｍとが回転可能、且つ回転中心Ｘに沿ってスライド可能に係合している（図６０参照）。これによって、結果として、下流側駆動伝達部材５７１も現像ユニット９の回動中心Ｘを中心に回転可能に支持されていることになる。
【０２６９】
図６１（ａ）に示す駆動連結部の断面図では、下流側駆動伝達部材５７１のカップリング部としての爪５７１ａと上流側駆動伝達部材４７４のカップリング部としての爪４７４ａとが互いに係合している状態を示している。また、図６１（ｂ）に示す駆動連結部の断面図では、下流側駆動伝達部材５７１の爪５７１ａと上流側駆動伝達部材４７４の爪４７４ａとが互いに離間している状態を示している。
【０２７０】
［駆動解除動作］
以下、現像ローラ６とドラム４とが互いに接触した状態から離間した状態へ変化するときの、駆動連結部の動作について説明する。
【０２７１】
［状態１］
図７（ａ）に示すように、本体離間部材８０と軸受部材４５の力受け部４５ａとは、隙間ｄを有して離間している。このとき、ドラム４と現像ローラ６とは互いに接触した状態となっている。この状態を本体離間部材８０の状態１とする。このときの駆動連結部の構成を図６２（ａ）に模式的に示す。また、図６２（ｂ）には、駆動連結部の構成の斜視図を示す。なお、図６２は、説明のために、一部の部品を不図示としている。また、図６２（ａ）においては、上流側駆動伝達部材４７４と下流側駆動伝達部材５７１の対、および、解除カム２７２と駆動側カートリッジカバー部材４２４の対とを、それぞれ別々に示している。図６２（ｂ）において、駆動側カートリッジカバー部材４２４は当接部４２４ｂを含む一部のみを、また、現像カバー部材４３２はガイド４３２ｈを含む一部のみを表示している。解除カム２７２の当接部２７２ａと駆動側カートリッジカバー部材４２４の作用部としての当接部４２４ｂとの間には隙間ｅがある。また、このとき、上流側駆動伝達部材４７４の爪４７４ａと下流側駆動伝達部材５７１の爪５７１ａは互いに係合量ｑを有して係合し、駆動伝達が可能な構成となっている。また、前述のように、下流側駆動伝達部材５７１はアイドラギア６８と係合している  （図５９参照）。そのため、装置本体２から上流側駆動伝達部材４７４に入力された駆動力は、下流側駆動伝達部材５７１を介してアイドラギア６８、現像ローラギア６９に伝達される。これにより、現像ローラ６が駆動される。各部品の上記状態を接触位置と称し、また、現像接触・駆動伝達状態と称す。
【０２７２】
［状態２］
上記現像接触・駆動伝達状態から、図７（ｂ）に示すように、本体離間部材８０が図中矢印Ｆ１方向へδ１だけ移動すると、前述したように、現像ユニット９が回動中心Ｘを中心として矢印Ｋ方向に角度θ１だけ回動する。その結果、現像ローラ６はドラム４から距離ε１だけ離間する。現像ユニット９内に組み込まれた解除カム２７２や現像カバー部材４３２は、現像ユニット９の回動と連動して角度θ１だけ矢印Ｋ方向に回動する。一方、カートリッジＰが装置本体２に装着されているときは、ドラムユニット８、および、駆動側カートリッジカバー部材４２４、非駆動側カートリッジカバー部材２５は装置本体２に位置決め固定されている。すなわち、図６３（ａ）、図６３（ｂ）に示すように、駆動側カートリッジカバー部材４２４の当接部４２４ｂは移動しない。図においては、解除カム２７２が現像ユニット９の回動に連動して図中矢印Ｋ方向に回転移動して、解除カム２７２の当接部２７２ａと駆動側カートリッジカバー部材４２４の当接部４２４ｂとが互いに接触し始めた状態となっている。このとき、上流側駆動伝達部材４７４の爪４７４ａと下流側駆動伝達部材５７１の爪５７１ａとは互いに係合した状態を保っている（図６３（ａ））。そのため、装置本体２から上流側駆動伝達部材４７４へ入力された駆動力は、下流側駆動伝達部材５７１、および、アイドラギア６８、現像ローラギア６９を介して現像ローラ６へ伝達されている。各部品の上記状態を現像離間・駆動伝達状態と称す。
【０２７３】
［状態３］
上記現像離間・駆動伝達状態から、図７（ｃ）に示すように、本体離間部材８０が図中矢印Ｆ１方向へδ２だけ移動したときの、駆動連結部の構成を図６４（ａ）、図６４（ｂ）に示す。現像ユニット９の角度θ２（＞θ１）の回動と連動して、解除カム２７２や現像カバー部材４３２が回動する。一方、駆動側カートリッジカバー部材４２４は上述と同様に位置変化せず、解除カム２７２が図中矢印Ｋ方向に回転移動する。このとき、解除カム２７２の当接部２７２ａは駆動側カートリッジカバー部材４２４の当接部４２４ｂから反力を受ける。また、前述のように、解除カム２７２は、そのガイド溝２７２ｈが現像カバー部材４３２のガイド４３２ｈと係合して軸線方向（矢印Ｍ、および、Ｎ方向）にのみ移動可能に規制されている（図５１参照）。そのため、結果として、解除カム２７２は矢印Ｎ方向へ移動量ｐだけスライド移動する。また、解除カム２７２の矢印Ｎ方向への移動と連動して、解除カム２７２の押圧面２７２ｃが下流側駆動伝達部材５７１の被押圧面５７１ｃを押圧する。これにより、下流側駆動伝達部材５７１がバネ７０の押圧力に抗して矢印Ｎ方向へ移動量ｐだけスライド移動する（図６４、および、図６１（ｂ）参照）。
【０２７４】
このとき、上流側駆動伝達部材４７４の爪４７４ａと下流側駆動伝達部材５７１の爪５７１ａとの係合量ｑよりも移動量ｐが大きいため、爪４７４ａおよび爪５７１ａの係合が解除される。これに伴い、上流側駆動伝達部材４７４は装置本体２から駆動力が入力されているため回転し続け、一方で、下流側駆動伝達部材５７１は停止する。結果として、アイドラギア６８、および、現像ローラギア６９、現像ローラ６の回転が停止する。各部品の上記状態を離間位置と称し、また、現像離間・駆動遮断状態と称す。
【０２７５】
以上、現像ユニット９の矢印Ｋ方向への回動と連動して、現像ローラ６への駆動遮断の動作を説明した。上記構成を採用することにより、現像ローラ６はドラム４に対して、回転しながら離間でき、現像ローラ６とドラム４との離間距離に応じて現像ローラ６への駆動を遮断することができる。
【０２７６】
［駆動連結動作］
次に、現像ローラ６とドラム４とが互いに離間した状態から接触した状態へ変化するときの、駆動連結部の動作について説明する。この動作は、上述の現像接触状態から現像離間状態への動作の逆である。
【０２７７】
現像離間状態（図７（ｃ）に示すように、現像ユニット９が角度θ２だけ回動した状態）では、駆動連結部は図６４に示すように、上流側駆動伝達部材４７４の爪４７４ａと下流側駆動伝達部材５７１の爪５７１ａとの係合が解除された状態となっている。
【０２７８】
上記の状態から、徐々に現像ユニット９を図７に示す矢印Ｈ方向へ回動させ、現像ユニット９が角度θ１だけ回動した状態（図７（ｂ）、及び、図６３に示す状態）では、下流側駆動伝達部材５７１がバネ７０の押圧力により矢印Ｍ方向へ移動することで、上流側駆動伝達部材４７４の爪４７４ａと下流側駆動伝達部材５７１の爪５７１ａとが互いに係合する。これにより、装置本体２からの駆動力が現像ローラ６に伝達され、現像ローラ６が回転駆動される。なお、このときは、現像ローラ６とドラム４とは互いに離間した状態を保っている。
【０２７９】
さらに上記の状態から、徐々に現像ユニット９を図７に示す矢印Ｈ方向へ回動させていくことで、現像ローラ６とドラム４とを接触させることができる。
【０２８０】
以上、現像ユニット９の矢印Ｈ方向への回動に連動した、現像ローラ６への駆動伝達の動作を説明した。上記構成により、現像ローラ６はドラム４に対して、回転しながら接触し、現像ローラ６とドラム４との離間距離に応じて現像ローラ６へ駆動を伝達することができる。
【０２８１】
特に本実施の形態の場合、現像ローラ６への駆動遮断と駆動伝達の切替を行う際に、現像ローラギア６９に対してアイドラギア６８を軸線方向に移動させる必要がない。各ギアがはすばギアの場合、ギア駆動伝達部ではギア歯面にスラスト力（軸線方向に作用する力）が発生している。そのため、第１の実施の形態の場合、第二カップリング部材としてのアイドラギア６８を軸線方向（矢印Ｍ、または、Ｎ方向）に移動させるためには、スラスト力に抗した力が必要になる。
【０２８２】
一方、本実施の形態の場合、下流側駆動伝達部材５７１は、アイドラギア６８のガイド６８ａと係合し、軸線方向に移動する構成となっている。そのため、第二カップリング部材としての下流側駆動伝達部材５７１を軸線方向に移動させる際に必要な力を小さくすることができる。
【０２８３】
さらに、下流側駆動伝達部材５７１を、アイドラギア６８の内径部に配置することができれば、現像ユニット９全体の長手方向を小型化できる。図６５は本実施の形態の駆動連結部の断面図である。軸線方向に、下流側駆動伝達部材５７１の幅５７１ｙ、下流側駆動伝達部材５７１の移動スペースｐ、アイドラギア６８の幅６８ｘが必要である。ここで、下流側駆動伝達部材５７１の幅５７１ｙ、および、移動スペースｐの一部、または、全部をアイドラギア６８の幅６８ｘ内に配置することで、現像ユニット９全体の長手方向のサイズを小型化できる。
【０２８４】
〔実施例６〕
次に、この発明の第６の実施形態によるカートリッジについて説明する。なお、既出の実施形態と同様の構成については、その説明を省略する。
【０２８５】
［駆動連結部の構成］
図６６、図６７を用いて駆動連結部の構成について説明する。
【０２８６】
まず、概略について説明する。
【０２８７】
軸受部材４５と、駆動側カートリッジカバー部材６２４と、の間には、軸受部材４５から駆動側カートリッジカバー部材６２４に向かって、第三駆動伝達部材としてのアイドラギア６８、付勢部材としての弾性部材であるバネ７０、第二カップリング部材としての下流側駆動伝達部材５７１、解除機構の一部でありカップリング解除部材であって作用部材としての解除カム６７２、第一カップリング部材としての上流側駆動伝達部材４７４、現像カバー部材６３２が設けられている。これらの部材は、上流側駆動伝達部材４７４と同一直線上に設けられている。本実施の形態においては、駆動連結部とは、アイドラギア６８、バネ７０、下流側駆動伝達部材５７１、解除カム６７２、上流側駆動伝達部材４７４、現像カバー部材６３２、駆動側カートリッジカバー部材６２４で構成されている。
【０２８８】
図６８に、解除カム６７２と現像カバー部材６３２の関係を示す。なお、図６８においては、解除カム６７２と現像カバー部材６３２との間に配置されている上流側駆動伝達部材４７４は不図示としている。解除カム６７２は、実質的にリング形状のリング部６７２ｊを有する。このリング部６７２ｊは、第二被ガイド部としての外周面６７２ｉを有し、現像カバー部材６３２は第二ガイド部の一部としての内周面６３２ｉを有する。この内周面６３２ｉは外周面６７２ｉと係合するように構成されている。また、解除カム６７２の外周面６７２ｉ、および、現像カバー部材６３２の内周面６３２ｉは共に、回動中心Ｘに対して同一直線上（同軸）に配置されている。すなわち、解除カム６７２は現像カバー部材６３２、および、現像ユニット９に対して、軸線方向にスライド移動可能で、且つ、軸線Ｘを中心とした回転方向にも回転可能に支持されている。
【０２８９】
また、カップリング解除部材としての解除カム６７２のリング部６７２ｊは、力受け部としての当接部（斜面）６７２ａを有する。また、現像カバー部材６３２は、当接部（斜面）６３２ｒを有する。ここで、解除カム６７２の当接部６７２ａと現像カバー部材６３２の当接部６３２ｒとが接触可能に構成されている。
【０２９０】
図６９は、駆動連結部、および、駆動側カートリッジカバー部材６２４の構成を示している。解除カム６７２は、前記リング部６７２ｊから突出した突出部６７２ｍを有する。この突出部は、第二被ガイド部としての力受け部６７２ｂを有する。この力受け部６７２ｂは、駆動側カートリッジカバー部材６２４の第二ガイド部の一部としての規制部６２４ｄと係合することにより、駆動側カートリッジカバー部材６２４から力を受ける。この力受け部６７２ｂは、現像カバー部材６３２の円筒部６３２ｂの一部に設けられた開口６３２ｃから突出し、駆動側カートリッジカバー部材６２４の規制部６２４ｄと係合する構成となっている。この規制部６２４ｄと力受け部６７２ｂとが係合していることで、解除カム６７２は駆動側カートリッジカバー部材６２４に対して、軸線方向（矢印Ｍ、および、Ｎ方向）にのみスライド移動可能な構成となっている。また、第一、および、第二の実施の形態と同様に、現像カバー部材６３２の円筒部６３２ｂの外径部６３２ａは、駆動側カートリッジカバー部材６２４の摺動部６２４ａ（円筒内面）と摺動する構成となっている。すなわち、外径部６３２ａは回動可能に摺動部６２４ａと結合している。
【０２９１】
なお、後述する駆動切替動作において、解除カム６７２が軸線方向（矢印Ｍ、および、Ｎ方向）にスライド移動する際に、軸線方向に対して軸倒れする恐れがある。軸倒れの発生によって駆動連結・解除動作のタイミングなどの駆動切替性能の悪化が懸念される。解除カム６７２の軸倒れを抑制するために、解除カム６７２の外周面６７２ｉと現像カバー部材６３２の内周面６３２ｉの摺動抵抗、および、解除カム６７２の力受け部６７２ｂと駆動側カートリッジカバー部材６２４の規制部６２４ｄとの摺動抵抗を下げるとよい。また、図７０に示すように、解除カム６１７２の外周面６１７２ｉ、および、現像カバー部材６１３２の内周面６１３２ｉを軸線方向に延長して、解除カム６１７２の軸線方向の係合量を増加させるのもよい。
【０２９２】
以上のことから、解除カム６７２は、第二ガイド部の一部である現像カバー部材６３２の内周面６３２ｉと、第二ガイド部の一部である駆動側カートリッジカバー部材６２４の規制部６２４ｄと、の両者と係合している。すなわち、解除カム６７２は、現像ユニット９に対しては軸線方向（矢印Ｍ、および、Ｎ方向）と軸線Ｘを中心とした回転方向に摺動可能（回転可能）であり、ドラムユニット８、および、ドラムユニット８に固定された駆動側カートリッジカバー部材６２４に対しては軸線方向（矢印Ｍ、および、Ｎ方向）にのみスライド移動可能な構成となっている。
【０２９３】
ここで、図７１（ａ）は、現像ユニット９に作用する力を模式的に示したカートリッジＰの斜視図であり、図７１（ｂ）は、カートリッジＰを軸線Ｘ方向に沿って見た側面図の一部を示している。
【０２９４】
現像ユニット９には、加圧バネ９５からの反力Ｑ１、現像ローラ６を介してドラム４から受ける反力Ｑ２、および、自重Ｑ３などが作用している。これに加え、駆動解除動作時には、解除カム６７２は、駆動側カートリッジカバー部材６２４と係合して反力Ｑ４を受ける（詳細は後述する）。これら反力Ｑ１、Ｑ２、Ｑ４、および、自重Ｑ３の合力Ｑ０は、現像ユニット９を回動可能に支持している駆動側、および、非駆動側カートリッジカバー部材６２４、２５の支持穴部６２４ａ、２５ａに作用することになる。
【０２９５】
すなわち、カートリッジＰを軸線方向に沿って見た場合（図７１（ｂ））、合力Ｑ０の方向には、現像カバー部材６３２と接触する駆動側カートリッジカバー部材６２４の摺動部６２４ａが必要になる。すなわち、駆動側カートリッジカバー部材６２４の摺動部６２４ａには、合力Ｑ０を受ける合力受け部６２４ａ１を有する（図６９参照）。一方、合力Ｑ０の方向以外には、現像カバー部材６３２の円筒部６３２ｂや駆動側カートリッジカバー部材６２４の摺動部６２４ａは必ずしも必要ではない。本実施例においては、上記を考慮し、現像カバー部材６３２の駆動側カートリッジカバー部材６２４と摺動する円筒部６３２ｂの一部で、且つ、合力Ｑ０の方向ではない方向（本実施例では、合力Ｑ０と逆側）に開口６３２ｃを設けている。また、その開口６３２ｃに、駆動側カートリッジカバー部材６２４の規制部６２４ｄと係合する解除カム６７２を配置している。
【０２９６】
図７２に駆動連結部の断面図を示す。
【０２９７】
アイドラギア６８の円筒部６８ｐ（円筒内面）と軸受４５の第一軸受部４５ｐ（円筒外面）とが互いに係合している。また、アイドラギア６８の円筒部６８ｑ（円筒外面）と現像カバー部材６３２の内径部６３２ｑとが互いに係合している。すなわち、アイドラギア６８は、軸受部材４５と現像カバー部材６３２とによって、その両端を回転可能に支持されている。
【０２９８】
また、上流側駆動伝達部材４７４の円筒部４７４ｐ（円筒外面）と現像カバー部材６３２の穴部６３２ｐとが互いに係合している。これにより、上流側駆動伝達部材４７４は現像カバー部材６３２に対して摺動可能（回転可能）に支持されている。
【０２９９】
さらに、軸受部材４５の第一軸受部４５ｐ（円筒外面）、現像カバー部材６３２の内径部６３２ｑ、および、穴部６３２ｐは、現像ユニット９の回動中心Ｘと同一直線上に配置されている。すなわち、上流側駆動伝達部材４７４は、現像ユニット９の回動中心Ｘを中心に回転可能に支持されている。また、前述のように、上流側駆動伝達部材４７４の円筒部４７４ｍと下流側駆動伝達部材５７１の穴部５７１ｍとが係合している（図６０参照）。これによって、結果として、下流側駆動伝達部材５７１も現像ユニット９の回動中心Ｘを中心に回転可能に支持されていることになる。
【０３００】
図７２（ａ）に示す駆動連結部の断面図では、下流側駆動伝達部材５７１の爪５７１ａと上流側駆動伝達部材４７４の爪４７４ａとが互いに係合している状態を示している。また、図７２（ｂ）に示す駆動連結部の断面図では、下流側駆動伝達部材５７１の爪５７１ａと上流側駆動伝達部材４７４の爪４７４ａとが互いに離間している状態を示している。
【０３０１】
［駆動解除動作］
以下、現像ローラ６とドラム４とが互いに接触した状態から離間した状態へ変化するときの、駆動連結部の動作について説明する。
【０３０２】
［状態１］
図７（ａ）に示すように、本体離間部材８０と軸受部材４５の力受け部４５ａとは、隙間ｄを有して離間している。このとき、ドラム４と現像ローラ６とは互いに接触した状態となっている。この状態を本体離間部材８０の状態１とする。このときの駆動連結部の構成を図７３（ａ）に模式的に示す。また、図７３（ｂ）には、駆動連結部の構成の斜視図を示す。なお、図７３は、説明のために、一部の部品を不図示としている。また、図７３（ａ）においては、上流側駆動伝達部材４７４と下流側駆動伝達部材５７１の対、および、解除カム６７２と現像カバー部材６３２の対とを、それぞれ別々に示している。図７３（ｂ）において、現像カバー部材６３２は当接部６３２ｒを含む一部のみを、また、駆動側カートリッジカバー部材６２４は規制部６２４ｄを含む一部のみを表示している。解除カム６７２の当接部６７２ａと現像カバー部材６３２の当接部６３２ｒとの間には隙間ｅがある。また、このとき、上流側駆動伝達部材４７４の爪４７４ａと下流側駆動伝達部材５７１の爪５７１ａは互いに係合量ｑを有して係合し、駆動伝達が可能な構成となっている。また、前述のように、下流側駆動伝達部材５７１はアイドラギア６８と係合している（図５９参照）。そのため、装置本体２から上流側駆動伝達部材４７４に入力された駆動力は、下流側駆動伝達部材５７１を介してアイドラギア６８、および、現像ローラギア６９に伝達される。これにより、現像ローラ６が駆動される。各部品の上記状態を接触位置と称し、また、現像接触・駆動伝達状態と称す。
【０３０３】
［状態２］
上記現像接触・駆動伝達状態から、図７（ｂ）に示すように、本体離間部材８０が図中矢印Ｆ１方向へδ１だけ移動すると、前述したように、現像ユニット９が回動中心Ｘを中心として矢印Ｋ方向に角度θ１だけ回動する。その結果、現像ローラ６はドラム４から距離ε１だけ離間する。現像ユニット９内に組み込まれた解除カム６７２や現像カバー部材６３２は、現像ユニット９の回動と連動して角度θ１だけ矢印Ｋ方向に回動する。一方、解除カム６７２は、現像ユニット９に組み込まれているが、図６９に示したように、力受け部６７２ｂが駆動側カートリッジカバー部材６２４の係合部６２４ｄと係合している。そのため、現像ユニット９が回動しても、解除カム６７２は位置変化しない。すなわち、解除カム６７２は、現像ユニット９に対して相対移動する。図７４（ａ）、図７４（ｂ）に示すように、解除カム６７２の当接部６７２ａと現像カバー部材６３２の当接部６３２ｒとが互いに接触し始めた状態となっている。このとき、上流側駆動伝達部材４７４の爪４７４ａと下流側駆動伝達部材５７１の爪５７１ａとは互いに係合した状態を保っている（図７４（ａ））。そのため、装置本体２から上流側駆動伝達部材４７４へ入力された駆動力は、下流側駆動伝達部材５７１、および、アイドラギア６８、現像ローラギア６９を介して現像ローラ６へ伝達されている。各部品の上記状態を現像離間・駆動伝達状態と称す。なお、前述の状態１においては、必ずしも、力受け部６７２ｂが駆動側カートリッジカバー部材６２４の係合部６２４ｄに当接している構成でなくてもよい。すなわち、状態１において力受け部６７２ｂが駆動側カートリッジカバー部材６２４の係合部６２４ｄに対して隙間を有して配置されていてもよい。この場合は、状態１から状態２への動作の最中に、力受け部６７２ｂと駆動側カートリッジカバー部材６２４の係合部６２４ｄとの隙間がなくなり、力受け部６７２ｂが駆動側カートリッジカバー部材６２４の係合部６２４ｄに当接することになる。
【０３０４】
［状態３］
上記現像離間・駆動伝達状態から、図７（ｃ）に示すように、本体離間部材８０が図中矢印Ｆ１方向へδ２だけ移動したときの、駆動連結部の構成を図７５（ａ）、図７５（ｂ）に示す。現像ユニット９の角度θ２（＞θ１）の回動と連動して、現像カバー部材６３２が回動する。このとき、解除カム６７２の当接部６７２ａは現像カバー部材６３２の当接部６３２ｒから反力を受ける。また、前述のように、解除カム６７２は、その力受け部６７２ｂが駆動側カートリッジカバー部材６２４の係合部６２４ｄと係合して軸線方向（矢印Ｍ、および、Ｎ方向）にのみ移動可能に規制されている  （図６９参照）。そのため、結果として、解除カム６７２は矢印Ｎ方向へ移動量ｐだけスライド移動する。また、解除カム６７２の矢印Ｎ方向への移動と連動して、解除カム６７２の付勢部としての押圧面６７２ｃが、下流側駆動伝達部材５７１の被付勢部としての被押圧面５７１ｃを押圧（付勢）する。これにより、下流側駆動伝達部材５７１がバネ７０の押圧力に抗して矢印Ｎ方向へ移動量ｐだけスライド移動する（図７５、および、図７２（ｂ）参照）。
【０３０５】
このとき、上流側駆動伝達部材４７４の爪４７４ａと下流側駆動伝達部材５７１の爪５７１ａとの係合量ｑよりも移動量ｐが大きいため、爪４７４ａおよび爪５７１ａの係合が解除される。これに伴い、上流側駆動伝達部材４７４は装置本体２から駆動力が入力されているため回転し続け、一方で、下流側駆動伝達部材５７１は停止する。結果として、アイドラギア６８、および、現像ローラギア６９、現像ローラ６の回転が停止する。各部品の上記状態を離間位置と称し、また、現像離間・駆動遮断状態と称す。
【０３０６】
以上、現像ユニット９の矢印Ｋ方向への回動と連動して、現像ローラ６への駆動遮断の動作を説明した。上記構成を採用することにより、現像ローラ６はドラム４に対して、回転しながら離間でき、現像ローラ６とドラム４との離間距離に応じて現像ローラ６への駆動を遮断することができる。
【０３０７】
［駆動連結動作］
次に、現像ローラ６とドラム４とが互いに離間した状態から接触した状態へ変化するときの、駆動連結部の動作について説明する。この動作は、上述の現像接触状態から現像離間状態への動作の逆である。
【０３０８】
現像離間状態（図７（ｃ）に示すように、現像ユニット９が角度θ２だけ回動した状態）では、駆動連結部は図７５に示すように、上流側駆動伝達部材４７４の爪４７４ａと下流側駆動伝達部材５７１の爪５７１ａとの係合が解除された状態となっている。
【０３０９】
上記の状態から、徐々に現像ユニット９を図７に示す矢印Ｈ方向へ回動させ、現像ユニット９が角度θ１だけ回動した状態（図７（ｂ）、及び、図７４に示す状態）では、下流側駆動伝達部材５７１がバネ７０の押圧力により矢印Ｍ方向へ移動することで、上流側駆動伝達部材４７４の爪４７４ａと下流側駆動伝達部材５７１の爪５７１ａとが互いに係合する。これにより、装置本体２からの駆動力が現像ローラ６に伝達され、現像ローラ６が回転駆動される。なお、このときは、現像ローラ６とドラム４とは互いに離間した状態を保っている。
【０３１０】
さらに上記の状態から、徐々に現像ユニット９を図７に示す矢印Ｈ方向へ回動させていくことで、現像ローラ６とドラム４とを接触させることができる。
【０３１１】
以上、現像ユニット９の矢印Ｈ方向への回動に連動した、現像ローラ６への駆動伝達の動作を説明した。上記構成により、現像ローラ６はドラム４に対して、回転しながら接触し、現像ローラ６とドラム４との離間距離に応じて現像ローラ６へ駆動を伝達することができる。
【０３１２】
なお、上記の説明では、解除カム６７２の力受け部６７２ｂは、駆動側カートリッジカバー部材６２４の規制部６２４ｄと係合する構成としたが、必ずしもこの限りではなく、例えば、クリーニング容器２６と係合する構成でもよい。
【０３１３】
特に本実施の形態の場合、解除カム６７２に当接部６７２ａを設け、これに当接する作用部としての当接部６３２ｒを現像カバー部材６３２に設けている。また、ドラムユニット８との係合部６７２ｂを、現像カバー部材６３２の円筒部６３２ｂの一部に設けられた開口６３２ｃから突出させる構成としている。そのため、係合部６７２ｂ、および、これに作用する第二ガイド部の一部としての係合部６２４ｄの配置の自由度が増す。具体的には、第一、および、第二の実施の形態で示したような、軸線方向で現像カバー部材６３２の外側から、現像カバー部材６３２の穴６３２ｊを介して作用部材を配置する必要がない。
【０３１４】
ここで、上述の説明においては、画像形成装置に着脱可能なプロセスカートリッジＰの説明であったが、上述の実施例８に類似で、図７６に示すような、画像形成装置に着脱可能な現像カートリッジＤの形態でもよい。
【０３１５】
さらに別の類似例として、画像形成装置に着脱可能な現像カートリッジＤを図７７に示す。図７７は現像カートリッジＤの駆動側端部に配置された各部品を示しており、上述の実施例６と類似で下流側駆動伝達部材５７１や上流側駆動伝達部材４７４などが配置されている。ここで、カップリング解除部材としての解除カム６２７２は、画像形成装置本体から矢印Ｆ２方向へ力を受ける力受け部６２７２ｕを有している。解除カム６２７２が画像形成装置本体から矢印Ｆ２方向の力を受けると、回動軸線Ｘを中心に矢印Ｈ方向に回動する。以降、前述と同様に、解除カム６２７２に設けられた力受け部としての当接部６２７２ａが、現像カバー部材６２３２の当接部６２３２ｒから反力を受ける。これにより、解除カム６２７２は矢印Ｎ方向へ移動する。これにより、上流側駆動伝達部材４７４と下流側駆動伝達部材５７１との係合が解除され、現像ローラ６の回転が停止する。
【０３１６】
現像ローラ６へ駆動を伝達する際には、解除カム６２７２を矢印Ｍ方向へ移動させ上流側駆動伝達部材４７４と下流側駆動伝達部材５７１とを係合させればよい。その際には、解除カム６２７２への矢印Ｆ２方向の力を排除することで、バネ７０の反力を利用して解除カム６２７２を矢印Ｍ方向へ移動させればよい。
【０３１７】
以上説明したように、ドラム４と現像ローラ６とが常に接触した状態においても、現像ローラ６への駆動伝達を切り替えることができる。
【０３１８】
なお、上記では、現像カートリッジＤの形態での説明であったが、カートリッジの形態はこの限りではなく、現像カートリッジＤに対してドラムを有したプロセスカートリッジＰの形態でもよい。即ち、プロセスカートリッジＰ内でドラム４と現像ローラ６とが接触した状態で、現像ローラへの駆動伝達を切り替える構成にも、本実施例の構成を用いることができる。
【０３１９】
また、これまでの実施例において、ドラム４上の静電潜像を現像する際にはドラム４と現像ローラ６とが接触した状態で現像する『接触現像方式』での説明であったが、現像方式はこの限りではない。ドラム４と現像ローラ６との間に微小隙間を設けてドラム４上の静電潜像を現像する『非接触現像方式』でもよい。
【０３２０】
以上のように、画像形成装置に着脱可能なカートリッジは、ドラムを有するプロセスカートリッジＰでもよく、また、現像カートリッジＤでもよい。
【０３２１】
〔実施例７〕
次に、この発明の第７の実施形態によるカートリッジについて説明する。なお、これまでの実施形態と同様の構成については、その説明を省略する。
【０３２２】
［現像ユニットの構成］
現像ユニット９は、図７８、図７９に示すように、現像ローラ６、現像ブレード３１、現像枠体２９、軸受部材７４５などで構成されている。
【０３２３】
また、図７８に示すように、軸受部材７４５は、現像枠体２９の長手方向一端側に固定されている。この軸受部材７４５は、現像ローラ６を回転可能に支持している。現像ローラ６は、その長手端部に現像ローラギア６９を有する。
【０３２４】
また、駆動側カートリッジカバー部材７２４には、その他の軸受部材３５が固定されている（図８１参照）。その他の軸受部材３５と駆動側カートリッジカバー部材７２４との間には、現像ローラギア６９へ駆動力を伝達するための第三駆動伝達部材としてのアイドラギア６８や、駆動連結部として、アイドラギア６８に駆動を伝達する下流側駆動伝達部材５７１などが設けられている。
【０３２５】
その他の軸受部材３５は、現像ローラギア６９へ駆動力を伝達するためのアイドラギア６８を回転可能に支持している。駆動側カートリッジカバー部材７２４には開口７２４ｃが設けられている。そして、開口７２４ｃからは、上流側駆動伝達部材４７４の駆動入力部４７４ｂが露出している。この駆動入力部４７４ｂは、カートリッジＰが装置本体２に装着された際に、図３（ｂ）に示す現像駆動出力部材６２（６２Ｙ・６２Ｍ・６２Ｃ・６２Ｋ）と係合し、装置本体２に設けられた駆動モータ（不図示）からの駆動力が伝達される。即ち、上流側駆動伝達部材４７４は、現像入力カップリングとして機能する。装置本体２から上流側駆動伝達部材４７４へ入力された駆動力は、下流側駆動伝達部材５７１、アイドラギア６８を介して、現像ローラギア６９、および、現像ローラ６へ伝達される構成となっている。図８０、および、図８１は、現像ユニット９、ドラムユニット８、および、その他の軸受部材３５が固定された駆動側カートリッジカバー部材７２４を示した斜視図である。図８１に示すように、その他の軸受部材３５は、駆動側カートリッジカバー部材７２４に固定されている。その他の軸受部材３５には、支持部３５ａが設けられている。一方、現像枠体２９には、回動穴２９ｃが設けられている（図８０参照）。現像ユニット９とドラムユニット８とを組み付ける場合、カートリッジＰの長手一端側では、その他の軸受部材３５の支持部３５ａに、現像枠体２９の回動穴２９ｃを嵌合させる。また、カートリッジＰの長手他端側では、非駆動側カートリッジカバー部材の支持穴部２５ａに、現像枠体２９から突出して設けられた突出部２９ｂを嵌合させる。これにより、現像ユニット９は、ドラムユニット８に対して回動可能に支持される。この場合、現像ユニット９のドラムユニット８に対する回動中心である回動中心Ｘは、その他の軸受部材３５の支持部３５ａの中心と非駆動側カートリッジカバー部材２５の支持穴部２５ａの中心とを結んだ軸線となる。
【０３２６】
［駆動連結部の構成］
図７８、図７９を用いて駆動連結部の構成について説明する。
【０３２７】
まず、概略について説明する。
【０３２８】
その他の軸受部材３５と、駆動側カートリッジカバー部材７２４と、の間には、その他の軸受部材３５から駆動側カートリッジカバー部材７２４に向かって、アイドラギア６８、付勢部材としての弾性部材であるバネ７０、第二カップリング部材としての下流側駆動伝達部材５７１、解除機構の一部であり解除部材、且つ、作用部材としての解除カム７７２、第一カップリング部材としての上流側駆動伝達部材４７４が設けられている。これらの部材は、上流側駆動伝達部材４７４と同一直線上（同軸）に設けられている。本実施の形態におては、駆動連結部とは、バネ７０、下流側駆動伝達部材５７１、解除カム７７２、上流側駆動伝達部材４７４、駆動側カートリッジカバー部材７２４、および、現像枠体２９の長手方向一端側に固定された軸受部材７４５で構成されている。以下、順次、詳細を説明する。
【０３２９】
その他の軸受部材３５が、アイドラギア６８を回転可能に支持している。より詳細に述べると、その他の軸受部材３５の第一軸受部３５ｐ（円筒外面）が、アイドラギア６８の被軸受部６８ｐ（円筒内面）を回転可能に支持している（図７８、図７９参照）。
【０３３０】
図８２に、カップリング解除部材としての解除カム７７２と、駆動側カートリッジカバー部材７２４の関係を示す。解除カム７７２は、実質的にリング形状に構成され、第二被ガイド部としての外周面７７２ｉを有し、駆動側カートリッジカバー部材７２４は第二ガイド部の一部としての内周面７２４ｉを有する。この内周面７２４ｉは外周面７７２ｉと係合するように構成されている。また、解除カム７７２の外周面７７２ｉ、および、駆動側カートリッジカバー部材７２４の内周面７２４ｉは共に、回動中心Ｘに対して同一直線上（同軸）に配置されている。すなわち、解除カム７７２は駆動側カートリッジカバー部材７２４、および、現像ユニット９に対して、軸線方向にスライド移動可能で、且つ、軸線Ｘを中心とした回転方向にも摺動可能（回転可能）に支持されている。
【０３３１】
また、カップリング解除部材としての解除カム７７２は、力受け部としての当接部（斜面）７７２ａを有し、また、駆動側カートリッジカバー部材７２４は、作用部としての当接部（斜面）７２４ｂを有する。ここで、解除カム７７２の当接部７７２ａと駆動側カートリッジカバー部材７２４の当接部７２４ｂとが接触可能に構成されている。
【０３３２】
図８３は、駆動連結部、駆動側カートリッジカバー部材７２４、および、軸受部材７４５の構成を示している。軸受部材７４５は、第二ガイド部の一部としての規制部７４５ｄを有する。この規制部７４５ｄは、駆動側カートリッジカバー部材７２４とその他の軸受部材３５との間に保持された解除カム７７２の第二被ガイド部としての力受け部７７２ｂと係合する構成となっている。この規制部７４５ｄと力受け部７７２ｂとが係合していることで、解除カム７７２は、軸受部材７４５、および、現像ユニット９に対して、軸線Ｘ周りの相対移動ができないように規制されている。
【０３３３】
図８４に駆動連結部の断面図を示す。
【０３３４】
アイドラギア６８の円筒部６８ｐとその他の軸受部材３５の第一軸受部３５ｐ（円筒外面）とが互いに係合している。また、アイドラギア６８の円筒部６８ｑと駆動側カートリッジカバー部材７２４の内径部７２４ｑとが互いに係合している。すなわち、アイドラギア６８は、その他の軸受部材３５と駆動側カートリッジカバー部材７２４とによって、その両端を回転可能に支持されている。
【０３３５】
また、上流側駆動伝達部材４７４の円筒部４７４ｐと駆動側カートリッジカバー部材７２４の穴部７２４ｐとが互いに係合することで、上流側駆動伝達部材４７４は駆動側カートリッジカバー部材７２４に対して回転可能に支持されている。
【０３３６】
さらに、その他の軸受部材３５の第一軸受部３５ｐ（円筒外面）、駆動側カートリッジカバー部材７２４の内径部７２４ｑ、および、穴部７２４ｐは、現像ユニット９の回動中心Ｘと同一直線上（同軸）に配置されている。すなわち、上流側駆動伝達部材４７４は、現像ユニット９の回動中心Ｘを中心に回転可能に支持されている。また、これまでの実施の形態と同様に、上流側駆動伝達部材４７４の円筒部４７４ｍと下流側駆動伝達部材５７１の穴部５７１ｍとが係合している（図６０）。これによって、結果として、下流側駆動伝達部材５７１も現像ユニット９の回動中心Ｘを中心に回転可能に支持されていることになる。
【０３３７】
図８４（ａ）に示す駆動連結部の断面図では、下流側駆動伝達部材５７１の爪５７１ａと駆動入力カップリング４７４の爪４７４ａとが互いに係合している状態を示している。また、図８４（ｂ）に示す駆動連結部の断面図では、下流側駆動伝達部材５７１の爪５７１ａと上流側駆動伝達部材４７４の爪４７４ａとが互いに離間している状態を示している。
【０３３８】
［駆動解除動作］
以下、現像ローラ６とドラム４とが互いに接触した状態から離間した状態へ変化するときの、駆動連結部の動作について説明する。
【０３３９】
［状態１］
図７（ａ）に示すように、本体離間部材８０と軸受部材７４５の力受け部７４５ａとは、隙間ｄを有して離間している。このとき、ドラム４と現像ローラ６とは互いに接触した状態となっている。この状態を本体離間部材８０の状態１とする。このときの駆動連結部の構成を図８５（ａ）に模式的に示す。また、図８５（ｂ）には、駆動連結部の構成の斜視図を示す。なお、図８５は、説明のために、一部の部品を不図示としている。また、図８５（ａ）においては、上流側駆動伝達部材４７４と下流側駆動伝達部材５７１の対、および、解除カム７７２と駆動側カートリッジカバー部材７２４の対とを、それぞれ別々に示している。図８５（ｂ）において、駆動側カートリッジカバー部材７２４は当接部７２４ｂを含む一部のみを、また、軸受部材７４５は規制部７４５ｄを含む一部のみを表示している。解除カム７７２の当接部７７２ａと駆動側カートリッジカバー部材７２４の当接部７２４ｂとの間には隙間ｅがある。また、このとき、上流側駆動伝達部材４７４の爪４７４ａと下流側駆動伝達部材５７１の爪５７１ａは互いに係合量ｑを有して係合し、駆動伝達が可能な構成となっている（図８５（ａ））。また、前述のように、下流側駆動伝達部材５７１はアイドラギア６８と係合している（図５９参照）。そのため、装置本体２から上流側駆動伝達部材４７４に入力された駆動力は、下流側駆動伝達部材５７１を介してアイドラギア６８、および、現像ローラギア６９に伝達される。これにより、現像ローラ６が駆動される。各部品の上記状態を接触位置と称し、また、現像接触・駆動伝達状態と称す。
【０３４０】
［状態２］
上記現像接触・駆動伝達状態から、図７（ｂ）に示すように、本体離間部材８０が図中矢印Ｆ１方向へδ１だけ移動すると、前述したように、現像ユニット９が回動中心Ｘを中心として矢印Ｋ方向に角度θ１だけ回動する。その結果、現像ローラ６はドラム４から距離ε１だけ離間する。現像ユニット９内に組み込まれた軸受部材７４５は、現像ユニット９の回動と連動して角度θ１だけ矢印Ｋ方向に回動する。一方、解除カム７７２は、ドラムユニット８に組み込まれているが、図８３に示したように、力受け部７７２ｂが軸受部材７４５の係合部７４５ｄと係合している。そのため、現像ユニット９の回動と連動して、解除カム７７２はドラムユニット８内で矢印Ｋ方向に回転する。図８６（ａ）、図８６（ｂ）に示すように、解除カム７７２の当接部７７２ａと駆動側カートリッジカバー部材７２４の当接部７２４ｂとが互いに接触し始めた状態となっている。このとき、上流側駆動伝達部材４７４の爪４７４ａと下流側駆動伝達部材５７１の爪５７１ａとは互いに係合した状態を保っている。そのため、装置本体２から上流側駆動伝達部材４７４へ入力された駆動力は、下流側駆動伝達部材５７１、および、アイドラギア６８、現像ローラギア６９を介して現像ローラ６へ伝達されている。各部品の上記状態を現像離間・駆動伝達状態と称す。
【０３４１】
［状態３］
上記現像離間・駆動伝達状態から、図７（ｃ）に示すように、本体離間部材８０が図中矢印Ｆ１方向へδ２だけ移動したときの、駆動連結部の構成を図８７（ａ）、図８７（ｂ）に示す。現像ユニット９の角度θ２（＞θ１）の回動と連動して、軸受部材７４５が回動する。このとき、解除カム７７２の当接部７７２ａは駆動側カートリッジカバー部材７２４の当接部７２４ｂから反力を受ける。また、前述のように、解除カム７７２は、その力受け部７７２ｂが軸受部材７４５の係合部７４５ｄと係合して、現像ユニット９に対しては軸線方向（矢印Ｍ、および、Ｎ方向）にのみ移動可能に規制されている（図８３参照）。そのため、結果として、解除カム７７２は矢印Ｎ方向へ移動量ｐだけスライド移動する。また、解除カム７７２の矢印Ｎ方向への移動と連動して、解除カム７７２の付勢部としての押圧面７７２ｃが、下流側駆動伝達部材５７１の被付勢部としての被押圧面５７１ｃを押圧（付勢）する。これにより、下流側駆動伝達部材５７１がバネ７０の押圧力に抗して矢印Ｎ方向へ移動量ｐだけスライド移動する。
【０３４２】
このとき、上流側駆動伝達部材４７４の爪４７４ａと下流側駆動伝達部材５７１の爪５７１ａとの係合量ｑよりも移動量ｐが大きいため、爪４７４ａおよび爪５７１ａの係合が解除される。これに伴い、上流側駆動伝達部材４７４は装置本体２から駆動力が入力されているため回転し続け、一方で、下流側駆動伝達部材５７１は停止する。結果として、アイドラギア６８、および、現像ローラギア６９、現像ローラ６の回転が停止する。各部品の上記状態を離間位置と称し、また、現像離間・駆動遮断状態と称す。
【０３４３】
以上、現像ユニット９の矢印Ｋ方向への回動と連動して、現像ローラ６への駆動遮断の動作を説明した。上記構成を採用することにより、現像ローラ６はドラム４に対して、回転しながら離間でき、現像ローラ６とドラム４との離間距離に応じて現像ローラ６への駆動を遮断することができる。
【０３４４】
［駆動連結動作］
次に、現像ローラ６とドラム４とが互いに離間した状態から接触した状態へ変化するときの、駆動連結部の動作について説明する。この動作は、上述の現像接触状態から現像離間状態への動作の逆である。
【０３４５】
現像離間状態（図７（ｃ）に示すように、現像ユニット９が角度θ２だけ回動した状態）では、駆動連結部は図８７に示すように、上流側駆動伝達部材４７４の爪４７４ａと下流側駆動伝達部材５７１の爪５７１ａとの係合が解除された状態となっている。
【０３４６】
上記の状態から、徐々に現像ユニット９を図７に示す矢印Ｈ方向へ回動させ、現像ユニット９が角度θ１だけ回動した状態（図７（ｂ）、及び、図８６に示す状態）では、下流側駆動伝達部材５７１がバネ７０の押圧力により矢印Ｍ方向へ移動することで、上流側駆動伝達部材４７４の爪４７４ａと下流側駆動伝達部材５７１の爪５７１ａとが互いに係合する。これにより、装置本体２からの駆動力が現像ローラ６に伝達され、現像ローラ６が回転駆動される。なお、このときは、現像ローラ６とドラム４とは互いに離間した状態を保っている。
【０３４７】
さらに上記の状態から、徐々に現像ユニット９を図７に示す矢印Ｈ方向へ回動させていくことで、現像ローラ６とドラム４とを接触させることができる。
【０３４８】
以上、現像ユニット９の矢印Ｈ方向への回動に連動した、現像ローラ６への駆動伝達の動作を説明した。上記構成により、現像ローラ６はドラム４に対して、回転しながら接触し、現像ローラ６とドラム４との離間距離に応じて現像ローラ６へ駆動を伝達することができる。
【０３４９】
なお、上記の説明では、解除カム７７２の力受け部７７２ｂは、軸受部材７４５の規制部７４５ｄと係合する構成としたが、必ずしもこの限りではなく、例えば、現像枠体２９と係合する構成でもよい。
【０３５０】
本実施の形態のように、第一カップリング部材としての上流側駆動伝達部材４７４、第二カップリング部材としての下流側駆動伝達部材５７１をドラムユニット８に設けることも可能である。
【０３５１】
〔実施例８〕
次に、この発明の第８の実施形態によるカートリッジについて説明する。なお、これまでの実施形態と同様の構成については、その説明を省略する。
【０３５２】
［現像ユニットの構成］
図８８、図８９に示すように、現像ユニット９は、現像ローラ６、現像ブレード３１、現像枠体２９、軸受部材８４５、現像カバー部材６３２等を有する。
【０３５３】
また、図８８に示すように、軸受部材８４５は、現像枠体２９の長手方向一端側に固定されている。この軸受部材８４５は、現像ローラ６を回転可能に支持している。現像ローラ６は、その長手端部に現像ローラギア６９を有する。軸受部材８４５は、現像ローラギア６９へ駆動力を伝達するための第三駆動伝達部材としてのアイドラギア６８も回転可能に支持している。
【０３５４】
また、駆動連結部として、アイドラギア６８に駆動を伝達する下流側駆動伝達部材５７１などが順に設けられている。
【０３５５】
そして、現像カバー部材６３２が、カートリッジＰの長手方向において、軸受部材８４５の外側に固定されている。この現像カバー部材６３２は、現像ローラギア６９やアイドラギア６８、第一駆動伝達部材としての上流側駆動伝達部材４７４、第二駆動伝達部材としての下流側駆動伝達部材５７１を覆うように構成されている。さらに、図８８、図８９に示すように、現像カバー部材６３２には円筒部６３２ｂが設けられている。そして、円筒部６３２ｂの内側の開口６３２ｄからは、上流側駆動伝達部材４７４の駆動入力部４７４ｂが露出している。この駆動入力部４７４ｂは、カートリッジＰ（ＰＹ・ＰＭ・ＰＣ・ＰＫ）が装置本体２に装着された際に、図３（ｂ）に示す現像駆動出力部材６２（６２Ｙ・６２Ｍ・６２Ｃ・６２Ｋ）と係合し、装置本体２に設けられた駆動モータ（不図示）からの駆動力が伝達される。即ち、上流側駆動伝達部材４７４は、現像入力カップリングとして機能する。従って、装置本体２から上流側駆動伝達部材４７４へ入力された駆動力は、アイドラギア６８を介して、現像ローラギア６９、および、現像ローラ６へ伝達される構成となっている。駆動連結部の構成については追って詳述する。
【０３５６】
［ドラムユニットと現像ユニットの組立］
図９０、図９１に示すように、現像ユニット９とドラムユニット８とを組み付ける場合、カートリッジＰの一端側では駆動側カートリッジカバー部材８２４の支持部８２４ａに現像カバー部材６３２の円筒部６３２ｂの外径部６３２ａを嵌合させる。そして、カートリッジＰの他端側では非駆動側カートリッジカバー部材の支持穴部２５ａに、現像枠体２９から突出して設けられた突出部２９ｂを嵌合させる。これにより、現像ユニット９は、ドラムユニット８に対して回動可能に支持される。ここで、現像ユニット９のドラムユニットに対する回動中心を、回動中心Ｘと称す。この回動中心Ｘは、支持穴部８２４ａの中心と支持穴部２５ａの中心とを結んだ軸線である。
【０３５７】
［駆動連結部の構成］
図８８、図８９を用いて駆動連結部の構成について説明する。
【０３５８】
まず、概略について説明する。
【０３５９】
軸受部材８４５と、駆動側カートリッジカバー部材８２４と、の間には、軸受部材８４５から駆動側カートリッジカバー部材８２４に向かって、アイドラギア６８、付勢部材としての弾性部材であるバネ７０、第二駆動伝達部材としての下流側駆動伝達部材５７１、解除機構の一部でありカップリング解除部材としての解除カム８７２、解除機構の一部であり作用部材（回動部材）としての解除レバー７３、第一駆動伝達部材としての上流側駆動伝達部材４７４、現像カバー部材６３２が設けられている。これらの部材は、上流側駆動伝達部材４７４と同一直線上（同軸）に設けられている。本実施の形態におては、駆動連結部とは、アイドラギア８２４、バネ７０、下流側駆動伝達部材５７１、解除カム８７２、解除レバー７３、上流側駆動伝達部材４７４、現像カバー部材６３２、駆動側カートリッジカバー部材８２４で構成されている。以下、順次、詳細を説明する。
【０３６０】
軸受部材８４５が、第三駆動伝達部材としてのアイドラギア６８を回転可能に支持している。より詳細に述べると、軸受部材８４５の第一軸受部８４５ｐ（円筒外面）が、アイドラギア６８の被軸受部６８ｐ（円筒内面）を回転可能に支持している（図８８、図８９参照）。
【０３６１】
更に、軸受部材８４５は現像ローラ６を回転可能に支持している。より詳細に述べると、軸受部材８４５の第二軸受部８４５ｑ（円筒内面）が、現像ローラ６の軸部６ａを回転可能に支持している。
【０３６２】
そして、現像ローラ６ａの軸部６ａに、現像ローラギア６９が嵌合されている。これによって、アイドラギア６８から現像ローラギア６９を介して現像ローラ６に回転力が伝達されるように構成されている。
【０３６３】
図９２には、第一駆動伝達部材としての上流側駆動伝達部材４７４と第二駆動伝達部材としての下流側駆動伝達部材５７１の構成を示している。下流側駆動伝達部材５７１の中央には穴部５７１ｍが設けられている。この穴部５７１ｍは、上流側駆動伝達部材４７４の小径の円筒部４７４ｍと係合する。これによって、下流側駆動伝達部材５７１は、上流側駆動伝達部材４７４に対して摺動可能（回転可能かつそれぞれの軸線に沿ってスライド可能）に支持されている。
【０３６４】
ここで、図８８および図８９に示すように、下流側駆動伝達部材５７１と上流側駆動伝達部材４７４の間には、解除カム８７２が配置されている。前述のように、解除カム８７２は、実質的にリング形状に構成され、外周面８７２ｉを有し、現像カバー部材６３２は内周面６３２ｉを有する（図５１参照）。この内周面６３２ｉは外周面８７２ｉと係合するように構成されている。これによって、解除カム８７２は現像カバー部材６３２に対して摺動可能（現像ローラ６の軸線と平行にスライド可能）に支持されている。
【０３６５】
また、現像カバー部材６３２は、第二ガイド部としてのガイド６３２ｈを有し、解除カム８７２は、第二被ガイド部としてのガイド溝８７２ｈを有する。ここで、ガイド６３２ｈとガイド溝８７２ｈは軸線方向（矢印Ｍ、および、Ｎ方向）に平行に形成されている。そして、現像カバー部材６３２のガイド６３２ｈは、解除カム８７２のガイド溝８７２ｈと係合する。このガイド６３２ｈとガイド溝８７２ｈとが係合していることで、解除カム８７２は現像カバー部材６３２に対して、軸線方向（矢印Ｍ、および、Ｎ方向）にのみスライド移動可能な構成となっている。
【０３６６】
図９３に駆動連結部の断面図を示す。
【０３６７】
アイドラギア６８の円筒部６８ｐ（円筒外面）と軸受８４５の第一軸受部８４５ｐ（円筒内面）とが互いに係合している。また、アイドラギア６８の円筒部６８ｑと現像カバー部材６３２の内径部６３２ｑとが互いに係合している。すなわち、アイドラギア６８は、軸受部材８４５と現像カバー部材６３２とによって、その両端を回転可能に支持されている。
【０３６８】
また、上流側駆動伝達部材４７４の小径の円筒部４７４ｋ（他端側被支持部）とアイドラギア６８の穴部６８ｋ（他端側支持部）とが回転可能に係合し（図９３参照）ている。また、上流側駆動伝達部材４７４の円筒部４７４ｐ（一端側被支持部）と現像カバー部材６３２の穴部６３２ｐ（一端側支持部）とが回転可能に係合している。すなわち、上流側駆動伝達部材４７４は、アイドラギア６８と現像カバー部材６３２とによって、その両端を回転可能に支持されている。
【０３６９】
ここで、円筒部４７４ｋは軸部７４ｍの自由端に設けられ、円筒部４７４ｐは駆動入力部４７４ｂと爪部４７４ａの間に設けられている。
【０３７０】
また、上流側駆動伝達部材４７４の回転半径方向において、円筒部４７４ｐは爪部４７４ａよりも回転軸線Ｘから遠くに配置されている。
【０３７１】
また、上流側駆動伝達部材４７４の回転半径方向において、円筒部４７４ｐは駆動入力部４７４ｂよりも回転軸線Ｘから遠くに配置されている。
【０３７２】
さらに、軸受部材８４５の第一軸受部８４５ｐ（円筒内面）、現像カバー部材６３２の内径部６３２ｑ、および、穴部６３２ｐは、現像ユニット９の回動中心Ｘと同一直線上（同軸）に配置されている。すなわち、上流側駆動伝達部材４７４は、現像ユニット９の回動中心Ｘを中心に回転可能に支持されている。また、前述のように、上流側駆動伝達部材４７４の円筒部４７４ｍと下流側駆動伝達部材５７１の穴部５７１ｍとが係合している（図９２参照）。これによって、結果として、下流側駆動伝達部材５７１も現像ユニット９の回動中心Ｘを中心に回転可能に支持されていることになる。
【０３７３】
また、解除レバー７３の被ガイド面７３ｓが上流側駆動伝達部材４７４のガイド面４７４ｓに当接している。これにより、解除レバー７３は、軸線Ｘ方向の移動が規制されている。
【０３７４】
図９３（ａ）に示す駆動連結部の断面図では、下流側駆動伝達部材５７１の爪５７１ａと上流側駆動伝達部材４７４の爪４７４ａとが互いに係合している状態を示している。また、図９３（ｂ）に示す駆動連結部の断面図では、下流側駆動伝達部材５７１の爪５７１ａと上流側駆動伝達部材４７４の爪４７４ａとが互いに離間している状態を示している。ここで、解除レバー７３の少なくとも一部は、下流側駆動伝達部材５７１と上流側駆動伝達部材４７４との間に配置されている。
【０３７５】
図９４には、解除カム８７２と解除レバー７３の構成を示している。カップリング解除部材としての解除カム８７２は、力受け部（被付勢部）としての当接部８７２ａと、円筒内面８７２ｅ、とを有する。ここで、当接部８７２ａは、回転軸線Ｘ（現像ローラ６の回転軸線と平行である）に対して傾斜している。また、解除レバー７３は、付勢部としての当接部７３ａと、外周面７３ｅと、を有する。ここで、当接部７３ａは、回転軸線Ｘに対して傾斜している。
【０３７６】
そして、解除レバー７３の当接部７３ａが、解除カム８７２の当接部８７２ａと接触可能に構成されている。また、解除カム８７２の円筒内面８７２ｅと解除レバー７３の外周面７３ｅとが互いに摺動可能に係合している。さらに、解除カム８７２の外周面８７２ｉ、円筒内面８７２ｅ、および、解除レバー７３の外周面７３ｅは共に、回転軸線が同一直線上（同軸）に配置されている。ここで、前述のように、解除カム８７２の外周面８７２ｉは、現像カバー部材６３２の内周面６３２ｉと係合するように構成されている（図５１参照）。また、解除カム８７２の外周面８７２ｉ、現像カバー部材６３２の内周面６３２ｉ、は共に、回動中心Ｘに対して同一直線上（同軸）に配置されている。すなわち、解除レバー７３は、解除カム８７２、現像カバー部材６３２とを介して、現像ユニット９（現像枠体２９）に対して回動中心Ｘを中心に回動可能に支持されている。
【０３７７】
ここで、解除レバー７３は、実質的にリング形状であるリング部７３ｊを有する。このリング部７３ｊは、当接部７３ａや外周面７３ｅを有する。さらに、解除レバーは７３は、リング部７３ｊからリング部７３ｊの半径方向外側に向かって突出した突出部としての力受け部７３ｂを有する。
【０３７８】
図９５は、駆動連結部、および、駆動側カートリッジカバー部材８２４の構成を示している。解除レバー７３は力受け部７３ｂを有する。この力受け部７３ｂは、駆動側カートリッジカバー部材８２４の規制部８２４ｄと係合し、駆動側カートリッジカバー部材８２４（感光体枠体の一部）から力を受ける。この力受け部７３ｂは、現像カバー部材６３２の円筒部６３２ｂの一部に設けられた開口６３２ｃから突出し、駆動側カートリッジカバー部材８２４の規制部８２４ｄと係合する構成となっている。この規制部８２４ｄと力受け部７３ｂとが係合していることで、解除カム７３は駆動側カートリッジカバー部材８２４に対して、軸線Ｘ周りの相対移動ができないように規制されている。
【０３７９】
ここで、図９６（ａ）は、現像ユニット９に作用する力を模式的に示したカートリッジＰの斜視図であり、図９６（ｂ）は、カートリッジＰを軸線Ｘ方向に沿って見た側面図の一部を示している。
【０３８０】
現像ユニット９には、加圧バネ９５からの反力Ｑ１、現像ローラ６を介してドラム４から受ける反力Ｑ２、および、自重Ｑ３などが作用している。これに加え、駆動解除動作時には、解除レバー７３は、駆動側カートリッジカバー部材８２４と係合して反力Ｑ４を受ける（詳細は後述する）。これら反力Ｑ１、Ｑ２、Ｑ４、および、自重Ｑ３の合力Ｑ０は、現像ユニット９を回動可能に支持している駆動側、および、非駆動側カートリッジカバー部材８２４、２５の支持穴部８２４ａ、２５ａに作用することになる。
【０３８１】
すなわち、カートリッジＰを軸線方向に沿って見た場合（図９６（ｂ））、合力Ｑ０の方向には、現像カバー部材６３２と接触する駆動側カートリッジカバー部材８２４の摺動部８２４ａが必要になる。一方、合力Ｑ０の方向以外には、現像カバー部材６３２の円筒部６３２ｂや駆動側カートリッジカバー部材８２４の摺動部８２４ａは必ずしも必要ではない。本実施例においては、上記を考慮し、現像カバー部材６３２の駆動側カートリッジカバー部材８２４と摺動する円筒部６３２ｂの一部で、且つ、合力Ｑ０の方向ではない方向に開口６３２ｃを設けている。また、その開口６３２ｃに、駆動側カートリッジカバー部材８２４の規制部８２４ｄと係合する解除レバー７３を配置している。
【０３８２】
［駆動解除動作］
以下、現像ローラ６とドラム４とが互いに接触した状態から離間した状態へ変化するときの、駆動連結部の動作について説明する。
【０３８３】
［状態１］
図７（ａ）に示すように、本体離間部材８０と軸受部材８４５の力受け部８４５ａとは、隙間ｄを有して離間している。このとき、ドラム４と現像ローラ６とは互いに接触した状態となっている。この状態を本体離間部材８０の状態１とする。このときの駆動連結部の構成を図９７（ａ）に模式的に示す。また、図９７（ｂ）には、駆動連結部の構成の斜視図を示す。なお、図９７は、説明のために、一部の部品を不図示としている。また、図９７（ａ）においては、上流側駆動伝達部材４７４と下流側駆動伝達部材５７１の対、および、解除カム８７２と解除レバー７３の対とを、それぞれ別々に示している。図９７（ｂ）において、現像カバー部材６３２はガイド６３２ｈを含む一部のみを表示している。解除カム８７２の当接部８７２ａと解除レバー７３の当接部７３ａとの間には隙間ｅがある。また、このとき、上流側駆動伝達部材４７４の爪４７４ａと下流側駆動伝達部材５７１の爪５７１ａは互いに係合量ｑを有して係合し、駆動伝達が可能な構成となっている。また、前述のように、下流側駆動伝達部材５７１はアイドラギア６８と係合している  （図５９参照）。そのため、装置本体２から上流側駆動伝達部材４７４に入力された駆動力は、下流側駆動伝達部材５７１を介してアイドラギア６８に伝達される。これにより、現像ローラギア６９、および、現像ローラ６が駆動される。各部品の上記状態を接触位置と称し、また、現像接触・駆動伝達状態と称す。
【０３８４】
［状態２］
上記現像接触・駆動伝達状態から本体離間部材８０が図中矢印Ｆ１方向へδ１だけ移動する（図７（ｂ）参照）と、前述したように、現像ユニット９が回動中心Ｘを中心として矢印Ｋ方向に角度θ１だけ回動する。その結果、現像ローラ６はドラム４から距離ε１だけ離間する。現像ユニット９内に組み込まれた解除カム８７２や現像カバー部材６３２は、現像ユニット９の回動と連動して角度θ１だけ矢印Ｋ方向に回動する。一方、解除レバー７３は、現像ユニット９に組み込まれているが、図９５に示したように、力受け部７３ｂが駆動側カートリッジカバー部材８２４の係合部８２４ｄと係合している。そのため、力受け部７３ｂは現像ユニット９の回動とは連動せず、位置変化しない。すなわち、解除レバー７３は、駆動側カートリッジカバー部材８２４の係合部８２４ｄから反力を受け、現像ユニット９に対して相対移動（回動）する。このときの駆動連結部の構成を図９８（ａ）に模式的に示す。また、図９８（ｂ）には、駆動連結部の構成の斜視図を示す。図においては、解除カム８７２が現像ユニット９の回動に連動して図中矢印Ｋ方向に回転移動して、解除カム８７２の当接部８７２ａと解除レバー７３の当接部７３ａとが互いに接触し始めた状態となっている。このとき、上流側駆動伝達部材４７４の爪４７４ａと下流側駆動伝達部材５７１の爪５７１ａとは互いに係合した状態を保っている  。そのため、装置本体２から上流側駆動伝達部材４７４へ入力された駆動力は、下流側駆動伝達部材５７１、および、アイドラギア６８、現像ローラギア６９を介して現像ローラ６へ伝達されている。各部品の上記状態を現像離間・駆動伝達状態と称す。なお、前述の状態１においては、必ずしも、力受け部７３ｂが駆動側カートリッジカバー部材８２４の係合部８２４ｄに当接している構成でなくてもよい。すなわち、状態１において力受け部７３ｂが駆動側カートリッジカバー部材８２４の係合部８２４ｄに対して隙間を有して配置されていてもよい。この場合は、状態１から状態２への動作の最中に、力受け部７３ｂと駆動側カートリッジカバー部材８２４の係合部８２４ｄとの隙間がなくなり、力受け部７３ｂが駆動側カートリッジカバー部材８２４の係合部８２４ｄに当接することになる。
【０３８５】
［状態３］
上記現像離間・駆動伝達状態から本体離間部材８０が図中矢印Ｆ１方向へδ２だけ移動したとき（図７（ｃ）参照））の駆動連結部の構成を図９９に示す。現像ユニット９の角度θ２（＞θ１）の回動と連動して、解除カム８７２や現像カバー部材６３２が回動する。一方、解除レバー７３は上述と同様に位置変化せず、解除カム８７２が図中矢印Ｋ方向に回転移動する。このとき、解除カム８７２の当接部８７２ａは解除レバー７３の当接部７３ａから反力を受ける。また、前述のように、解除カム８７２は、そのガイド溝８７２ｈが現像カバー部材６３２のガイド６３２ｈと係合して軸線方向（矢印Ｍ、および、Ｎ方向）にのみ移動可能に規制されている  （図５１参照）。そのため、結果として、解除カム８７２は矢印Ｎ方向へ移動量ｐだけスライド移動する。また、解除カム８７２の矢印Ｎ方向への移動と連動して、解除カム８７２の付勢部としての押圧面８７２ｃが、下流側駆動伝達部材５７１の被付勢部としての被押圧面５７１ｃを押圧（付勢）する。これにより、下流側駆動伝達部材５７１がバネ７０の押圧力に抗して矢印Ｎ方向へ移動量ｐだけスライド移動する。
【０３８６】
このとき、上流側駆動伝達部材４７４の爪４７４ａと下流側駆動伝達部材５７１の爪５７１ａとの係合量ｑよりも移動量ｐが大きいため、爪４７４ａおよび爪５７１ａの係合が解除される。これに伴い、上流側駆動伝達部材４７４は装置本体２から駆動力が入力されているため回転し続け、一方で、下流側駆動伝達部材５７１は停止する。結果として、アイドラギア６８、および、現像ローラギア６９、現像ローラ６の回転が停止する。各部品の上記状態を離間位置と称し、また、現像離間・駆動遮断状態と称す。
【０３８７】
以上、現像ユニット９の矢印Ｋ方向への回動と連動して、現像ローラ６への駆動遮断の動作を説明した。上記構成を採用することにより、現像ローラ６はドラム４に対して、回転しながら離間でき、現像ローラ６とドラム４との離間距離に応じて現像ローラ６への駆動を遮断することができる。
【０３８８】
［駆動連結動作］
次に、現像ローラ６とドラム４とが互いに離間した状態から接触した状態へ変化するときの、駆動連結部の動作について説明する。この動作は、上述の現像接触状態から現像離間状態への動作の逆である。
【０３８９】
現像離間状態（図７（ｃ）に示すように、現像ユニット９が角度θ２だけ回動した状態）では、駆動連結部は図９９に示すように、上流側駆動伝達部材４７４の爪４７４ａと下流側駆動伝達部材５７１の爪５７１ａとの係合が解除された状態となっている。
【０３９０】
上記の状態から、徐々に現像ユニット９を図７に示す矢印Ｈ方向へ回動させ、現像ユニット９が角度θ１だけ回動した状態（図７（ｂ）、及び、図９８に示す状態）では、下流側駆動伝達部材５７１がバネ７０の押圧力により矢印Ｍ方向へ移動する。これにより、上流側駆動伝達部材４７４の爪４７４ａと下流側駆動伝達部材５７１の爪５７１ａとが互いに係合する。これにより、装置本体２からの駆動力が現像ローラ６に伝達され、現像ローラ６が回転駆動される。なお、このときは、現像ローラ６とドラム４とは互いに離間した状態を保っている。
【０３９１】
さらに上記の状態から、徐々に現像ユニット９を図７に示す矢印Ｈ方向へ回動させていくことで、現像ローラ６とドラム４とを接触させることができる。
【０３９２】
以上、現像ユニット９の矢印Ｈ方向への回動に連動した、現像ローラ６への駆動伝達の動作を説明した。上記構成により、現像ローラ６はドラム４に対して、回転しながら接触し、現像ローラ６とドラム４との離間距離に応じて現像ローラ６へ駆動を伝達することができる。
【０３９３】
以上、説明したように、本構成においては、現像ローラ６への駆動遮断と駆動伝達の切替を現像ユニット９が回動した角度で一義的に決定できる構成となっている。
【０３９４】
なお、上記の説明では、解除カムの当接部８７２ａと解除レバー７３の当接部７３ａは互いに面対面で接触する構成としたが、必ずしもこの限りではない。例えば、面と稜線、面と点、稜線と稜線、稜線と点、とが接触する構成でもよい。また、解除レバー７３の力受け部７３ｂは、駆動側カートリッジカバー部材８２４の規制部８２４ｄと係合する構成としたが、必ずしもこの限りではなく、例えば、クリーニング容器２６と係合する構成でもよい。
【０３９５】
本実施の形態によれば、現像ユニット９は、解除レバー７３、および、解除カム８７２を有している。解除レバー７３は、現像ユニット９に対して、軸線Ｘを中心に回動可能で、軸線方向Ｍ、および、Ｎ方向のスライド移動ができないように規制されている。一方、解除カム８７２は、現像ユニット９に対して、軸線方向Ｍ、および、Ｎ方向のスライド移動が可能で、軸線Ｘを中心とした回動ができないように規制されている。すなわち、現像ユニット９に対して、回動中心Ｘを中心とした回動と、軸線方向Ｍ、および、Ｎ方向のスライド移動と、の三次元の相対移動を行う部品がない。すなわち、各部品の移動方向を、解除レバー７３、および、解除カム８７２とで機能分離している。これにより、各部品の移動が二次元となり、動作が安定する。結果として、現像ユニット９の回動と連動した現像ローラ６への駆動伝達の動作を滑らかに行うことができる。
【０３９６】
ここで、図１００は、解除カム、解除レバー、下流側駆動伝達部材、上流側駆動伝達部材の軸線方向の位置関係を示した模式図である。
【０３９７】
図１００（ａ）は本実施例の構成であり、下流側駆動伝達部材８０７１と上流側駆動伝達部材８０７４との間に、解除機構の一部であってカップリング解除部材としての解除カム８０７２と解除レバー８０７３とが配置されている。上流側駆動伝達部材３７と下流側駆動伝達部材３８は、解除カム８０７２の開口８０７２ｆ、および、解除レバー８０７３の開口８０７３ｆを介して係合している。駆動解除時には、解除カム８０７２の付勢部としての押圧面８０７２ｃが下流側駆動伝達部材８０７１の被付勢部としての被押圧面８０７１ｃを押圧している。同時に、解除レバー８０７３の付勢部としての押圧面８０７３ｃが上流側駆動伝達部材８０７４の被付勢部としての被押圧面８０７４ｃを押圧している。即ち、解除カム８０７２が下流側駆動伝達部材８０７１を相対的に矢印Ｎ方向へ、また、解除レバー８０７３が上流側駆動伝達部材８０７４を相対的に矢印Ｍ方向へ押圧することで、下流側駆動伝達部材８０７１と上流側駆動伝達部材とを矢印Ｍ、Ｎ方向で引き離し、駆動解除する構成となっている。
【０３９８】
一方、図１００（ｂ）は、前述の例とは異なる部品構成であり、軸中心に回転可能なシャフト４４に各部品が摺動可能に保持されている。具体的には、解除レバー８１７３はシャフト４４に対して摺動可能に支持されている。一方、上流側駆動伝達部材８１７４はシャフト４４と一体で回転可能に保持されている。例えば、シャフト４４に固定されたピン４７と上流側駆動伝達部材８１７４に設けられた溝８１７４ｔとが係合することで、上流側駆動伝達部材８１７４とシャフト４４とは固定されている。また、下流側駆動伝達部材８１７１はシャフト４４に対して摺動可能に支持されている。上流側駆動伝達部材３７と下流側駆動伝達部材３８は、カップリング解除部材としての解除カム８１７２の開口８１７２ｆを介して係合している。また、シャフト４４には、シャフトと一体で回転可能なリング部材４６が設けられている。リング部材４６は、解除レバー８１７３の矢印Ｍ方向への移動を規制している抜け止めとしての機能を有している。上述の構成における駆動解除時には、先ず、解除カム８１７２の力受け部としての当接部８１７２ａと、解除レバー８１７３の当接部８１７３ａとが当接する。次いで、解除レバー８１７３とリング部材８１７３との間で、軸線Ｍ、Ｎ方向に隙間が生じている場合は、解除レバー８１７３が矢印Ｍ方向へ移動してリング部材４６に突きあたる。これにより、解除レバー８１７３はシャフト４４に対して矢印Ｍ、Ｎ方向の位置決めが行われる。以降、解除カム８１７２が矢印Ｎ方向への移動に伴い、下流側駆動伝達部材８１７１が上流側駆動伝達部材８１７４から退避していくことで連結が解除される構成となっている。上記の構成において、駆動連結・解除のための下流側駆動伝達部材８１７１や解除カム８１７２の矢印Ｍ、Ｎ方向の移動量を低減させたり、駆動連結・解除のタイミングを高精度に制御するためには、シャフト４４に固定されて解除レバー８１７３の位置決めを行うリング部材４６や、リング部材４６と上流側駆動伝達部材８１７４との位置精度を高精度に管理することが必要となる。
【０３９９】
一方、前述の図１００（ａ）に示す構成においては、上流側駆動伝達部材８０７４と下流側駆動伝達部材８０７１との連結を解除する際には、上流側駆動伝達部材８０７４と下流側駆動伝達部材８０７１との間に解除カム８０７２と解除レバー８０７３とがあればよい。そのため、下流側駆動伝達部材８０７１や解除カム８０７２の矢印Ｍ、Ｎ方向の移動量を低減できたり、また、駆動連結・解除のタイミングを高精度に制御できたり、部品点数が少なく組立性も向上される等の効果もある。
【０４００】
また、図９４において、解除レバー７３の外周面７３ｅと、カップリング解除部材としての解除カム８７２の円筒内面８７２ｅとが係合することで、解除レバー７３と解除カム８７２の位置決めを行っている。
【０４０１】
しかしながら、この限りではなく、例えば、図１０１に示すような構成でもよい。即ち、解除レバー８２７３の外周面８２７３ｅは現像カバー部材８２３２の内周面８２３２ｑと摺動可能に支持され、また、解除カム８２７２の円筒内面８７２ｉもまた、現像カバー部材８２３２の内周面８２３２ｑと摺動可能に支持されている構成でもよい。
【０４０２】
〔実施例９〕
次に、この発明の第９の実施形態によるカートリッジについて説明する。なお、これまでの実施形態と同様の構成については、その説明を省略する。本実施の形態は、前述の第５の実施形態と類似のものである。
【０４０３】
図１０２（ａ）に示す駆動連結部の断面図では、第一駆動伝達部材としての上流側駆動伝達部材４７４の爪４７４ａと、第二駆動伝達部材としての下流側駆動伝達部材５７１の爪５７１ａとが互いに係合している状態を示している。また、図１０２（ｂ）に示す駆動連結部の断面図では、上流側駆動伝達部材４７４の爪４７４ａと下流側駆動伝達部材５７１の爪５７１ａとが互いに離間している状態を示している。
【０４０４】
解除レバー９７３は、現像カバー部材９３２の駆動側カートリッジカバー部材９２４と摺動する円筒部９３２ｂの一部に設けられた開口９３２ｃから突出している。また、軸線Ｘ方向において、解除レバー９７３は、現像ユニット９が駆動側カートリッジカバー部材９２４と摺動する摺動部９２４ａの摺動範囲内９２４ｅに設けられている。
【０４０５】
ここで、前述したように、駆動解除動作時には、解除レバー９７３は反力Ｑ４を受ける（図９６参照）。解除レバー９７３が反力Ｑ４を受ける力受け部９７３ｂは、現像ユニット９が駆動側カートリッジカバー部材９２４と摺動する摺動部９２４ａの摺動範囲内９２４ｅに設けられている。また、解除レバー９７３は、現像ユニット９が駆動側カートリッジカバー部材９２４と摺動する摺動部９２４ａの摺動範囲内９２４ｅで支持されている。すなわち、解除レバー９７３が受ける反力Ｑ４は、駆動側カートリッジカバー部材９２４によって、軸線Ｘ方向でずれることなく受けられている。そのため、本実施の形態によれば、現像カバー部材９３２の変形を抑制することができる。また、現像カバー部材９３２の変形が抑制されることで、駆動側カートリッジカバー部材９２４に対する現像ユニット９の軸線Ｘを中心とした回動動作を安定的に行うことができる。さらに、解除レバー９７３を、軸線Ｘ方向で、現像ユニット９が駆動側カートリッジカバー部材９２４と摺動する摺動部９２４ａの摺動範囲内９２４ｅに設けたため、駆動連結部、および、プロセスカートリッジの小型化を達成することができる。
【符号の説明】
【０４０６】
１  画像形成装置
２  装置本体
４  電子写真感光体ドラム
５  帯電ローラ
７  クリーニングブレード
８  ドラムユニット
９  現像ユニット、現像ユニット
２４  駆動側カートリッジカバー
２５  非駆動側カートリッジカバー
２６  クリーニング容器
２７  廃現像剤収納部
２９  現像枠体
３１  現像ブレード
３２  現像カバー部材
４５  軸受
４９  現像剤収納部
６８  アイドラギア
６９  現像ローラギア
７０  バネ
７１  下流側駆動伝達部材
７２  解除カム
７３  解除レバー
７４  上流側駆動伝達部材
８０  本体離間部材
８１  レール
９５  加圧バネ
【図１】
2020112834.tif 000003
【図２】
2020112834.tif 000004
【図３】
2020112834.tif 000005
【図４】
2020112834.tif 000006
【図５】
2020112834.tif 000007
【図６】
2020112834.tif 000008
【図７】
2020112834.tif 000009
【図８】
2020112834.tif 000010
【図９】
2020112834.tif 000011
【図１０】
2020112834.tif 000012
【図１１】
2020112834.tif 000013
【図１２】
2020112834.tif 000014
【図１３】
2020112834.tif 000015
【図１４】
2020112834.tif 000016
【図１５】
2020112834.tif 000017
【図１６】
2020112834.tif 000018
【図１７】
2020112834.tif 000019
【図１８】
2020112834.tif 000020
【図１９】
2020112834.tif 000021
【図２０】
2020112834.tif 000022
【図２１】
2020112834.tif 000023
【図２２】
2020112834.tif 000024
【図２３】
2020112834.tif 000025
【図２４】
2020112834.tif 000026
【図２５】
2020112834.tif 000027
【図２６】
2020112834.tif 000028
【図２７】
2020112834.tif 000029
【図２８】
2020112834.tif 000030
【図２９】
2020112834.tif 000031
【図３０】
2020112834.tif 000032
【図３１】
2020112834.tif 000033
【図３２】
2020112834.tif 000034
【図３３】
2020112834.tif 000035
【図３４】
2020112834.tif 000036
【図３５】
2020112834.tif 000037
【図３６】
2020112834.tif 000038
【図３７】
2020112834.tif 000039
【図３８】
2020112834.tif 000040
【図３９】
2020112834.tif 000041
【図４０】
2020112834.tif 000042
【図４１】
2020112834.tif 000043
【図４２】
2020112834.tif 000044
【図４３】
2020112834.tif 000045
【図４４】
2020112834.tif 000046
【図４５】
2020112834.tif 000047
【図４６】
2020112834.tif 000048
【図４７】
2020112834.tif 000049
【図４８】
2020112834.tif 000050
【図４９】
2020112834.tif 000051
【図５０】
2020112834.tif 000052
【図５１】
2020112834.tif 000053
【図５２】
2020112834.tif 000054
【図５３】
2020112834.tif 000055
【図５４】
2020112834.tif 000056
【図５５】
2020112834.tif 000057
【図５６】
2020112834.tif 000058
【図５７】
2020112834.tif 000059
【図５８】
2020112834.tif 000060
【図５９】
2020112834.tif 000061
【図６０】
2020112834.tif 000062
【図６１】
2020112834.tif 000063
【図６２】
2020112834.tif 000064
【図６３】
2020112834.tif 000065
【図６４】
2020112834.tif 000066
【図６５】
2020112834.tif 000067
【図６６】
2020112834.tif 000068
【図６７】
2020112834.tif 000069
【図６８】
2020112834.tif 000070
【図６９】
2020112834.tif 000071
【図７０】
2020112834.tif 000072
【図７１】
2020112834.tif 000073
【図７２】
2020112834.tif 000074
【図７３】
2020112834.tif 000075
【図７４】
2020112834.tif 000076
【図７５】
2020112834.tif 000077
【図７６】
2020112834.tif 000078
【図７７】
2020112834.tif 000079
【図７８】
2020112834.tif 000080
【図７９】
2020112834.tif 000081
【図８０】
2020112834.tif 000082
【図８１】
2020112834.tif 000083
【図８２】
2020112834.tif 000084
【図８３】
2020112834.tif 000085
【図８４】
2020112834.tif 000086
【図８５】
2020112834.tif 000087
【図８６】
2020112834.tif 000088
【図８７】
2020112834.tif 000089
【図８８】
2020112834.tif 000090
【図８９】
2020112834.tif 000091
【図９０】
2020112834.tif 000092
【図９１】
2020112834.tif 000093
【図９２】
2020112834.tif 000094
【図９３】
2020112834.tif 000095
【図９４】
2020112834.tif 000096
【図９５】
2020112834.tif 000097
【図９６】
2020112834.tif 000098
【図９７】
2020112834.tif 000099
【図９８】
2020112834.tif 000100
【図９９】
2020112834.tif 000101
【図１００】
2020112834.tif 000102
【図１０１】
2020112834.tif 000103
【図１０２】
2020112834.tif 000104
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
プロセスカートリッジにおいて、
枠体と、
前記枠体に回転可能に支持された感光体ドラムと、
前記感光体ドラムに形成された潜像を現像するために前記枠体に回転可能に支持された現像ローラと、
クラッチであって、（ｉ）回転力を受けうる第１駆動伝達部材と、（ｉｉ）前記第１駆動伝達部材から前記現像ローラに向かって前記回転力を伝達しうる第２駆動伝達部材と、（ｉｉｉ）前記現像ローラが前記感光体ドラムと接触している状態において、前記枠体に対して第１の位置と第２の位置を移動しうるレバーと、を備えるクラッチと、
を有し、
前記クラッチは、（ａ）前記レバーが前記第１の位置に位置する際に、前記第１駆動力伝達部材から前記第２駆動力伝達部材に前記回転力を伝達することが可能であって、かつ、（ｂ）前記レバーが前記第２の位置に位置する際に、前記第１駆動伝達部材から前記第２駆動力伝達部材に前記回転力が伝達するのを止めるように構成されたカートリッジ。
【請求項２】
前記クラッチの第２駆動伝達部材から前記現像ローラに向かって駆動力を伝達するための伝達ギアをさらに有する請求項１に記載のプロセスカートリッジ。
【請求項３】
前記クラッチの第１駆動伝達部材および第２駆動伝達部材は、前記伝達ギアと同軸状に配置されている請求項２に記載のプロセスカートリッジ。
【請求項４】
前記クラッチの少なくとも一部は、前記伝達ギアの内部に配置されている請求項２または３に記載のプロセスカートリッジ。
【請求項５】
前記クラッチの第２駆動伝達部材の少なくとも一部は、前記伝達ギアの内部に配置されている請求項２または３に記載のプロセスカートリッジ。
【請求項６】
前記レバーは第１の位置と第２の位置の間を回転可能である請求項１ないし５のいずれか１項に記載のプロセスカートリッジ。
【請求項７】
前記クラッチは、前記レバーが第２の位置に位置する際に前記第１駆動伝達部材と第２駆動伝達部材とを互いに遠ざけるためのカムを有する請求項１乃至６のいずれか１項に記載のプロセスカートリッジ。
【請求項８】
前記第１駆動伝達部材は係合部を備え、
前記第２駆動伝達部材は、前記第１駆動伝達部材の係合部と係合することによって、前記第１駆動伝達部材の係合部から駆動力を受けるための係合部を備え、
前記第１駆動伝達部材の係合部と、前記第２係合部材の係合部は、前記レバーが前記第２の位置にある際に互いに離れるように構成されている請求項１乃至７のいずれか１項に記載のプロセスカートリッジ。
【請求項９】
前記枠体は、前記感光体ドラムを回転可能に支持する第１枠体と、前記現像ローラを回転可能に支持する第２枠体と、を備える請求項１乃至８のいずれか１項に記載のプロセスカートリッジ。
【請求項１０】
前記現像ローラと前記感光体ドラムが前記プロセスカートリッジの下方側に配置された際に、前記レバーは下方に突出する請求項１乃至９のいずれか１項に記載のプロセスカートリッジ。
【請求項１１】
画像形成装置の装置本体に設けられた本体側駆動伝達部材と係合することによって前記回転力を受け得る駆動入力部を有し、
前記クラッチの第１駆動伝達部材は前記駆動入力部から前記回転力を受け得る請求項１乃至１０のいずれか１項に記載のプロセスカートリッジ。
【請求項１２】
前記クラッチの第１駆動伝達部材が前記駆動入力部を備える請求項１１に記載のプロセスカートリッジ。
【請求項１３】
前記クラッチの第１駆動伝達部材はその軸線に沿って移動可能である請求項１乃至１２のいずれか１項に記載のプロセスカートリッジ。
【請求項１４】
前記クラッチの第２駆動伝達部材はその軸線に沿って移動可能である請求項１乃至１３のいずれか１項に記載のプロセスカートリッジ。
【請求項１５】
画像形成装置であって、
請求項１乃至１４のいずれか１項に記載のプロセスカートリッジと、
前記画像形成装置の装置本体であって、前記プロセスカートリッジが取り外し可能に装着され得る装置本体と、
を有する画像形成装置。
【手続補正３】
【補正対象書類名】明細書
【補正対象項目名】００１３
【補正方法】変更
【補正の内容】
【００１３】
本願で開示するプロセスカートリッジの代表的な構成は、枠体と、前記枠体に回転可能に支持された感光体ドラムと、前記感光体ドラムに形成された潜像を現像するために前記枠体に回転可能に支持された現像ローラと、クラッチであって、（ｉ）回転力を受けうる第１駆動伝達部材と、（ｉｉ）前記第１駆動伝達部材から前記現像ローラに向かって前記回転力を伝達しうる第２駆動伝達部材と、（ｉｉｉ）前記現像ローラが前記感光体ドラムと接触している状態において、前記枠体に対して第１の位置と第２の位置を移動しうるレバーと、を備えるクラッチと、を有し、前記クラッチは、（ａ）前記レバーが前記第１の位置に位置する際に、前記第１駆動力伝達部材から前記第２駆動力伝達部材に前記回転力を伝達することが可能であって、かつ、（ｂ）前記レバーが前記第２の位置に位置する際に、前記第１駆動伝達部材から前記第２駆動力伝達部材に前記回転力が伝達するのを止めるように構成されたカートリッジである。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】